(57)【特許請求の範囲】
【請求項１】
受信部と、制御部とを備えたＵＥであって、
前記受信部は、
Ｈｏｍｅ  ＰＬＭＮ（Public Land Mobile Network）のＡＮＤＳＦ（Access Network Discovery and Selection Function）から、ＩＳＲＰ（Inter-System Routing Policy）及び／又はＩＡＲＰ（Inter-APN Routing Policy）を受信し、
ＬＴＥアクセスネットワークから、アクセスネットワークを選択するためのＲＡＮ（Radio Access Network）情報を受信し、
前記制御部は、
前記ＵＥが、ＡＮＤＳＦポリシーと、前記ＲＡＮ情報との両方を有する場合には、当該ＡＮＤＳＦポリシーに基づいてアクセスネットワークを選択し、
ここで、
前記ＡＮＤＳＦポリシーは、前記ＩＳＲＰ及び／又は前記ＩＡＲＰを含み、
前記選択されるアクセスネットワークは、前記ＬＴＥアクセスネットワークと、ＷＬＡＮアクセスネットワークとから選択される、
ことを特徴とするＵＥ。
【請求項２】
前記ＲＡＮ情報は、閾値を含むことを特徴とする請求項１に記載のＵＥ。
【請求項３】
前記ＩＳＲＰは、第１のＯＰＩ（Offload Preference Indicator）を含み、
前記ＩＡＲＰは、第２のＯＰＩを含み、
前記ＲＡＮ情報は、第３のＯＰＩを含む、
ことを特徴とする請求項２に記載のＵＥ。
【請求項４】
ＵＥの通信制御方法であって、
Ｈｏｍｅ  ＰＬＭＮ（Public Land Mobile Network）のＡＮＤＳＦ（Access Network Discovery and Selection Function）から、ＩＳＲＰ（Inter-System Routing Policy）及び／又はＩＡＲＰ（Inter-APN Routing Policy）を受信するステップと、
ＬＴＥアクセスネットワークから、アクセスネットワークを選択するためのＲＡＮ（Radio Access Network）情報を受信するステップと、
前記ＵＥが、ＡＮＤＳＦポリシーと、前記ＲＡＮ情報との両方を有する場合には、当該ＡＮＤＳＦポリシーに基づいてアクセスネットワークを選択するステップと、
を有し、
ここで、
前記ＡＮＤＳＦポリシーは、前記ＩＳＲＰ及び／又は前記ＩＡＲＰを含み、
前記選択されるアクセスネットワークは、前記ＬＴＥアクセスネットワークと、ＷＬＡＮアクセスネットワークとから選択される、
ことを特徴とするＵＥの通信制御方法。
【請求項５】
前記ＲＡＮ情報は、閾値を含むことを特徴とする請求項４に記載のＵＥの通信制御方法。
【請求項６】
前記ＩＳＲＰは、第１のＯＰＩ（Offload Preference Indicator）を含み、
前記ＩＡＲＰは、第２のＯＰＩを含み、
前記ＲＡＮ情報は、第３のＯＰＩを含む、
ことを特徴とする請求項５に記載のＵＥの通信制御方法。
【発明の詳細な説明】
【技術分野】
【０００１】
本発明は、ＵＥ及び通信制御方法に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳに接続されるアクセスシステムとしてＬＴＥ（Ｌｏｎｇ  Ｔｅｒｍ  Ｅｖｏｌｕｔｉｏｎ）だけでなく、無線ＬＡＮ（Ｗｉｒｅｌｅｓｓ  ＬＡＮ、ＷＬＡＮ）やＷｉＭＡＸ（Worldwide Interoperability for Microwave Access）について検討がなされている。【０００３】
また、非特許文献１では、ローミングを行う場合のＥＰＳの仕様化作業についても検討が行われている。非特許文献１では、ローミング先の移動通信事業者のネットワークをＶ−ＰＬＭＮ（Ｖｉｓｉｔｅｄ−Ｐｕｂｌｉｃ  Ｌａｎｄ  Ｍｏｂｉｌｅ  Ｎｅｔｗｏｒｋ）と記載し、ローミングを行わない、ＵＥが契約する移動通信事業者のネットワークを、Ｈ−ＰＬＭＮ（Ｈｏｍｅ−Ｐｕｂｌｉｃ  Ｌａｎｄ  Ｍｏｂｉｌｅ  Ｎｅｔｗｏｒｋ）と記載している。【０００４】
さらに、３ＧＰＰでは、昨今のスマートフォンによるインターネットへのアクセスによるトラフィックの急増について検討しており、ＬＴＥだけではトラフィックを処理しきれなくなることを想定しており、状況に応じてＬＴＥから無線ＬＡＮ、ＷｉＭＡＸといった他のアクセスシステムへの切り替えることによる、ＬＴＥへのトラフィックの集中を回避することを検討している。【０００５】
非特許文献２では、複数のアクセスシステムを利用してトラフィックの集中を避ける技術として、ＩＦＯＭ（ＩＰ  Ｆｌｏｗ  Ｍｏｂｉｌｉｔｙ）について検討され、仕様化された。ＩＦＯＭでは、フロー単位でアクセスシステムを振り分けることにより、トラフィックの分散を行うことができる技術である。ここで、フローとは、送信元ＩＰアドレス、送信先ＩＰアドレス、送信元ポート番号、送信先ＩＰアドレス、プロトコル番号（これら５つのパラメータでＩＰ５と呼ぶ）で識別可能である。【０００６】
また、非特許文献１では、ＵＥが異なるアクセスシステムに同時に接続する技術として、ＭＡＰＣＯＮ（Ｍｕｌｔｉ  Ａｃｃｅｓ  ＰＤＮ  Ｃｏｎｎｅｃｔｉｖｉｔｙ）について記載されている。ＭＡＰＣＯＮでは、異なるアクセスシステムに異なるＰＤＮコネクションを同時に確立することにより、異なるアクセスシステムに同時に接続する。ここで、ＰＤＮコネクションとは、ＵＥとアクセスシステムとＰＤＮ（Ｐａｃｋｅｔ  Ｄａｔａ  Ｎｅｔｗｏｒｋ）を関連付ける情報要素のことである。【０００７】
また、非特許文献２では、ＵＥがアクセスシステムへの切り替え手続きとして、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）を利用する方法について記載されている。ＡＮＤＳＦとは、アクセスシステムを検出し、検出された１つまたは複数のアクセスシステムから１つのアクセスシステムを選択し、移動通信事業者のポリシーとしてＵＥへ通知する機能のことである。【０００８】
ＡＮＤＳＦからＡＮＤＳＦポリシーとしてアクセスシステムを通知されたＵＥは、ＡＮＤＳＦポリシーに含められたアクセスシステムを適用するかどうかを決定し、ＡＮＤＳＦポリシーを適用する場合には、ＵＥポリシーを反映することによって、そのアクセスシステムへ切り替えることとなる。【０００９】
また、非特許文献３では、ＵＥはＬＴＥアクセスネットワークからＲＡＮポリシーを受信することが記載されている。ＲＡＮポリシーは、ＡＮＤＳＦポリシーと同様に、複数のアクセスシステムから１つのアクセスシステムを選択するための情報が含まれる。
【先行技術文献】
【非特許文献】
【００１０】
【非特許文献１】3GPP TS23.402 General Technical Specification Group Services and System Aspects、Architecture enhancements for non-3GPP accesses
【非特許文献２】3GPP TS 23.261 Technical Specification Group Services and System Aspects、 IP flow mobility and seamless Wireless Local Area Network(WLAN) offload、 Stage 2 (Release 10)
【非特許文献３】3GPP S2-140871 LS on CN impacts of RAN2 solutions for WLAN/3GPP radio interworking
【発明の概要】
【発明が解決しようとする課題】
【００１１】
しかしながら、ＵＥはＡＮＤＳＦポリシーとＲＡＮポリシーを受信し、ＡＮＤＳＦポリシーとＲＡＮポリシーに基づいたアクセスシステムの選択を行うかどうかを決定することができない。また、ＵＥはローミング先においてＵＥが契約する移動通信事業者（Ｈ−ＰＬＭＮ）または、ローミング先の移動通信事業者が規定するＡＮＤＳＦポリシーとＲＡＮポリシーを受信し、ＨＰＬＭＮまたはＶ−ＰＬＭＮが規定するＡＮＤＳＦポリシーとＲＡＮポリシーに基づいたアクセスシステムの選択を行うかどうかを決定することができない。【００１２】
ＵＥはＡＮＤＳＦポリシーとＲＡＮポリシーに基づいたアクセスシステムの選択を行うことを決定できなかったため、移動通信事業者はＵＥにＡＮＤＳＦポリシーとＲＡＮポリシーに基づくアクセスシステムの選択を制御することができなくなってしまう。また、ローミング先においても、ＵＥはＨ−ＰＬＭＮまたはＶ−ＰＬＭＮから受信したＡＮＤＳＦポリシーとＲＡＮポリシーにより、アクセスシステムの選択を行うことを決定できなかったため、ＵＥが契約する移動通信事業者とローミング先の移動通信事業者はＵＥにＲＡＮポリシーに基づくアクセスシステムの選択を制御することができない。【００１３】
本発明は、このような事情を鑑みてなされたもので、その目的は、ＬＴＥ基地局装置に接続している移動局装置が、データ通信を行っている場合に、ＡＮＤＳＦからＵＥへＡＮＤＳＦポリシーを通知し、ＬＴＥ基地局装置からＲＡＮポリシーを通知することによって、ＵＥは、ＡＮＤＳＦポリシーまたはＲＡＮポリシーにより、ＬＴＥ基地局装置経由のデータの送受信からＷＬＡＮ基地局装置経由のデータの送受信へ切り替え、ＬＴＥ基地局装置へのトラフィックの集中を回避することができる移動通信システム等を提供することである。
【課題を解決するための手段】
【００１４】
端末装置であって、Home PLMN(Public Land Mobile Network)のANDSF(Access Network Discovery and Selection Function)が送信する少なくとも第１のOPI(Offload preference Indicator)を含むISRP（Inter-System Routing Policy）と、アクセスネットワークが送信する第２のOPIを受信するインタフェース部と、第１のOPIと第２のOPIとに基づいて、ISRPを、トラフィックをルーティングするために使用する制御部と、を有することを特徴とする。【００１５】
端末装置であって、Home PLMN(Public Land Mobile Network)のANDSF(Access Network Discovery and Selection Function)が送信する少なくとも第１のOPI(Offload preference Indicator)を含むIARP(Inter-APN Routing Policy)と、アクセスネットワークが送信する第２のOPIを受信するインタフェース部と、第１のOPIと第２のOPIとに基づいて、IARPを、トラフィックをルーティングするために使用する制御部と、を有することを特徴とする。【００１６】
端末装置であって、ISRP（Inter-System Routing Policy）をHome PLMN(Public Land Mobile Network)のANDSF(Access Network Discovery and Selection Function)から受信し、第１のアクセスネットワークの閾値情報及び／又は第２のアクセスネットワークの閾値情報を第１のアクセスネットワークから受信するインタフェース部と、ISRPに、第１のアクセスネットワークの閾値情報及び／又は第２のアクセスネットワークの閾値情報を使用する為の制御情報が含まれている場合には、第１のアクセスネットワークの閾値情報及び／又は第２のアクセスネットワークの閾値情報に基づいて、ISRPを、トラフィックをルーティングするために使用する制御部と、を有することを特徴とする。【００１７】
端末装置の通信制御方法であって、少なくとも第１のOPI(Offload preference Indicator)を含むISRP（Inter-System Routing Policy）をHome PLMN(Public Land Mobile Network)のANDSF(Access Network Discovery and Selection Function)から受信するステップと、第２のOPIをアクセスネットワークから受信するステップと、第１のOPIと第２のOPIとに基づいて、ISRPを、トラフィックをルーティングするために使用するステップと、を有することを特徴とする。【００１８】
端末装置の通信制御方法であって、少なくとも第１のOPI(Offload preference Indicator)を含むIARP(Inter-APN Routing Policy)をHome PLMN(Public Land Mobile Network)のANDSF(Access Network Discovery and Selection Function)から受信するステップと、第２のOPIをアクセスネットワークから受信するステップと、第１のOPIと第２のOPIとに基づいて、IARPを、トラフィックをルーティングするために使用するステップと、を有することを特徴とする。【００１９】
端末装置の通信制御方法であって、ISRP（Inter-System Routing Policy）をHome PLMN(Public Land Mobile Network)のANDSF(Access Network Discovery and Selection Function)から受信するステップと、第１のアクセスネットワークの閾値情報及び／又は第２のアクセスネットワークの閾値情報を第１のアクセスネットワークから受信するステップと、ISRPに、第１のアクセスネットワークの閾値情報及び／又は第２のアクセスネットワークの閾値情報を使用する為の制御情報が含まれている場合には、第１のアクセスネットワークの閾値情報及び／又は第２のアクセスネットワークの閾値情報に基づいて、ISRPを、トラフィックをルーティングするために使用するステップと、を有することを特徴とする。
【発明の効果】
【００２０】
本発明によれば、ＵＥのポリシーの最適な使用を提供する。なお、ポリシーは、ＵＥのポリシーと、ＬＴＥアクセスネットワークによるＲＡＮポリシーと、通信事業者によるオペレータポリシーのいずれかのポリシー、又はこれらポリシーを２つ以上組み合わせたポリシーであり、ポリシーに基づいたＵＥ１０の最適な通信路の利用を実現する。
【図面の簡単な説明】
【００２１】
【図１】第１実施形態における通信システムの概要を説明するための図である。
【図２】第１実施形態におけるＩＰ移動通信ネットワークの構成を説明するための図である。
【図３】第１実施形態におけるＵＥの機能構成を説明するための図である。
【図４】第１実施形態におけるＵＥの記憶部において管理される機能構成の例を示すための図である。
【図５】第１実施形態におけるポリシーの構成例を説明するための図である。
【図６】第１実施形態におけるＡＮＤＳＦの機能構成を説明するための図である。
【図７】第１実施形態におけるｅＮＢの機能構成を説明するための図である。
【図８】第１実施形態におけるＭＭＥの機能構成を説明するための図である。
【図９】第１実施形態における処理の流れを説明するための図である。
【図１０】第１実施形態におけるメッセージの内容を説明するための図である。
【図１１】第１実施形態におけるＵＥにおけるＬＴＥ経由の通信路を確立するための手続きを説明するための図である。
【図１２】第１実施形態におけるＵＥにおけるＷＬＡＮ経由の通信路を確立するための手続きを説明するための図である。
【図１３】第１実施形態におけるＵＥにおけるＷＬＡＮ経由の通信路を確立するための手続きを説明するための図である。
【図１４】第１実施形態におけるＵＥにおけるＷＬＡＮ経由の通信路を確立するための手続きを説明するための図である。
【図１５】第１実施形態におけるアクセスネットワークを切り替えるための手続きを説明するための図である。
【図１６】第１実施形態におけるアクセスネットワークを切り替えるための手続きを説明するための図である。
【図１７】第１実施形態におけるアクセスネットワークを切り替えるための手続きを説明するための図である。
【図１８】第１実施形態におけるアクセスネットワークを切り替えるための手続きを説明するための図である。
【図１９】第１実施形態における通信システムの概要を説明するための図である。
【図２０】第２実施形態における通信システムの概要を説明するための図である。
【図２１】第２実施形態における処理の流れを説明するための図である。
【図２２】変形例における処理の流れを説明するための図である。
【発明を実施するための形態】
【００２２】
以下、図面を参照して本発明を実施するための最良の形態について説明する。なお、本実施形態では、一例として、本発明を適用した場合の移動通信システムの実施形態について、図を用いて詳細に説明する。
【００２３】
［１．第１実施形態］
まず、本発明を適用した第１実施形態について、図面を参照して説明する。なお、本実施形態に示すアクセスシステムとアクセスネットワークはＬＴＥ、ＷＬＡＮ、ＷｉＭＡＸなどを示す情報である。
【００２４】
［１．１  移動通信システムの概要］
図１は、本実施形態における移動通信システムの概略を説明するための図である。本図に示すように、移動通信システムは、ＵＥ（移動局装置）１０と、ＩＰ移動通信ネットワーク５Ａと、ＡＮＤＳＦ２０（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）とから構成される。
【００２５】
ＩＰ移動通信ネットワーク５Ａは、例えば、コアネットワークであっても良いし、ブロードバンドネットワークであっても良い。コアネットワークは、後で詳細に説明するように、移動通信事業者（Ｍｏｂｉｌｅ  Ｏｐｅｒａｔｏｒ）が運用するＩＰ移動通信ネットワークのことである。
【００２６】
また、ブロードバンドネットワークは、広帯域の通信を実現する有線アクセスネットワークであり、例えばＡＤＳＬ（Asymmetric Digital Subscriber Line）や光ファイバー等によって構築される。ただし、これに限らずＷｉＭＡＸ（Worldwide Interoperability for Microwave Access）などの無線アクセスネットワークであっても良い。
【００２７】
ＵＥ１０は、ＬＴＥやＷＬＡＮまたは、ＷｉＭＡＸに接続する移動通信端末であり、３ＧＰＰ  ＬＴＥの通信インタフェースやＷＬＡＮの通信インタフェース、ＷｉＭＡＸの通信インタフェースなどを搭載して接続することにより、ＩＰ移動通信ネットワーク５Ａへ接続することが可能である。
【００２８】
ＡＮＤＳＦ２０は、移動通信事業者により設定されるポリシーの管理を行うサーバ装置である。ポリシーは、ＵＥ１０がＬＴＥやＷＬＡＮなどの無線アクセスシステムを用いて確立する通信路の切り替えなどの、通信路の使用方法に関連した情報であってよい。なお、本実施形態におけるＡＮＤＳＦ２０は、Ｈ−ＰＬＭＮによる運用、管理が行われるサーバ装置であってよい。ここで、Ｈ−ＰＬＭＮは、ＵＥ１０が契約する移動通信事業者もしくは移動通信事業者網を識別する識別情報であってよい。
【００２９】
また、ＡＮＤＳＦ２０は、ＩＰ移動通信ネットワーク５Ａへ有線回線などを利用して接続される。例えば、ＡＤＳＬ（Ａｓｙｍｍｅｔｒｉｃ  Ｄｉｇｉｔａｌ  Ｓｕｂｓｃｒｉｂｅｒ  Ｌｉｎｅ）や光ファイバーなどによって構築される。ただし、これに限らずＬＴＥ（Ｌｏｎｇ  Ｔｅｒｍ  Ｅｖｏｌｕｔｉｏｎ）や、ＷＬＡＮ（Ｗｉｒｅｌｅｓｓ  ＬＡＮ）、ＷｉＭＡＸ（Worldwide Interoperability for Microwave Access）などの無線アクセスネットワークであっても良い。
【００３０】
［１．１．１  ＩＰ移動通信ネットワークの構成例］
次に、ＩＰ移動通信ネットワーク５Ａの構成例を、図２を用いて説明する。ＩＰ移動通信ネットワーク５Ａは通信事業者が運用するコアネットワークであってよく、図２にＩＰ移動通信ネットワークの構成例を示す。
【００３１】
ＰＤＮ９は、ＵＥ１０とパケットでデータを送受信するネットワークであり、例えば、インターネットやＩＭＳなどの特定サービスを提供するサービス網である。
【００３２】
コアネットワーク７は、ＰＧＷ３０（Ｐａｃｋｅｔ  Ｄａｔａ  Ｎｅｔｏｒｋ  ＧＷ）と、ＳＧＷ３５と、ＭＭＥ４０と、ｅＮＢ４５と、ＨＳＳ５０と、ＡＡＡ５５と、ＰＣＲＦ６０と、ｅＰＤＧ６５と、ＷＬＡＮ７０ａと、ＷＬＡＮ７０ｂから構成される。
【００３３】
図２は、図１に示す通信システムの詳細な構成例である。図２に示すシステムの構成例は、ＵＥ１０と、ＩＰ移動通信ネットワーク５Ａと、ＰＤＮ９とから構成される。ＩＰ移動通信ネットワーク５Ａには、ＵＥ１０以外にも複数のＵＥが接続する事が可能である。
【００３４】
ＩＰ移動通信ネットワーク５Ａはコアネットワーク７と各無線アクセスネットワーク（ＬＴＥ  ＡＮ８０、ＷＬＡＮ  ＡＮｂ７５、ＷＬＡＮ  ＡＮａ７０）で構成されている。コアネットワーク７は、ＨＳＳ（Ｈｏｍｅ  Ｓｕｂｓｃｒｉｂｅｒ  Ｓｅｒｖｅｒ）５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）６０、ＰＧＷ（Ｐａｃｋｅｔ  Ｄａｔａ  Ｎｅｔｗｏｒｋ  Ｇａｔｅｗａｙ）３０、ｅＰＤＧ（ｅｎｈａｎｃｅｄ  Ｐａｃｋｅｔ  Ｄａｔａ  Ｇａｔｅｗａｙ）６５、ＳＧＷ（Ｓｅｒｖｉｎｇ  Ｇａｔｅｗａｙ）３５、ＭＭＥ（Ｍｏｂｉｌｅ  Ｍａｎａｇｅｍｅｎｔ  Ｅｎｔｉｔｙ）４０により構成される。
【００３５】
また、図１を用いて説明したＡＮＳＤＦ２０は、ＰＤＮ９に含まれて構成されてもよいし、ＰＤＮ９と独立して、ＩＰ移動通信ネットワーク５Ａに含まれて構成されてもよいし、コアネットワーク７に含まれて構成されても良い。
【００３６】
無線アクセスネットワークは、複数の異なるアクセスネットワークで構成されてよい。それぞれのアクセスネットワークはコアネットワーク７に接続されている。さらに、ＵＥ１０は無線アクセスネットワークに無線接続することができる。
【００３７】
無線アクセスネットワークには、ＬＴＥアクセスシステムで接続できるＬＴＥアクセスネットワーク（ＬＴＥ  ＡＮ８０）や、ＷＬＡＮアクセスシステムで接続できるアクセスネットワーク（ＷＬＡＮ  ＡＮｂ７５、ＷＬＡＮ  ＡＮａ７０）を構成することができる。
【００３８】
さらに、ＷＬＡＮアクセスシステムで接続可能なアクセスネットワークは、ｅＰＤＧ６５をコアネットワーク７への接続装置として接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７５）とが構成可能である。
【００３９】
なお、各装置はＥＰＳを利用した移動通信システムにおける従来の装置と同様に構成されるため、詳細な説明は省略する。以下、各装置の簡単な説明をする。
【００４０】
ＰＧＷ３０はＰＤＮ９とＳＧＷ３５とｅＰＤＧ６５とＷＬＡＮ  ＡＮａ７０と、ＰＣＲＦ６０とＡＡＡ５５とに接続されており、ＰＤＮ９とコアネットワーク７のゲートウェイ装置としてユーザデータ配送を行う。
【００４１】
ＳＧＷ３５は、ＰＧＷ３０とＭＭＥ４０とＬＴＥ  ＡＮ８０とに接続されており、コアネットワーク７とＬＴＥ  ＡＮ８０とのゲートウェイ装置としてユーザデータ配送を行う。
【００４２】
ＭＭＥ４０は、ＳＧＷ３５とＬＴＥ  ＡＮ８０とＨＳＳ５０に接続されており、ＬＴＥ  ＡＮ８０を経由してＵＥ１０のアクセス制御を行うアクセス制御装置である。
【００４３】
ＨＳＳ５０はＭＭＥ４０とＡＡＡ５５とに接続されており、加入者情報の管理を行う管理ノードである。ＨＳＳ５０の加入者情報は、例えばＭＭＥ４０のアクセス制御の際に参照される。
【００４４】
ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。
【００４５】
ＰＣＲＦ６０は、ＰＧＷ３０と、ＷＬＡＮ  ＡＮａ７５と、ＡＡＡ５５と、ＰＤＮ９に接続されており、データ配送に対するＱｏＳ管理を行う。例えば、ＵＥ１０とＰＤＮ９間の通信路のＱｏＳの管理を行う。
【００４６】
ｅＰＤＧ６５は、ＰＧＷ３０と、ＷＬＡＮ  ＡＮｂ７５とに接続されており、コアネットワーク７と、ＷＬＡＮ  ＡＮｂ７５とのゲートウェイ装置としてユーザデータの配送を行う。
【００４７】
また、図２（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した装置が考えられる。
【００４８】
本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されてよい。
【００４９】
ＷＬＡＮ  ＡＮａ７０はＷＬＡＮ  ＡＰａ７５と、ＧＷ（Ｇａｔｅｗａｙ）７４とが含まれて構成される。ＷＬＡＮ  ＡＰａ７５はコアネットワーク７を運営する事業者に対して信頼性のあるＷＬＡＮアクセスシステムでＵＥ１０が接続する無線基地局であり、ＷＬＡＮ  ＡＮａ７０には１又は複数の無線基地局が含まれて構成されてよい。ＧＷ７４はコアネットワーク７とＷＬＡＮ  ＡＮａ７０のゲートウェイ装置である。また、ＷＬＡＮ  ＡＰａ７２とＧＷ７４とは、単一の装置で構成されてもよい。
【００５０】
コアネットワーク７を運営する事業者とＷＬＡＮ  ＡＮａ７０を運営する事業者が異なる場合でも、事業者間の契約や規約によりこのような構成での実現が可能となる。
【００５１】
また、ＷＬＡＮ  ＡＮｂ７５はＷＬＡＮ  ＡＰｂ７６を含んで構成される。ＷＬＡＮ  ＡＰｂ７６はコアネットワーク２を運営する事業者に対して信頼関係が結ばれていない場合に、ＷＬＡＮアクセスシステムでＵＥ１０が接続する無線基地局であり、ＷＬＡＮ  ＡＮｂ７５には１又は複数の無線基地局が含まれて構成されてよい。
【００５２】
このように、ＷＬＡＮ  ＡＮｂ７５はコアネットワーク７に含まれる装置であるｅＰＤＧ６５をゲートウェイとしてコアネットワーク７に接続される。ｅＰＤＧ６５は安全性を確保するためのセキュリティ機能を持つ。
【００５３】
なお、本明細書において、ＵＥ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５４】
［１．２  装置構成］
続いて、各装置構成について図を用いて簡単に説明する。
【００５５】
［１．２．１  ＵＥの構成］
図３は、本実施形態におけるＵＥ１０の構成を示す。ＵＥ１０は、制御部１００に、ＬＴＥインタフェース部１１０と、ＷＬＡＮインタフェース部１２０と、記憶部１４０とがバスを介して接続されている。
【００５６】
制御部１００は、ＵＥ１０を制御するための機能部である。制御部１００は、記憶部１４０に記憶されている各種プログラムを読み出して実行することにより各種処理を実現する。
【００５７】
ＬＴＥインタフェース部１１０は、ＵＥ１０がＬＴＥ基地局に接続し、ＩＰアクセスネットワークへ接続するための機能部である。また、ＬＴＥインタフェース部１１０には、外部アンテナ１１２が接続されている。
【００５８】
ＷＬＡＮインタフェース部１２０は、ＵＥ１０がＷＬＡＮアクセスポイントに接続し、ＩＰアクセスネットワークへ接続するための機能部である。また、ＷＬＡＮインタフェース部１２０には、外部アンテナ１２２が接続されている。
【００５９】
記憶部１４０は、ＵＥ１０の各種動作に必要なプログラム、データ等を記憶する機能部である。さらに、記憶部１４０には、ＵＥポリシー１４２と許可情報１４４が記憶されている。
【００６０】
ＵＥ１０は、許可情報１４４に複数の許可情報を記憶してよい。
【００６１】
許可情報１は、ＵＥ１０が契約する移動通信事業者（Ｈｏｍｅ  Ｍｏｂｉｌｅ  Ｏｐｅｒａｔｏｒ）から受信するＡＮＤＳＦポリシーを受信し、受信したＡＮＤＳＦポリシーを用いた制御を行うことを許可する情報であってよい。例えば、受信したＡＮＤＳＦポリシーの情報を基に、ＵＥポリシー１４２を更新することを許可する情報であってよい。また、受信したＡＮＤＳＦポリシーを基に、通信路を切り替えることを許可する情報であってもよい。ここで、ＵＥ１０が契約する移動通信事業者はＨ−ＰＬＭＮ（Ｈｏｍｅ−Ｐｕｂｌｉｃ  Ｌａｎｄ  Ｍｏｂｉｌｅ  Ｎｅｔｗｏｒｋ）として識別されるネットワークであってよい。
【００６２】
ここで、許可情報１は、ＵＥ１０が端末の出荷時に記憶部にあらかじめ記憶しておいてもよいし、ユーザによって設定されてもよい。また、移動通信事業者が送信するＡＮＤＳＦポリシーとともに受信してもよいし、ＡＮＤＳＦポリシーの情報要素として、ＡＮＤＳＦポリシーに含まれて受信してもよい。
【００６３】
さらに、許可情報１は、ＰＬＭＮ  ＩＤなどの移動通信事業者を識別する情報と対応付けて記憶してもよく、移動通信事業者が送信するＡＮＤＳＦポリシーごとに異なる許可情報１を複数保有してもよい。
【００６４】
ＡＮＤＳＦポリシーに含まれる情報要素の詳細は後述するためここでは詳細説明を省略する。
【００６５】
許可情報２は、ＵＥ１０が契約する移動通信事業者網（Ｈｏｍｅ  Ｏｐｅｒａｔｏｒ  Ｎｅｔｗｏｒｋ）に接続した際、ＵＥ１０が接続する基地局からＲＡＮポリシーを受信し、受信したＲＡＮポリシーを用いた制御を行うことを許可する情報であってよい。例えば、受信したＲＡＮポリシーの情報を基に、ＵＥポリシー１４２を更新することを許可する情報であってよい。また、受信したＲＡＮポリシーを基に、通信路を切り替えることを許可する情報であってもよい。
【００６６】
ここで、許可情報２は、ＵＥ１０が端末の出荷時に記憶部にあらかじめ記憶しておいてもよいし、ユーザによって設定されてもよい。また、移動通信事業者が送信するＡＮＤＳＦポリシーとともに受信してもよいし、ＡＮＤＳＦポリシーの情報要素として、ＡＮＤＳＦポリシーに含まれて受信してもよい。
【００６７】
さらに、許可情報２は、ＰＬＭＮなどの移動通信事業者を識別する情報と対応付けて記憶してもよく、移動通信事業者ごとに異なる許可情報２を複数保有してもよい。
【００６８】
ＲＡＮポリシーに含まれる情報要素の詳細は後述するためここでは詳細説明を省略する。
【００６９】
許可情報３は、ＵＥ１０が契約する移動通信事業者（Ｈｏｍｅ  Ｍｏｂｉｌｅ  Ｏｐｅｒａｔｏｒ）とは異なるローミング先の移動通信事業者（Ｖｉｓｉｔｅｄ  Ｍｏｂｉｌｅ  Ｏｐｅｒａｔｏｒ）から受信するＡＮＤＳＦポリシーを受信し、受信したＡＮＤＳＦポリシーを用いた制御を行うことを許可する情報であってよい。例えば、受信したＡＮＤＳＦポリシーの情報を基に、ＵＥポリシー１４２を更新することを許可する情報であってよい。また、受信したＡＮＤＳＦポリシーを基に、通信路を切り替えることを許可する情報であってもよい。
【００７０】
ここで、ローミング先の移動通信事業者は、ＵＥ１０が契約する移動通信事業者と契約関係にある移動通信事業者であってよい。さらに、ＵＥ１０がローミング時に接続する移動通信事業者であってよい。また、移動通信事業者はＶ−ＰＬＭＮ（Ｖｉｓｉｔｅｄ−Ｐｕｂｌｉｃ  Ｌａｎｄ  Ｍｏｂｉｌｅ  Ｎｅｔｗｏｒｋ）として識別されるネットワークであってよい。
【００７１】
また、許可情報３は、ＵＥ１０が端末の出荷時に記憶部にあらかじめ記憶しておいてもよいし、ユーザによって設定されてもよい。また、ＵＥ１０が契約する移動通信事業者（Ｈｏｍｅ  Ｍｏｂｉｌｅ  Ｏｐｅｒａｔｏｒ）が送信するＡＮＤＳＦポリシーとともに受信してもよいし、ＡＮＤＳＦポリシーの情報要素として、ＡＮＤＳＦポリシーに含まれて受信してもよい。
【００７２】
さらに、許可情報３は、ＰＬＭＮなどの移動通信事業者を識別する情報と対応付けて記憶してもよく、移動通信事業者ごとに異なる許可情報３を複数保有してもよい。例えば、複数あるローミング可能な移動通信事業者のそれぞれに対し、移動通信事業者の送信するＡＮＤＳＦポリシーを使用するか否かを許可情報３によって管理してもよい。
【００７３】
ＡＮＤＳＦポリシーに含まれる情報要素の詳細は後述するためここでは詳細説明を省略する。
【００７４】
許可情報４は、ＵＥ１０がローミング先の移動通信事業者網（Ｖｉｓｉｔｅｄ  Ｏｐｅｒａｔｏｒ  Ｎｅｔｗｏｒｋ）に接続した際、ＵＥ１０が接続する基地局からＲＡＮポリシーを受信し、受信したＲＡＮポリシーを用いた制御を行うことを許可する情報であってよい。例えば、受信したＲＡＮポリシーの情報を基に、ＵＥポリシー１４２を更新することを許可する情報であってよい。また、受信したＲＡＮポリシーを基に、通信路を切り替えることを許可する情報であってもよい。このように許可情報４は、ローミング先の移動通信事業者のポリシーであってよい。
【００７５】
ここで、許可情報４は、ＵＥ１０が端末の出荷時に記憶部にあらかじめ記憶しておいてもよいし、ユーザによって設定されてもよい。また、ＵＥ１０が契約する移動通信事業者（Ｈｏｍｅ  Ｍｏｂｉｌｅ  Ｏｐｅｒａｔｏｒ）が送信するＡＮＤＳＦポリシーとともに受信してもよいし、ＡＮＤＳＦポリシーの情報要素として、ＡＮＤＳＦポリシーに含まれて受信してもよい。また、移動通信事業者が送信するＲＡＮポリシーとともに受信してもよいし、ＲＡＮポリシーの情報要素として、ＡＮＤＳＦポリシーに含まれて受信してもよい。また、ＵＥ１０は、ローミング先の移動通信事業者（Ｖｉｓｉｔｅｄ  Ｍｏｂｉｌｅ  Ｏｐｅｒａｔｏｒ）が送信するＡＮＤＳＦポリシーとともに受信してもよいし、ＡＮＤＳＦポリシーの情報要素として、ＡＮＤＳＦポリシーに含まれて受信してもよい。
【００７６】
さらに、許可情報４は、ＰＬＭＮなどの移動通信事業者を識別する情報と対応付けて記憶してもよく、移動通信事業者ごとに異なる許可情報４を複数保有してもよい。例えば、複数あるローミング可能な移動通信事業者のそれぞれに対し、基地局の送信するＲＡＮポリシーを使用するか否かを許可情報４によって管理してもよい。
【００７７】
ＲＡＮポリシーに含まれる情報要素の詳細は後述するためここでは詳細説明を省略する。
【００７８】
許可情報５は、ＵＥ１０がローミング先の移動通信事業者（Ｖｉｓｉｔｅｄ  Ｍｏｂｉｌｅ  Ｏｐｅｒａｔｏｒ）が送信する許可情報４受信し、許可情報４を用いて制御を行うことを許可する情報であってよい。もしくは、ローミング先の移動通信事業者（Ｖｉｓｉｔｅｄ  Ｍｏｂｉｌｅ  Ｏｐｅｒａｔｏｒ）が送信する許可情報４を基に、ＲＡＮポリシーを使用することを用いた制御を許可する情報であってよい。
【００７９】
ここで、許可情報５は、ＵＥ１０が端末の出荷時に記憶部にあらかじめ記憶しておいてもよいし、ユーザによって設定されてもよい。また、ＵＥ１０が契約する移動通信事業者（Ｈｏｍｅ  Ｍｏｂｉｌｅ  Ｏｐｅｒａｔｏｒ）が送信するＡＮＤＳＦポリシーとともに受信してもよいし、ＡＮＤＳＦポリシーの情報要素として、ＡＮＤＳＦポリシーに含まれて受信してもよい。
【００８０】
さらに、許可情報５は、ＰＬＭＮなどの移動通信事業者を識別する情報と対応付けて記憶してもよく、移動通信事業者ごとに異なる許可情報５を複数保有してもよい。例えば、複数あるローミング可能な移動通信事業者のそれぞれに対し、ローミング先の移動通信事業者の送信する許可情報４を使用した制御を行うか否かを管理してもよい。さらに、基地局の送信するＲＡＮポリシーを使用するか否かを許可情報５によって管理してもよい。
【００８１】
ＲＡＮポリシーに含まれる情報要素の詳細は後述するためここでは詳細説明を省略する。
【００８２】
ＵＥ１０は、以上説明した許可情報１から許可情報５の許可情報を必ずしもすべて記憶する必要はなく、一部の許可情報を記憶してもよい。また、許可情報１から許可情報５は異なる許可情報として説明したが、一部もしくはすべての許可情報を、それぞれの許可情報のもつ意味を含んだ一つの許可情報として記憶してもよい。例えば、許可情報１と許可情報２を一つの許可情報として記憶し、さらに、許可情報３、許可情報４、許可情報５を一つ許可情報として記憶してもよい。
【００８３】
また、記憶部１４０に記憶するＵＥポリシー１４２は、ＵＥ１０が通信路を切り替えるなどの、通信路の使用に関する情報であってよい。ＡＮＤＳＦポリシーはＡＮＤＳＦから受け取ったアクセスネットワークへの接続条件などなどを決定する複数の情報要素含まれてもよい。さらに、ＲＡＮポリシーには、基地局から受信したアクセスネットワークへの接続条件などなどを決定する複数の情報要素含まれてもよい。
【００８４】
ＵＥ１０は、ＡＮＤＳＦポリシーに含まれる各情報要素の情報を予めＵＥポリシー１４２に記憶してもよい。また、ＵＥ１０は、ＡＮＤＳＦポリシーやＲＡＮポリシーに含まれる情報要素によってＵＥポリシー１４２を更新してもよい。ここで、ＵＥ１０は、ＡＮＤＳＦポリシーやＲＡＮポリシーに含まれる一部の情報要素を更新してもよいし、受信したすべてを更新してもよい。
【００８５】
また、ユーザや端末によって設定された情報要素をＵＥポリシー１４２として記憶し、図４（ａ）に示すように、ＡＮＤＳＦポリシーと、ＲＡＮポリシーとして各情報要素に対する情報を記憶してもよい。
【００８６】
また、ユーザや端末によって予め設定されたＵＥ１４２の各情報要素を更新し、ＵＥポリシー１４２にはＡＮＤＳＦポリシーと、ＲＡＮポリシーとを個別に保持してもよい。例えば、図４（ｂ）に示すように、ＡＮＤＳＦから受信したＡＮＤＳＦポリシーにより、ＵＥ１０の記憶するＡＮＤＳＦポリシーを更新してもよい。また、基地局から受信したＲＡＮポリシーにより、ＵＥ１０の記憶するＲＡＮポリシーを更新してもよい。
【００８７】
ここで、こうした更新は、許可情報１から許可情報５のいずれかに基づいて更新を決定してもよい。
【００８８】
また、ＡＮＤＳＦポリシーは、図４（ａ−１）のように複数保持してもよい。例えば、フロー単位、アプリケーションに対応付けられた通信単位、ＡＰＮに対応付けられた通信単位、ＰＤＮコネクションに対応付けられた通信単位など、それぞれの通信粒度に応じて異なるポリシーを記憶してもよい。
【００８９】
図５にＡＮＤＳＦポリシーに含まれるポリシーの具体的な例を示す。図５では、タイプ１からタイプ４までの４つのＡＮＤＳＦのタイプを説明する。これまで、ＵＥ１０は、複数のＡＮＤＳＦポリシーを記憶できることを説明したが、ＵＥ１０は、同一タイプのＡＮＤＳＦポリシーを複数保持してもよいし、さらに、異なるタイプのＡＮＤＳＦポリシーを複数保持してもよい。
【００９０】
図５（ａ）はタイプ１を示しており、ＩＳＭＰ（Ｉｎｔｅｒ−Ｓｙｓｔｅｍ  Ｍｏｂｉｌｉｔｙ  Ｐｏｌｉｃｙ）によるアクセスシステムの切り替え条件を示している。ＩＳＭＰでは、ＵＥ１０が実行しているすべての通信を対象とした通信路の使用に関する情報が含まれている。例えば、ＵＥ１０が実行しているすべての通信を切り替えるための条件、もしくは通信路切り替えに必要となる各情報要素が含まれている。
【００９１】
図５（ｂ）はタイプ２を示しており、ＩＳＲＰ（Ｉｎｔｅｒ−Ｓｙｓｔｅｍ  Ｒｏｕｔｉｎｇ  Ｐｏｌｉｃｙ）によるアクセスシステムの切り替え条件を示している。図５（ｂ）のＩＳＲＰの例では、ＵＥ１０が実行している特定のフローや、アプリケーションに対応する通信など、特定の通信を対象とした通信路の使用に関する情報が含まれている。ここで指定される特定の通信は、単一のＡＰＮを基に確立した２つの通信路の間で切り替えることができる。ここで、単一のＡＰＮを基に確立した２つの通信路は、ＡＰＮ１を基に確立したＬＴＥのアクセスネットワークを介して確立した通信路と、ＡＰＮ１を基に確立したＷＬＡＮのアクセスネットワークを介して確立した通信路であってよい。
【００９２】
図５（ｃ）はタイプ３を示しており、ＩＳＲＰ（Ｉｎｔｅｒ−Ｓｙｓｔｅｍ  Ｒｏｕｔｉｎｇ  Ｐｏｌｉｃｙ）によるアクセスシステムの切り替え条件を示している。図５（ｃ）のＩＳＲＰの例では、ＵＥ１０が実行している特定のＡＰＮに対応する通信や、ＰＤＮコネクションに対応する通信など、特定の通信を対象とした通信路の使用に関する情報が含まれている。ここで指定される特定の通信は、単一のＡＰＮを基に確立した２つの通信路の間で切り替えることができる。ここで、単一のＡＰＮを基に確立した２つの通信路は、ＡＰＮ１を基に確立したＬＴＥのアクセスネットワークを介して確立した通信路と、ＡＰＮ１を基に確立したＷＬＡＮのアクセスネットワークを介して確立した通信路であってよい。
【００９３】
図５（ｄ）はタイプ４を示しており、ＩＡＲＰ（Ｉｎｔｅｒ−ＡＰＮ  Ｒｏｕｔｉｎｇ  Ｐｏｌｉｃｙ）によるアクセスシステムの切り替え条件を示している。図５（ｄ）のＩＡＲＰの例では、ＵＥ１０が実行している特定のフローや、アプリケーションに対応する通信など、特定の通信を対象とした通信路の使用に関する情報が含まれている。ここで指定される特定の通信は、異なるＡＰＮを基に確立した２つの通信路の間で切り替えることができる。ここで、異なるＡＰＮを基に確立した２つの通信路は、ＡＰＮ１を基に確立したＬＴＥのアクセスネットワークを介して確立した通信路と、ＡＰＮ２を基に確立したＷＬＡＮのアクセスネットワークを介して確立した通信路であってよい。このように、タイプ４はＡＰＮ間ルーティングのポリシーであってよい。
【００９４】
以下では、図５（ａ）を例に、タイプ１の各情報要素の例を説明する。タイプ１には、図５少なくとも、ルールプライオリティ、優先されるアクセス、有効なエリア、ローミングの有無、ＰＬＭＮ  ＩＤ、時刻情報、スレッショールド１、ＯＰＩ（Ｏｆｆｌｏａｄ  Ｐｒｅｆｅｒｅｎｃｅ  Ｉｎｄｉｃａｔｏｒ）１の一部が含まれてよい。
【００９５】
また、タイプ１には、通信粒度を示す情報として、ＵＥ１０が行うすべての通信に対して適用可能なポリシーであることを示す情報を含めてもよい。また、ＵＥ１０が行うすべての通信に対して適用可能なポリシーであることを示す情報は、ＩＳＭＰであることを示す情報など、明示的な識別情報として含めてもよいし。タイプ１であること示す制御メッセージを識別するメッセージタイプなどによりＡＮＤＳＦがＵＥ１０に通知してもよい。
【００９６】
なお、ルールプライオリティは、ＡＮＤＳＦポリシーにおいて、１つ以上のポリシーが含まれている場合の優先順位を示している。ルールプライオリティが最も小さい値を割り当てられるポリシーが、最も優先度の高いポリシーとなる。なお、同じルールプライオリティが割り当てられても良く、同じルールプライオリティが割り当てられた場合のポリシーの選択は、ＵＥの設定情報によって決定されても良いし、ランダムに決定されても良い。
【００９７】
優先されるアクセスは、ポリシー内で、優先されるアクセスネットワークを示す。優先されるアクセスとして、３ＧＰＰ、ＷＬＡＮが含まれる。なお、３ＧＰＰとは、ＬＴＥやＷ−ＣＤＭＡ、ＧＳＭ（登録商標）などを示す。優先されるアクセスは、上記、３ＧＰＰ、ＷＬＡＮと優先順位を示す情報が関連付けられる。また、優先されるアクセスには、アクセスＩＤが含まれても良い。アクセスＩＤとは、ＷＬＡＮであればＳＳＩＤ（Ｓｅｒｖｉｃｅ  Ｓｅｔ  Ｉｄｅｎｔｉｆｉｅｒ）である。ＳＳＩＤは、アクセスポイントの識別子のことである。また、ＳＳＩＤの代わりに、Ｅ−ＳＳＩＤ（Ｅｘｔｅｎｄｅｄ―ＳＳＩＤ）として、複数のアクセスポイントに対応するＳＳＩＤであっても良い。優先されるアクセスに、ＳＳＩＤやＥ−ＳＳＩＤが含まれる場合には、複数のＷＬＡＮに接続できる場合、ＵＥ１０はアクセスＩＤが示すＷＬＡＮに優先して接続する。
【００９８】
また、優先されるアクセスにセカンダリアクセスＩＤが含まれも良い。セカンダリアクセスＩＤが含まれる場合、アクセスＩＤに含まれるＷＬＡＮが存在しなく、セカンダリアクセスＩＤに含まれるＷＬＡＮが存在する場合、ＵＥ１０は優先してセカンダリアクセスＩＤが示すＷＬＡＮに接続する。
【００９９】
図５（ｅ）に優先されるアクセスの例を示す。図５（ｅ）では、アクセスネットワークとして、３ＧＰＰとＷＬＡＮが含まれており、３ＧＰＰの優先順位は２、ＷＬＡＮの優先順位は１と関連付けて含まれている。つまり、図５（ｅ）の例では、３ＧＰＰとＷＬＡＮ両方に接続可能な場合、３ＧＰＰよりもＷＬＡＮが優先して接続されることを示している。また、図５（ｅ）では、アクセスＩＤとしてＳＳＩＤ１が含まれ、セカンダリアクセスＩＤとしてＳＳＩＤ２が含まれる。ＳＳＩＤ１のＷＬＡＮが接続可能な場合、ＳＳＩＤ１のＷＬＡＮに接続する。ＳＳＩＤ１のＷＬＡＮが接続できず、ＳＳＩＤ２のＷＬＡＮが接続可能な場合、ＳＳＩＤ２のＷＬＡＮへ接続する。ＳＳＩＤ１のＷＬＡＮが接続できず、ＳＳＩＤ１のＷＬＡＮが接続できず、ＳＳＩＤ１やＳＳＩＤ２のＷＬＡＮとは異なるＷＬＡＮに接続可能な場合、ＳＳＩＤ１やＳＳＩＤ２ではないＷＬＡＮに接続する。なお、上記では、ＳＳＩＤを例として示したが、ＳＳＩＤである必要はなく、Ｅ−ＳＳＩＤであっても良い。
【０１００】
有効なエリアはポリシーを適用可能な位置を示す位置情報を示している。有効なエリアには３ＧＰＰの位置情報やＷＬＡＮの位置情報が含まれる。３ＧＰＰの位置情報として、具体的には、ＰＬＭＮ(Ｐｕｂｌｉｃ  Ｌａｎｄ  Ｍｏｂｉｌｅ  Ｎｅｔｗｏｒｋ)、ＴＡＣ（Ｔｒａｃｋｉｎｇ  Ａｒｅａ  Ｃｏｄｅ）、ＥＵＴＲＡ＿ＣＩ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｃｅｌｌ  ｇｌｏｂａｌ  Ｉｄｅｔｉｔｙ）などが含まれる。ＰＬＭＮは移動通信事業者が運営する移動通信ネットワークを示しており、ＵＥ１０が契約するＨｏｍｅ  ＰＬＭＮ  ＩＤや、ローミング可能な移動通信事業者網を識別するＶｉｓｉｔｅｄ  ＰＬＭＮ  ＩＤなど、複数のＰＬＭＮ  ＩＤを含めてもよい。ＴＡＣはいくつかのＬＴＥ基地局装置を１つのグループとしてＬＴＥ基地局装置のグループ毎に割り当てられる識別子である。ＥＵＴＲＡ＿ＣＩは、ＬＴＥ基地局装置毎に割り当てられる識別子である。
【０１０１】
ＷＬＡＮの位置情報として、具体的には、ＢＳＳＩＤ（Ｂａｓｉｃ  ＳＳＩＤ）、ＳＳＩＤ、ＨＥＳＳＩＤ（Ｈｏｍｏｇｅｎｅｏｕｓ  Ｅｘｔｅｎｄｅｄ  ＳＳＩＤ）がある。ＢＳＳＩＤは単一のＷＬＡＮを識別する識別情報である。ＨＥＳＳＩＤは、ＩＥＥＥ８０２．１１ｕで新たに規定されたＳＳＩＤであり、ＩＥＥＥ８０２．１１ｕ準拠のＷＬＡＮを識別する識別情報である。
【０１０２】
図５（ｆ）に有効なエリアの例を示す。図５（ｆ）では、有効なエリアとしてＴＡＣにＴＡＣ１とＴＡＣ２が含まれている。ＥＵＴＲＡ＿ＣＩには、ＥＵＴＲＡ＿ＣＩ１とＥＵＴＲＡ＿ＣＩ２が含まれている。つまり、ＵＥ１０はＬＴＥのＴＡＣ１とＴＡＣ２が示すＬＴＥ基地局装置のグループおよび、ＥＵＴＲＡ＿ＣＩ１が示すＬＴＥ基地局装置とＥＵＴＲＡ＿ＣＩ２が示すＬＴＥ基地局装置において、ポリシーが有効であることを示している。
【０１０３】
また、ＨＥＳＳＩＤには、ＨＥＳＳＩＤ１とＨＥＳＳＩＤ２が含まれている。また、ＢＳＳＩＤには、ＢＳＳＩＤ１とＢＳＳＩＤ２が含まれている。さらにＳＳＩＤには、ＳＳＩＤ１とＳＳＩＤ２が含まれている。つまり、ＵＥ１０はＷＬＡＮのＨＥＳＳＩＤ１が示すＷＬＡＮとＨＥＳＳＩＤ２が示すＷＬＡＮのグループおよび、ＢＳＳＩＤ１が示すＷＬＡＮとＢＳＳＩＤ２が示すＷＬＡＮおよび、ＳＳＩＤ１が示すＷＬＡＮとＳＳＩＤ２が示すＷＬＡＮにおいて、ポリシーが有効であることを示している。
【０１０４】
また、これらの位置情報は、空港などの各施設などを示す情報であってもよい。
【０１０５】
ローミングの有無はローミング先において有効なポリシーであることを示す情報である。ローミング先において有効でないポリシーの場合、ＵＥが契約する移動通信事業者のネットワークにおいてのみ、ポリシーを適用することができる。
【０１０６】
また、ＵＥが契約する移動通信事業者の識別子としてＨｏｍｅ  ＰＬＭＮ  ＩＤが含まれていてもよい。
【０１０７】
また、時刻情報は、ポリシーが有効である開始日時とポリシーが無効となる停止日時を示している。なお、時刻情報はポリシーが有効となる開始日時のみを示し、開始日時以降有効であることを示すことができる。また、時刻情報は、ポリシーが無効となる停止日時のみを示し、停止日時以降無効であることを示すことができる。
【０１０８】
また、スレッショールド１には、ＵＥ１０がＬＴＥ基地局装置との受信状態により切り替えを決定するための情報が含まれ、例えば、ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）、ＢＳＳ（Ｂａｓｉｃ  Ｓｅｒｖｉｃｅ  Ｓｅｔ）ロード１、ＷＬＡＮ  ＤＬ（Ｄｏｗｎｌｉｎｋ）アンドＵＬ（Ｕｐｌｉｎｋ）バックホールデータレート１が含まれる。ＲＳＲＰとはＬＴＥアクセスシステムから受信した信号の受信電力の基準を示している。なお、ＲＳＲＰより高い受信電力の場合、ＬＴＥアクセスネットワークへ接続し、ＲＳＲＰより低い受信電力の場合、ＷＬＡＮアクセスネットワークへ接続するというように、ＵＥ１０は判断することができる。
【０１０９】
また、ＢＳＳロード１は、ＷＬＡＮアクセスネットワークへの混雑状況を示す情報のことである。ＢＳＳロードは、混雑状況の最大値が設定され、混雑状況が最大にならない限り、接続することができる。また、ＷＡＬＮ  ＤＬアンドＵＬバックホールデータレート１は、利用可能なデータレートを示す情報である。
【０１１０】
ＯＰＩ１は、ＡＮＤＳＦポリシーまたはＲＡＮポリシーを実行することを決定するためのスレッショールドである。例えば、ＡＮＤＳＦポリシーに含まれるＯＰＩ１とＲＡＮポリシーに含まれるＯＰＩ２を比較してＯＰＩ１の方が大きい場合、ＡＮＤＳＦポリシーを実行することを決定して良い。ここで、ＯＰＩ１の値がＯＰＩ２の値よりも大きい場合、ＡＮＤＳＦポリシーを実行することを決定すると説明したが、ＯＰＩ１の値がＯＰＩ２の値よりも小さい場合、ＡＮＤＳＦポリシーを実行することを決定しても良い。また、ＯＰＩ１はユーザの契約で識別されるクラス毎に異なる情報であっても良い。例えば、ユーザが移動通信事業者との契約によって、ゴールドクラスとシルバークラスとブロンズクラスで分けて管理し、それぞれのクラスで異なるＯＰＩ１が管理されても良い。これにより、ＲＡＮポリシー４５４２で通知されるＯＰＩ２の値が全てのＵＥで同じであっても、ゴールドクラスのユーザには、ＬＴＥ経由でのデータの送受信を促し、ブロンズクラスのユーザには、ＷＬＡＮ経由でのデータの送受信を促すことができる。
【０１１１】
次に、図５（ｂ）を例に、タイプ２の各情報要素の例を説明する。タイプ２には、少なくとも、ルールプライオリティ、優先されるアクセス、有効なエリア、ローミングの有無、ＰＬＭＮ  ＩＤ、時刻情報、スレッショールド１、ＯＰＩ１の一部が含まれてよい。
【０１１２】
ルールプライオリティ、優先されるアクセス、有効なエリア、ローミングの有無、ＰＬＭＮ  ＩＤ、時刻情報、スレッショールド１、ＯＰＩ１の各情報要素の意味や内容は、図５（ａ）を用いて説明したものと同様であってよい。そのため詳細説明を省略する。
【０１１３】
また、タイプ２には、ＵＥ１０が実行している特定のフローや、アプリケーションに対応する通信など、特定の通信を対象とした通信路の使用に関する情報であることを示す識別情報が含まれている。さらに、この識別情報はＵＥ１０が特定の通信を単一のＡＰＮを基に確立した２つの通信路の間で切り替えることを示す識別情報として用いてもよい。ここで、単一のＡＰＮを基に確立した２つの通信路は、ＡＰＮ１を基に確立したＬＴＥのアクセスネットワークを介して確立した通信路と、ＡＰＮ１を基に確立したＷＬＡＮのアクセスネットワークを介して確立した通信路であってよい。
【０１１４】
また、この識別情報は、ＩＳＲＰを示す情報であってもよいし、ＩＳＲＰと特定の通信を識別する情報とを組み合わせて識別情報としてもよいし、その他の識別情報を用いてもよい。
【０１１５】
また、ＡＮＤＳＦポリシーには、特定の通信を識別する情報が含まれている。特定の通信はＩＰフローであってよく、ＩＰフローは、少なくともアプリケーションＩＤ、アドレスタイプ、送信元ＩＰアドレス、宛先ＩＰアドレス、プロトコルタイプ、送信元ポート番号、宛先ポート番号、ＱｏＳ、ドメイン名、ＡＰＮの一部で特定されてよい。ＵＥ１０はＡＮＤＳＦポリシーにこれらの特定の通信を識別する情報を含んで記憶してもよい。
アプリケーションＩＤは、ＯＳＩｄ（Ｏｐｅｒａｔｉｎｇ  Ｓｙｓｔｅｍ  Ｉｄｅｎｔｉｆｉｃａｔｉｏｎ）としてＯＳ（Ｏｐｅｒａｔｉｎｇ  Ｓｙｓｔｅｍ）を識別する情報であって良い。また、アプリケーションＩＤはＯＳ毎に対応するアプリケーションＩＤであっても良い。
【０１１６】
アドレスタイプは、ＩＰアドレスのバージョンを示す情報が含まれる。ＩＰアドレスのバージョンを示す情報として、ＩＰｖ４アドレスまたは、ＩＰｖ６アドレスが含まれる。
【０１１７】
送信元ＩＰアドレスは、ＵＥ１０のＩＰアドレスを示している。また、送信元ＩＰアドレスは最初の送信元ＩＰアドレスと最後の送信元ＩＰアドレスを示すことにより、送信元ＩＰアドレスの範囲を示しても良い。
【０１１８】
宛先ＩＰアドレスは、ＵＥ１０がデータの送信先となるＩＰアドレスを示している。なお、宛先ＩＰアドレスは最初の宛先ＩＰアドレスと最後の宛先ＩＰアドレスを示すことにより、送信元ＩＰアドレスの範囲を示しても良い。
【０１１９】
プロトコルタイプは、ＩＡＮＡ（Ｉｎｔｅｒｎｅｔ  Ａｓｓｉｇｎｅｄ  Ｎｕｍｂｅｒｓ  Ａｕｔｈｏｒｉｔｙ）が定義するプロトコル番号のことである。例えば、プロトコルタイプはＴＣＰ（Ｔｒａｎｓｍｉｓｓｉｏｎ  Ｃｏｎｔｒｏｌ  Ｐｒｏｔｏｃｏｌ）やＵＤＰ（Ｕｓｅｒ  Ｄａｔａｇｒａｍ  Ｐｒｏｔｏｃｏｌ）などを識別する識別子が含まれる。
【０１２０】
送信元ポート番号は、ＵＥ１０のポート番号を示している。なお、ポート番号は、ＵＥ１０がデータの送受信に使用するプログラムを識別するための番号のことである。宛先ポート番号は、ＵＥ１０の通信相手のポート番号のことである。
【０１２１】
ＱｏＳ（Ｑｕａｌｉｔｙ  ｏｆ  Ｓｅｒｖｉｃｅ）は通信品質を示す情報が含まれる。ドメイン名は、ＦＱＤＮ（Ｆｕｌｌｙ  Ｑｕａｌｉｆｉｅｄ  Ｄｏｍａｉｎ  Ｎａｍｅ）を示す情報を含む。ＦＱＤＮは宛先ＩＰアドレスを解決するために利用される文字列のことである（例、www.example.comなど）。
【０１２２】
ＡＰＮ（Ａｃｃｅｓｓ  Ｐｏｉｎｔ  Ｎａｍｅ）は、移動通信事業者のネットワークへ接続するために必要になる接続先を示す識別情報のことである。ＵＥ１０はＡＰＮと特定の通信とを対応づけて記憶しておき、ＡＰＮを識別情報として特定の通信を識別してもよい。なお、ＵＥ１０は複数のＡＰＮを用いてネットワークへ接続可能であり、ＡＰＮごとに異なる通信を対応づけて記憶してもよい。
【０１２３】
なお、ＵＥ１０は、複数のポリシーを記憶してよい。さらに各ポリシーに記憶される特定の通信は、それぞれ異なる通信であってよい。つまり、ＩＰフローやアプリケーションなどに応じて異なるポリシーを適用してもよい。
【０１２４】
次に、図５（ｃ）を例に、タイプ３の各情報要素の例を説明する。タイプ３には、少なくとも、ルールプライオリティ、優先されるアクセス、有効なエリア、ローミングの有無、ＰＬＭＮ  ＩＤ、時刻情報、スレッショールド１、ＯＰＩ１の一部が含まれてよい。
【０１２５】
ルールプライオリティ、優先されるアクセス、有効なエリア、ローミングの有無、ＰＬＭＮ  ＩＤ、時刻情報、スレッショールド１、ＯＰＩ１の各情報要素の意味や内容は、図５（ａ）を用いて説明したものと同様であってよい。そのため詳細説明を省略する。
【０１２６】
また、タイプ３には、ＵＥ１０が実行しているＡＰＮに対応づけられた通信やサービスに対応づけられた通信など、特定の通信を対象とした通信路の使用に関する情報であることを示す識別情報が含まれている。さらに、この識別情報は、ＵＥ１０が特定の通信を単一のＡＰＮを基に確立した２つの通信路の間で切り替えることを示す識別情報として用いてもよい。ここで、単一のＡＰＮを基に確立した２つの通信路は、ＡＰＮ１を基に確立したＬＴＥのアクセスネットワークを介して確立した通信路と、ＡＰＮ１を基に確立したＷＬＡＮのアクセスネットワークを介して確立した通信路であってよい。
【０１２７】
また、この識別情報は、ＩＳＲＰを示す情報であってもよいし、ＩＳＲＰと特定の通信を識別する情報とを組み合わせて識別情報としてもよいし、その他の識別情報を用いてもよい。
【０１２８】
また、ＡＮＤＳＦポリシーには、特定の通信を識別する情報が含まれている。特定の通信はＡＰＮに対応付けられた通信や、特定サービスに対応付けられた通信であってよい。これらの特手の通信は、ＡＰＮによって識別されてよい。または、サービスＩＤやサービス名によって識別されてもよい。ＵＥ１０はＡＮＤＳＦポリシーにこれらの特定の通信を識別する情報を含んで記憶してもよい。ＡＰＮは、図５（ｂ）で説明したものと同様であってよく、詳細説明は省略する。
【０１２９】
なお、ＵＥ１０は、複数のポリシーを記憶してよい。さらに各ポリシーに記憶される特定の通信は、それぞれ異なる通信であってよい。つまり、ＵＥ１０は複数のＡＰＮを用いてネットワークに接続している場合、各ＡＰＮに対応付けられた通信に対して異なるポリシーを適用してもよい。
【０１３０】
次に、図５（ｄ）を例に、タイプ４の各情報要素の例を説明する。タイプ４には、少なくとも、ルールプライオリティ、優先されるアクセス、有効なエリア、ローミングの有無、ＰＬＭＮ  ＩＤ、時刻情報、スレッショールド１、ＯＰＩ１の一部が含まれてよい。
【０１３１】
ルールプライオリティ、優先されるアクセス、有効なエリア、ローミングの有無、ＰＬＭＮ  ＩＤ、時刻情報、スレッショールド１、ＯＰＩ１の各情報要素の意味や内容は、図５（ａ）を用いて説明したものと同様であってよい。そのため詳細説明を省略する。
【０１３２】
また、タイプ４には、ＵＥ１０が実行している特定のフローや、アプリケーションに対応する通信など、特定の通信を対象とした通信路の使用に関する情報であることを示す識別情報が含まれている。さらに、この識別情報はＵＥ１０が特定の通信を異なるＡＰＮを基に確立した２つの通信路の間で切り替えることを示す識別情報として用いてもよい。ここで、異なるＡＰＮを基に確立した２つの通信路は、ＡＰＮ１を基に確立したＬＴＥのアクセスネットワークを介して確立した通信路と、ＡＰＮ２を基に確立したＷＬＡＮのアクセスネットワークを介して確立した通信路であってよい。
【０１３３】
また、この識別情報は、ＩＡＲＰを示す情報であってもよいし、ＩＡＲＰと特定の通信を識別する情報とを組み合わせて識別情報としてもよいし、切り替える先のＡＰＮの情報などでもよいし、その他の識別情報を用いてもよい。
【０１３４】
また、ＡＮＤＳＦポリシーには、特定の通信を識別する情報が含まれている。特定の通信はＩＰフローであってよく、ＩＰフローは、少なくともアプリケーションＩＤ、アドレスタイプ、送信元ＩＰアドレス、宛先ＩＰアドレス、プロトコルタイプ、送信元ポート番号、宛先ポート番号、ＱｏＳ、ドメイン名、ＡＰＮの一部で特定されてよい。
【０１３５】
これらの特定の通信を識別する情報の各要素は、図５（ｂ）を用いて説明したもの同様であってよいため、詳細説明は省略する。
【０１３６】
ここで、ルーティングルールは、ＡＰＮとＡＰＮプライオリティが含まれてもよい。ＡＰＮは図５（ｂ）で説明したため、詳細な説明は省略する。ＡＰＮプライオリティは、複数のＡＰＮが含まれている場合に、優先して接続するＡＰＮの優先順位やデータの送受信に利用するＡＰＮを示している。
【０１３７】
なお、ＵＥ１０は、複数のポリシーを記憶してよい。さらに各ポリシーに記憶される特定の通信は、それぞれ異なる通信であってよい。つまり、ＵＥ１０は複数のＡＰＮを用いてネットワークに接続している場合、各ＡＰＮに対応付けられた通信に対して異なるポリシーを適用してもよい。
【０１３８】
ここで、これまで説明したタイプ１からタイプ４までの各情報要素は、既に説明した通り、予めＵＥ１０にユーザや端末に設定された情報であってもよい。もしくは、オペレータポリシーにより決定され、通信事業者の運用するＡＮＤＳＦから受信し、ＵＥ１０がＵＥポリシー１４２を更新することを決定したうえで更新された情報であってもよい。
【０１３９】
また、タイプ１からタイプ４で説明した通信路切り替えの条件となるスレッシュホールドやＯＰＩなどの情報要素は、これまで説明したように各ポリシーで異なる値を記憶してもよいし、２つ以上のポリシーに共通する情報要素として記憶されてもよい。例えば、すべてのポリシーに対して同じスレッシュホールドとＯＰＩとを記憶してもよい。その際は、各ポリシーとは独立して記憶してもよい。
【０１４０】
一方、ＲＡＮポリシーはＬＴＥアクセスネットワークから受け取る情報であり、ＬＴＥやＷＬＡＮなどのアクセスネットワークへの接続条件などが含まれる。ＲＡＮポリシーには、通信路を識別する情報と、通信路への切り替えを実行するための条件となる情報とを記憶してもよい。例えば、図４（ａ−２）にＲＡＮポリシーの例のように、通信路を識別するための情報として、アクセスネットワーク情報を記憶し、通信路への切り替えを実行するための条件となる情報として、すくなくともスレッショールド２やＯＰＩ２の一部を記憶してもよい。アクセスネットワーク情報とは、アクセスネットワークを識別する情報が含まれ、例えば、ＬＴＥやＷＬＡＮを識別する情報が含まれる。
【０１４１】
通信路を識別する情報は、アクセスネットワーク情報に限らず、通信路を識別する識別情報であってよい。例えば、ＰＤＮコネクションのＩＤやベアラＩＤやＡＰＮなどであってもよい。
【０１４２】
また、スレッショールド２には、ＵＥ１０がＬＴＥ基地局装置との受信状態により切り替えを決定するための情報が含まれ、例えば、ＲＳＲＰ２やＲＳＲＱ２が含まれる。ＯＰＩ２は、ＡＮＤＳＦポリシーまたはＲＡＮポリシーを実行することを決定するための値である。ＵＥ１０はＯＰＩ２とＯＰＩ１と、を比較することにより、ＡＮＤＳＦポリシーではなく、ＲＡＮポリシーを実行することを決定して良い。また、ＵＥ１０は、ＯＰＩ２とＯＰＩ１と、を比較することにより、ＲＡＮポリシーではなく、ＡＮＤＳＦポリシーを実行することを決定して良い。
【０１４３】
また、ＯＰＩ２はユーザの契約で識別されるクラス毎に異なる情報であっても良い。例えば、ユーザが移動通信事業者との契約によって、ゴールドクラスとシルバークラスとブロンズクラスで分けて管理し、それぞれのクラスで異なるＯＰＩ２が管理されても良い。これにより、ゴールドクラスのユーザには、ＬＴＥ経由でのデータの送受信を促し、ブロンズクラスのユーザには、ＷＬＡＮ経由でのデータの送受信を促すことができる。
【０１４４】
また、ＲＡＮポリシーに保持される各要素は、ＡＮＤＳＦポリシーに同様の情報要素が記憶されている場合、ＡＮＤＳＦポリシーとＲＡＮポリシーとをそれぞれ記憶してもよいし、端末の設定やユーザの設定などのＵＥのポリシーを基にいずれか選択して記憶し、他方は削除してもよい。
【０１４５】
例えば、ＡＮＤＳＦポリシーとＲＡＮポリシーとをそれぞれ記憶する場合には、ＡＮＤＳＦポリシーの値をデフォルト値として使用し、ＲＡＮポリシーを記憶している場合には、ＲＡＮポリシーを優先して使用するなどしてもよい。
【０１４６】
もしくは、ＡＮＤＳＦポリシーとＲＡＮポリシーのいずれかを記憶する場合には、ＡＮＤＳＦポリシーの値をデフォルト値として使用し、ＲＡＮポリシーを記憶する際にはＡＮＤＳＦポリシーを削除してＲＡＮポリシーを使用するなどしてもよい。つまりＵＥ１０は、ＡＮＤＳＦの情報要素の一部をＲＡＮポリシーの情報要素によって更新してもよい。
【０１４７】
また、ＲＡＮポリシーの情報要素には存在しないＡＮＤＳＦの情報要素を記憶する場合には、ＵＥ１０はＲＡＮポリシーの情報要素と、ＲＡＮポリシーの情報要素には存在しないＡＮＤＳＦの情報要素の両方を用いて通信路切り替え等の通信路の使用に関する決定を行ってもよい。
【０１４８】
また、ＵＥ１０は、少なくとも許可情報１から許可情報５の一部の許可情報を、ポリシー毎に対応付けて記憶してもよい。さらに、ＵＥ１０は、ポリシー毎に異なる許可情報を記憶してもよい。例えば、２つのＡＮＤＳＦポリシーを記憶している場合には、一つ目のポリシーに対しては許可情報１を許可と記憶し、２つめのポリシーに対しては許可情報１を許可として記憶してもよい。このようにＵＥ１０はポリシー毎に異なる許可情報を記憶し、これらの許可情報に基づいてポリシー毎に各情報要素の内容を更新してもよい。
【０１４９】
［１．２．２  ＡＮＤＳＦの構成］
続いて、本実施形態におけるＡＮＤＳＦ２０の構成を図６（ａ）に示す。ＡＮＤＳＦ２０では、制御部２００に、ＩＰ移動通信ネットワークインタフェース部２１０と、記憶部２４０とがバスを介して接続されている。
【０１５０】
制御部２００は、ＡＮＤＳＦ２０を制御するための機能部である。制御部２００は、記憶部２４０に記憶されている各種プログラムを読み出して実行することにより各種処理を実現する。
【０１５１】
ＩＰ移動通信ネットワークインタフェース部２１０は、ＡＮＤＳＦ２０がＩＰ移動通信ネットワーク５Ａに接続するための機能部である。
【０１５２】
記憶部２４０は、ＡＮＤＳＦ２０の各種動作に必要なプログラム、データ等を記憶する機能部である。さらに、記憶部２４０には、ＡＮＤＳＦポリシー２４２と許可情報２４４が記憶されている。
【０１５３】
図６（ｂ）は、ＡＮＤＳＦポリシー２４２の例に示すように、複数記憶してもよい。
ＡＮＤＳＦポリシーは、ＵＥ１０の保持するＡＮＤＳＦポリシーと同様に、タイプ１からタイプ４の４つのタイプで分類することができる。
【０１５４】
各タイプの意味および各タイプのＡＮＤＳＦの情報要素は、図５を用いて説明したＵＥ１０が保持するＡＮＤＳＦポリシーと同様であってよい。そのため、各ＡＮＤＳＦポリシーのタイプの詳細説明、および各情報要素の詳細説明は省略する。
【０１５５】
また、ＡＮＤＳＦにおけるＡＮＤＳＦポリシーは、オペレータポリシーによって作成または更新されてよい。より具体的には、ＡＮＤＳＦを運用する通信事業者の運用者によってＡＮＤＳＦの各要素の内容は作成、更新されてよい。また、オペレータによる作成または更新は、ポリシー毎に行われてもよいし、特定の情報要素のみ更新されてもよい。
【０１５６】
また、ＡＮＤＳＦ２０は、許可情報２４４に複数の許可情報を記憶してもよい。
【０１５７】
許可情報１は、ＵＥ１０が契約する移動通信事業者（Ｈｏｍｅ  Ｍｏｂｉｌｅ  Ｏｐｅｒａｔｏｒ）から受信するＡＮＤＳＦポリシーを用いた制御を行うことを許可する情報であってよい。例えば、受信したＡＮＤＳＦポリシーの情報を基に、ＵＥ１０がＵＥポリシー１４２を更新することを許可する情報であってよい。また、受信したＡＮＤＳＦポリシーを基に、ＵＥ１０が通信路を切り替えることを許可する情報であってもよい。ここで、ＵＥ１０が契約する移動通信事業者はＨ−ＰＬＭＮ（Ｈｏｍｅ−Ｐｕｂｌｉｃ  Ｌａｎｄ  Ｍｏｂｉｌｅ  Ｎｅｔｗｏｒｋ）として識別されるネットワークであってよい。
【０１５８】
さらに、許可情報１は、ＰＬＭＮ  ＩＤなどの移動通信事業者を識別する情報と対応付けて記憶してもよく、許可情報１と移動通信事業者を識別する情報と対応付けてＵＥ１０に通知してもよい。
【０１５９】
なお、許可情報１は、オペレータポリシーを基に決定されてよい。例えば、通信事業者網の運用者によって設定または更新されてもよい。
【０１６０】
許可情報２は、ＵＥ１０が契約する移動通信事業者網（Ｈｏｍｅ  Ｏｐｅｒａｔｏｒ  Ｎｅｔｗｏｒｋ）に接続した際、ＵＥ１０が接続する基地局からＲＡＮポリシーを受信し、受信したＲＡＮポリシーを用いた制御を行うことを許可する情報であってよい。例えば、受信したＲＡＮポリシーの情報を基に、ＵＥポリシー１４２を更新することを許可する情報であってよい。また、受信したＲＡＮポリシーを基に、通信路を切り替えることを許可する情報であってもよい。
【０１６１】
なお、許可情報２は、オペレータポリシーを基に決定されてよい。例えば、通信事業者網の運用者によって設定または更新されてもよい。
【０１６２】
ここで、許可情報２は、ＰＬＭＮ  ＩＤなどの移動通信事業者を識別する情報と対応付けて記憶してもよく、許可情報２と移動通信事業者を識別する情報と対応付けてＵＥ１０に通知してもよい。これにより、ＡＮＤＳＦ２０は、Ｈ−ＰＬＭＮを識別するＰＬＭＮと許可情報２とを対応付けて記憶することにより、ＵＥ１０に対して、Ｈ−ＰＬＭＮに接続する基地局が送信するＲＡＮポリシーを利用できることを通知することができる。
【０１６３】
ここで、ＡＮＤＳＦ２０は、許可情報２を、ＡＮＤＳＦポリシーと対応付けて記憶してもよい。さらに、ＡＮＤＳＦ２０は、ＡＮＤＳＦポリシー毎に異なる許可情報２を記憶してもよい。例えば、ＡＮＤＳＦポリシー１に対しては許可情報２を許可と記憶し、ＡＮＤＳＦポリシー２に対しては許可情報２を不許可と記憶してもよい。
【０１６４】
許可情報３は、ＵＥ１０が契約する移動通信事業者（Ｈｏｍｅ  Ｍｏｂｉｌｅ  Ｏｐｅｒａｔｏｒ）とは異なるローミング先の移動通信事業者（Ｖｉｓｉｔｅｄ  Ｍｏｂｉｌｅ  Ｏｐｅｒａｔｏｒ）から受信するＡＮＤＳＦポリシーを受信し、ＵＥ１０が受信したＡＮＤＳＦポリシーを用いた制御を行うことを許可する情報であってよい。例えば、受信したＡＮＤＳＦポリシーの情報を基に、ＵＥ１０がＵＥポリシー１４２を更新することを許可する情報であってよい。また、受信したＡＮＤＳＦポリシーを基に、ＵＥ１０が通信路を切り替えることを許可する情報であってもよい。
【０１６５】
ここで、ローミング先の移動通信事業者は、ＵＥ１０が契約する移動通信事業者と契約関係にある移動通信事業者であってよい。さらに、ＵＥ１０がローミング時に接続する移動通信事業者であってよい。また、移動通信事業者はＶ−ＰＬＭＮ（Ｖｉｓｉｔｅｄ−Ｐｕｂｌｉｃ  Ｌａｎｄ  Ｍｏｂｉｌｅ  Ｎｅｔｗｏｒｋ）として識別されるネットワークであってよい。
【０１６６】
なお、許可情報３は、オペレータポリシーを基に決定されてよい。例えば、通信事業者網の運用者によって設定または更新されてもよい。
【０１６７】
ここで、許可情報３は、ＰＬＭＮ  ＩＤなどの移動通信事業者を識別する情報と対応付けて記憶してもよい。さらに、許可情報３と移動通信事業者を識別する情報と対応付けてＵＥ１０に通知してもよい。これにより、ＵＥ１０に対して、特定のＶ−ＰＬＭＮのＡＮＤＳＦが送信するＡＮＳＤＦを利用可能か、もしくは利用できないかを記憶し、ＵＥ１０へ通知することができる。
【０１６８】
許可情報４は、ＵＥ１０がローミング先の移動通信事業者網（Ｖｉｓｉｔｅｄ  Ｏｐｅｒａｔｏｒ  Ｎｅｔｗｏｒｋ）に接続した際、ＵＥ１０が接続する基地局からＲＡＮポリシーを受信し、受信したＲＡＮポリシーを用いた制御を行うことを許可する情報であってよい。例えば、受信したＲＡＮポリシーの情報を基に、ＵＥポリシー１４２を更新することを許可する情報であってよい。また、受信したＲＡＮポリシーを基に、通信路を切り替えることを許可する情報であってもよい。
【０１６９】
なお、許可情報４は、オペレータポリシーを基に決定されてよい。例えば、通信事業者網の運用者によって設定または更新されてもよい。
【０１７０】
ここで、許可情報４は、ＰＬＭＮ  ＩＤなどの移動通信事業者を識別する情報と対応付けて記憶してもよく、許可情報４と移動通信事業者を識別する情報と対応付けてＵＥ１０に通知してもよい。これにより、ＡＮＤＳＦ２０は、特定のＶ−ＰＬＭＮを識別するＰＬＭＮと許可情報４とを対応付けて記憶することにより、ＵＥ１０に対して、特定のＶ−ＰＬＭＮに接続する基地局が送信するＲＡＮポリシーを利用できることを通知することができる。
【０１７１】
また、ＡＮＤＳＦ２０は、許可情報４を、ＡＮＤＳＦポリシーと対応付けて記憶してもよい。さらに、ＡＮＤＳＦ２０は、ＡＮＤＳＦポリシー毎に異なる許可情報４を記憶してもよい。例えば、ＡＮＤＳＦポリシー１に対しては許可情報４を許可と記憶し、ＡＮＤＳＦポリシー２に対しては許可情報４を不許可と記憶してもよい。
【０１７２】
許可情報５は、ＵＥ１０がローミング先の移動通信事業者（Ｖｉｓｉｔｅｄ  Ｍｏｂｉｌｅ  Ｏｐｅｒａｔｏｒ）が送信する許可情報４受信し、許可情報４を用いて制御を行うことを許可する情報であってよい。もしくは、ローミング先の移動通信事業者（Ｖｉｓｉｔｅｄ  Ｍｏｂｉｌｅ  Ｏｐｅｒａｔｏｒ）が送信する許可情報４を基に、ＲＡＮポリシーを使用することを用いた制御を許可する情報であってよい。
【０１７３】
なお、許可情報５は、オペレータポリシーを基に決定されてよい。例えば、通信事業者網の運用者によって設定または更新されてもよい。
【０１７４】
ここで、許可情報５は、ＰＬＭＮ  ＩＤなどの移動通信事業者を識別する情報と対応付けて記憶してもよく、許可情報２と移動通信事業者を識別する情報と対応付けてＵＥ１０に通知してもよい。これにより、ＡＮＤＳＦ２０は、特定のＶ−ＰＬＭＮを識別するＰＬＭＮと許可情報５とを対応付けて記憶することにより、ＵＥ１０に対して、特定のＶ−ＰＬＭＮのＡＮＤＳＦ２が送信する許可情報４を基に制御を行うことができるか否かを通知することができる。
【０１７５】
また、ＡＮＤＳＦ２０は、許可情報５を、ＡＮＤＳＦポリシーと対応付けて記憶してもよい。さらに、ＡＮＤＳＦ２０は、ＡＮＤＳＦポリシー毎に異なる許可情報５を記憶してもよい。例えば、ＡＮＤＳＦポリシー１に対しては許可情報５を許可と記憶し、ＡＮＤＳＦポリシー２に対しては許可情報５を不許可と記憶してもよい。
【０１７６】
ＡＮＤＳＦ２０は、以上説明した許可情報１から許可情報５の許可情報を必ずしもすべて記憶する必要はなく、一部の許可情報を記憶してもよい。また、許可情報１から許可情報５は異なる許可情報として説明したが、一部もしくはすべての許可情報を、それぞれの許可情報のもつ意味を含んだ一つの許可情報として記憶してもよい。例えば、許可情報１と許可情報２を一つの許可情報として記憶し、さらに、許可情報３、許可情報４、許可情報５を一つ許可情報として記憶してもよい。
【０１７７】
また、ＵＥ１０が契約する通信事業者網のＨ−ＰＬＭＮにおいて運用されるＡＮＤＳＦは、すくなくとも許可情報１から許可情報５の一部を記憶してもよい。
【０１７８】
また、ローミング先の移動通信事業者網のＶ−ＰＬＭＮにおいて運用されるＡＮＤＳＦは、すくなくとも許可情報３または許可情報４の一部を記憶してもよい。
【０１７９】
［１．２．３  ｅＮＢの構成例］
図７（ａ）にｅＮＢ４５の構成例を示す。ｅＮＢ４５では、制御部４５００に、ＬＴＥインタフェース部４５１０とＩＰ移動通信ネットワークインタフェース部４５２０と、記憶部４５４０とがバスを介して接続されている。
【０１８０】
制御部４５００は、ｅＮＢ４５を制御するための機能部である。制御部４５００は、記憶部４５４０に記憶されている各種プログラムを読み出して実行することにより各種処理を実現する。
【０１８１】
ＬＴＥインタフェース部４５１０は、ｅＮＢ４５がＩＰ移動通信ネットワーク５Ａから送信されたデータをＵＥ１０へ送信し、ＵＥ１０から送信されたデータをＩＰ移動通信ネットワーク５Ａへ転送するための機能部である。また、ＬＴＥインタフェース部４５１０には、外部アンテナ４５１２が接続されている。
【０１８２】
ＩＰ移動通信ネットワークインタフェース部４５２０は、ｅＮＢ４５がＩＰ移動通信ネットワーク５Ａに接続するための機能部である。
【０１８３】
記憶部４５４０は、ｅＮＢ４５の各種動作に必要なプログラム、データ等を記憶する機能部である。さらに、記憶部４５４０には、ＲＡＮポリシー４５４２が記憶されている。
【０１８４】
図７（ｂ）にＲＡＮポリシー４５４２の例を示す。図７（ｂ）では、アクセスネットワーク情報、スレッショールド２やＯＰＩ２が含まれる。アクセスネットワーク情報とは、アクセスネットワークを識別する情報が含まれ、例えば、ＬＴＥやＷＬＡＮを識別する情報が含まれる。また、スレッショールド２には、ＵＥ１０がＬＴＥ基地局装置との受信状態により切り替えを決定するための情報が含まれ、例えば、ＲＳＲＰ２やＲＳＲＱ２、ＢＳＳロードエレメント２、ＷＬＡＮ  ＤＬアンドＵＬバックホールデータレート２が含まれる。ＯＰＩ２は、ＡＮＤＳＦポリシーまたはＲＡＮポリシーを実行することを決定するための値である。
【０１８５】
なお、ＯＰＩ１とＯＰＩ２の値を比較して、ＡＮＤＳＦポリシー２４２に含まれるスレッショールド１とＲＡＮポリシー４５４２に含まれるスレッショールド２のうちのいずれかを優先してスレッショールドの情報として利用してアクセスネットワークの切り替えの決定に利用して良い。
【０１８６】
［１．２．４  ＭＭＥの構成例］
続いて、本実施形態におけるＭＭＥ４０の構成を図６（ａ）に示す。ＭＭＥ４０では、制御部４００に、ＩＰ移動通信ネットワークインタフェース部４２０と、記憶部４４０とがバスを介して接続されている。
【０１８７】
制御部４００は、ＭＭＥ４０を制御するための機能部である。制御部４００は、記憶部４４０に記憶されている各種プログラムを読み出して実行することにより各種処理を実現する。
【０１８８】
ＩＰ移動通信ネットワークインタフェース部４２０は、ＭＭＥ４０がＩＰ移動通信ネットワーク５Ａに接続するための機能部である。
【０１８９】
記憶部４４０は、ＭＭＥ４０の各種動作に必要なプログラム、データ等を記憶する機能部である。さらに、記憶部４４０には、許可情報４４２が記憶されている。
【０１９０】
図８（ｂ）に許可情報４４２の例を示す。許可情報１はＵＥ１０のユーザが契約する移動通信事業者のネットワーク（Ｈ−ＰＬＭＮ）において、ＵＥポリシー１４２に含まれるＡＮＤＳＦポリシーとＲＡＮポリシーを利用して、アクセスネットワークを切り替えることを許可することを示す許可情報である。なお、許可情報１は、Ｈ−ＰＬＭＮのＡＮＤＳＦ２０から送信されたＡＮＤＳＦポリシー２４２を受信してＵＥポリシー１４２に書き換えることを許可する情報であっても良い。さらに、許可情報１は、Ｈ−ＰＬＭＮのｅＮＢ４５から送信されたＲＡＮポリシーを受信してＵＥポリシー１４２に書き換えることを許可する情報であっても良い。
【０１９１】
一方、許可情報２はＵＥ１０のユーザがローミング先の移動通信事業者のネットワーク（Ｖ−ＰＬＭＮ）において、ＵＥポリシー１４２に含まれるＡＮＤＳＦポリシーとＲＡＮポリシーを利用して、アクセスネットワークを切り替えることを許可することを示す許可情報である。なお、許可情報２は、Ｖ−ＰＬＭＮのＡＮＤＳＦ２０から送信されたＡＮＤＳＦポリシー２４２を受信してＵＥポリシー１４２に書き換えることを許可する情報であっても良い。さらに、許可情報２は、Ｖ−ＰＬＭＮのｅＮＢ４５から送信されたＲＡＮポリシーを受信してＵＥポリシー１４２に書き換えることを許可する情報であっても良い。
【０１９２】
また、許可情報２は、Ｈ−ＰＬＭＮのＡＮＤＳＦ２０から送信されたＡＮＤＳＦポリシー２４２を受信してＵＥポリシー１４２に書き換えることを許可する情報であっても良い。
【０１９３】
なお、ＰＧＷ３０と、ＳＧＷ３５と、ＨＳＳ５０と、ＡＡＡ５５と、ＰＣＲＦ６０と、ｅＰＤＧ６５と、ＷＬＡＮ７０ａと、ＷＬＡＮ７０ｂについては、ＥＰＳを利用した移動通信システムにおける従来の装置と同様に構成されるため、その詳細な説明を省略する。
【０１９４】
［１．３  処理の説明］
本実施形態では、ＵＥ１０がＵＥポリシー１４２を用いて通信路を切り替える手続きを説明する。
【０１９５】
［１．３．１  タイプ２のポリシーを用いた制御手続き］
本例では、ＵＥ１０が  図５（ｂ）ポリシーの例２で示したタイプ２のＡＮＤＳＦポリシーとＲＡＮポリシーを用いて通信路を切り替える例を説明する。
【０１９６】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【０１９７】
［１．３．１．１  ＬＴＥアタッチ手続き］
ＵＥ１０は、ＬＴＥのアクセスシステム（ＬＴＥ＿ＡＮ８０）を経由した通信路を確立するＬＴＥアタッチ手続きを、図１１を用いて説明する。ＵＥ１０は、ＬＴＥアタッチ手続きを実行し、コアネットワーク７に接続し、ＬＴＥを経由した通信路を確立する。
【０１９８】
以下、アタッチ手続きの詳細を、図１１を用いて説明する。
【０１９９】
ＵＥ１０は、アタッチ要求をｅＮＢ４５に送信し、アタッチ手続きを開始する（Ｓ１１０２）。アタッチ手続きは、ユーザによってＵＥ１０の電源がＯＮにされるなどの初期手続きとして実行してもよい。
【０２００】
また、ＵＥ１０は、アタッチ要求メッセージにＵＥ１０を識別する識別情報と、ＡＰＮを含めて送信してもよい。
【０２０１】
ＵＥ１０は、ＡＰＮにより、接続先のＰＤＮ９を特定することができる。言い換えるとＵＥ１０はＡＰＮを送信することにより、接続先のＰＤＮを指定してもよい。また、ＡＰＮにより、ＰＧＷ４０を指定してもよい。
【０２０２】
また、ＵＥ１０は、アタッチ要求の送信により、コアネットワーク９への接続を要求してもよい、また、ＵＥ１０は、アタッチ要求の送信により、ＰＧＷ９への通信路を確立することを要求してもよい。また、ＵＥ１０は、アタッチ要求の送信により、確立された通信路を用いた通信に使用するＵＥ１０のＩＰアドレスを要求してもよい。また、ＵＥ１０は、アタッチ要求の送信により、ＰＧＷとの間のＰＤＮコネクションの確立を要求してもよい。
【０２０３】
ｅＮＢ４５は、ＵＥ１０からアタッチ要求を受信する。さらに、アタッチ要求メッセージに含まれるＵＥの識別情報と、ＡＰＮとを受信してもよい。さらに、ｅＮＢ４５は、ＭＭＥ３０へアタッチ要求を送信する（Ｓ１１０４）。
【０２０４】
ＭＭＥ３０は、ｅＮＢ４５の送信するアタッチ要求を受信する。ＭＭＥ３０は、アタッチ要求に含まれるＵＥの識別情報とＡＰＮを受信してもよい。
【０２０５】
もしくは、ＭＭＥ３０は、ＡＰＮを必ずしもアタッチ要求メッセージを基に受信する必要はない。ＵＥ１０がアタッチ要求メッセージを送信してアタッチ手続きが開始され、通信路を確立してアタッチ手続きを完了するまでの間、アタッチ手続き内でＵＥ１０がＭＭＥ３０に送信する制御情報に含めて送信してもよい。ＭＭＥ３０は、これによりＡＰＮを受信してもよい。
【０２０６】
ＭＭＥ３０は、受信したＡＰＮに基づいて、ＳＧＷ３５と、ＰＧＷ４０とを決定する。
これにより、ＵＥ１０とＰＤＮ９との間の通信路における中継装置であるゲートウェイを決定する。
【０２０７】
ＭＭＥ３０は、セッション確立要求をＳＧＷ３５に送信する（Ｓ１１０６）。ＭＭＥ３０は、セッション確立要求に、ＵＥの識別情報、ＰＧＷ４０を識別する情報を含めて送信してもよい。なお、ＭＭＥ３０は、セッション確立要求の送信により、ＵＥ１０とＰＧＷ４０との間のＰＤＮコネクションの確立を要求してもよい。
【０２０８】
ＳＧＷ３５は、ＭＭＥ３０からセッション確立要求を受信する。ＳＧＷ３５は、セッション確立要求に含まれるＵＥの識別情報と、ＰＧＷの識別情報を受信してもよい。
【０２０９】
さらに、ＳＧＷＥ３５は、ＰＧＷ４０にセッション確立要求を送信する（Ｓ１１０８）。ＳＧＷ３５は、セッション確立要求に、ＵＥの識別情報、ＰＧＷ４０を識別する情報を含めて送信してもよい。なお、ＳＧＷ３５は、セッション確立要求の送信により、ＵＥ１０とＰＧＷ４０との間のＰＤＮコネクションの確立を要求してもよい。
【０２１０】
ＰＧＷ４０は、ＳＧＷ３５の送信するセッション確立要求を受信する。ＰＧＷ４０は、セッション確立要求に含まれるＵＥの識別情報を受信してもよい。
【０２１１】
ＰＧＷ４０は、セッション確立要求の受信に基づいて、ＵＥ１０に対してＩＰアドレスを割り当ててもよい。
【０２１２】
ＰＧＷ４０は、セッション確立要求に対する応答メッセージとして、セッション確立応答メッセージをＳＧＷ３５に送信する（Ｓ１１１０）。ＰＧＷ４０は、セッション確立応答メッセージに、ＵＥの識別情報、ＵＥに割り当てたＩＰアドレスを含めて送信してもよい。
【０２１３】
次に、ＳＧＷ３５は、ＰＧＷ４０が送信するセッション確立応答メッセージを受信する。ＳＧＷは、セッション確立応答により、ＵＥの識別情報、ＵＥに割り当てたＩＰアドレスを受信してもよい。
【０２１４】
ここで、ＳＧＷ３５とＰＧＷ４０は、セッション確立要求とセッション確立応答の送信により、ＳＧＷ３５とＰＧＷ４０との間にＵＥ１０のユーザデータを配送する通信路を確立してもよい。なお、この通信路はＧＴＰプロトコルによって確立されたＧＴＰトンネルであってよい。もしくは、この通信路はＰＭＩＰプロトコルによって確立されたＰＭＩＰトンネルであってもよい。
【０２１５】
また、ＧＴＰトンネルを確立するか、ＰＭＩＰトンネルを確立するかは、オペレータポリシーによって決定されてよい。また、ＧＴＰトンネルを確立するか、ＰＭＩＰトンネルを確立するかは、ＳＧＷ３５の送信するセッション確立要求によって識別されてもよい。
より具体的には、ＰＭＩＰトンネルを確立する場合には、ＳＧＷ３５は、セッション確立要求メッセージとして、ＰＭＩＰプロトコルに基づくバインディング要求メッセージを送信してもよい。また、ＰＧＷ４０は、セッション確立応答メッセージとして、ＰＭＩＰプロトコルに基づくバインディング応答メッセージを送信してもよい。このように、セッション要求メッセージおよびセッション応答メッセージが、ＧＴＰプロコルに基づくか、ＰＭＩＰプロトコルに基づくかによって、ＳＧＷ３５およびＰＧＷ４０は、ＧＴＰトンネルを確立するか、ＰＭＩＰトンネルを確立するかを決定してもよい。
【０２１６】
また、ＰＧＷ４０は、通信路の確立に伴い、ＰＤＮ９への接続性も併せて確立する。
次に、ＳＧＷ３０は、ＭＭＥ３０から受信したセッション確立要求に対する応答として、セッション確立応答メッセージをＭＭＥ３０に送信する（Ｓ１１１２）。ＰＧＷ４０は、セッション確立応答メッセージに、ＵＥの識別情報、ＵＥに割り当てたＩＰアドレスを含めて送信してもよい。
【０２１７】
次に、ＭＭＥ３０は、ＳＧＷ３５が送信するセッション確立応答メッセージを受信する（Ｓ１１１２）。さらに、ＭＭＥ３０は、セッション確立応答メッセージに含まれるＵＥの識別情報と、ＵＥに割り当てられたＩＰアドレスを受信してもよい。
【０２１８】
ＭＭＥ３０は、ｅＮＢ４５が送信するアタッチ要求メッセージに対する応答メッセージとして、アタッチ受託メッセージをｅＮＢ４５に送信する（Ｓ１１１４）。アタッチ受託メッセージには、ＵＥの識別情報と、ＵＥに割り当てたＩＰアドレスと、接続するＡＰＮを識別する情報とを含めて送信してもよい。
【０２１９】
ここで、ＵＥに割り当てたＩＰアドレスは、ＰＧＷ４０が割り当てたＩＰアドレスであってもよいし、ＭＭＥ３０が割り当てたＩＰアドレスを含めてもよい。
【０２２０】
また、アタッチ受託メッセージは、初期コンテキスト設定要求メッセージに含めて送信してもよい。さらに、すくなくとも、ＵＥの識別情報と、ＵＥに割り当てたＩＰアドレスと、接続するＡＰＮを識別する情報の一部は、初期コンテキスト設定要求メッセージの情報要素として送信してもよい。
【０２２１】
次に、ｅＮＢ４５は、アタッチ受託メッセージを受信する。ｅＮＢは、アタッチ受託メッセージに含まれる、ＵＥの識別情報と、ＵＥに割り当てたＩＰアドレスと、接続するＡＰＮを識別する情報とを受信してもよい。
【０２２２】
また、ｅＮＢ４５は、アタッチ受託メッセージが含まれる初期コンテキスト設定要求メッセージを受信してもよい。さらに、すくなくとも、ＵＥの識別情報と、ＵＥに割り当てたＩＰアドレスと、接続するＡＰＮを識別する情報の一部は、初期コンテキスト設定要求メッセージの情報要素として受信してもよい。
【０２２３】
これらの受信に基づいて、ｅＮＢ４５は、ＵＥ１０との間に確立する無銭通信路のリソースを割り当ててもよい。
【０２２４】
さらに、ｅＮＢ４５は、ＵＥ１０が送信するアタッチ要求の応答として、ＲＲＣ接続再設定メッセージをＵＥ１０に送信してもよい（Ｓ１１１６）。ＲＲＣ接続再設定メッセージには、ＵＥの識別情報、と、ＵＥに割り当てたＩＰアドレスと、接続するＡＰＮを識別する情報、さらにはリソースに関する情報などを含めて送信してもよい。
【０２２５】
ＵＥ１０は、ＲＲＣ接続再設定メッセージを受信する。ＵＥ１０は、ＲＲＣ接続再設定メッセージに含まれる、ＵＥの識別情報、と、ＵＥに割り当てたＩＰアドレスと、接続するＡＰＮを識別する情報、さらにはリソースに関する情報を受信してもよい。
【０２２６】
これにより、ＵＥ１０はＡＰＮに対する接続性が確立されたことを検出してもよい。さらに、ＵＥ１０は、ＡＰＮに対応する通信を行うための通信路が確立されたことを検出してもよい。また、ＵＥ１０は、ＡＰＮに対応する通信を行うための通信路を用いた通信に使用するＩＰアドレスを取得してもよい。
【０２２７】
次に、ＵＥ１０は、ＲＲＣ接続再設定完了メッセージをｅＮＢ４５に送信する（Ｓ１１１８）。さらに、直接転送メッセージをｅＮＢ４５に送信する（Ｓ１１２２）。
【０２２８】
ｅＮＢ４５は、ＲＲＣ接続再設定完了メッセージの受信にともない、初期コンテキスト設定応答メッセージをＭＭＥ３０に送信する（Ｓ１１２０）。また、ｅＮＢ４５は、直接転送メッセージの受信に伴い、アタッチ完了メッセージをＭＭＥ３０に送信する（Ｓ１１２４）。
【０２２９】
ＭＭＥ３０は、アタッチ完了メッセージの受信伴い、ベアラ変更要求をＳＧＷ３５に送信してもよい（Ｓ１１２６）。
【０２３０】
さらに、ＳＧＷ３５は、ベアラ変更要求の受信に伴い、ベアラ変更応答メッセージをＭＭＥ３０に送信してもよい（Ｓ１１２８）。
【０２３１】
以上のアタッチ手続きにより、ＵＥ１０とＰＧＷ４０は、ＰＤＮコネクションを確立してもよい。ＵＥ１０とＰＧＷ４０との間のＰＤＮコネクションは、ＬＴＥのアクセス網を介したＵＥ１０とＰＤＮ９との間の通信路であり、通信路は、ＰＧＷ４０とＰＤＮとの接続性と、ＳＧＷ３５とＰＧＷ４０との間の通信路、ＳＧＷとｅＮＢ４５との間の通信路と、ＵＥとｅＮＢ４５との間の無線リンクとで構成されてよい。ここで、ＳＧＷ３５とＰＧＷ４０との間のＰＭＩＰもしくはＧＴＰに基づくトンネルであってよい。また、ｅＮＢ４５とＳＧＷ３５との間の通信路はＧＴＰトンネルもしくはベアラ通信路であってよい。また、ｅＮＢ４５とＵＥ１０との間の無線リンクは、無線ベアラであってよい。
【０２３２】
さらに、各ノード間の通信路は、これまで説明したアタッチ手続きにおける制御メッセージの送受信によって確立されてよい。
【０２３３】
また、ＵＥ１０、ｅＮＢ４５、ＳＧＷ３５、ＰＧＷ４０の各ノードは、ＬＴＥのアクセス網を介したＵＥ１０とＰＧＷ４０との間の通信路を識別する情報と、通信を識別する情報とを対応付けて記憶してもよい。
【０２３４】
通信を識別する情報は、特定のフローや、特定のアプリケーションの通信を識別する情報であってよい。これにより、例えばＵＥは、特定のフローの通信を実行する際、対応付けた通信路を用いて送受信することができる。
【０２３５】
より具体的には、すくなくともパケットの送信元ＩＰアドレス、送信先ＩＰアドレス、送信元ポート番号、送信先ポート番号、プロトコル番号、アプリケーション名の一部を用いて識別することのできる識別情報であってよい。また、ＴＦＴ（Ｔｒａｆｆｉｃ  Ｆｌｏｗ  Ｔｅｍｐｌａｔｅ）などにより構成してもよい。
【０２３６】
なお、通信を識別する情報は、ＵＥ１０が生成し、アタッチ要求などのＵＥ１０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。
【０２３７】
また、通信を識別する情報は、ＭＭＥ３０が生成し、セッション確立要求などのＭＭＥ３０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。また、通信を識別する情報は、ＰＧＷ４０が生成し、セッション確立応答などのＰＧＷ４０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。これにより、ＵＥ１０、ｅＮＢ４５、ＭＭＥ３０、ＳＧＷ３５、ＰＧＷ４０の各ノードは通信路と、通信を識別する情報とを対応付けて記憶することができる。
【０２３８】
ＵＥ１０は以上のアタッチ手続きにより、ＬＴＥアクセスネットワークを経由した通信路を確立してコアネットワーク７に接続することができる。
【０２３９】
なお、ＵＥ１０は、アタッチ手続きにより、複数の通信路を確立してもよい。ＵＥ１０は、アタッチ要求やＭＭＥ３０に送信する制御メッセージに、複数のＡＰＮを含めて送信してもよい。これにより、ＵＥ１０は、アタッチ手続きの完了時に、ＡＰＮ毎に対応付けられた通信路を複数確立することができる。さらに、ＵＥ１０は、ＡＰＮ毎に対応付けられた通信路に対応する複数のＩＰアドレスを取得してもよい。
【０２４０】
また、ＬＴＥアクセスネットワークを経由した通信路を確立する手段は、アタッチ手続きに限らず、他の手続きを用いて確立してもよい。
【０２４１】
例えば、ＵＥ１０は、アタッチ手続きが完了した後、ＰＤＮコネクティビティ手続きを実行し、ＬＴＥアクセスネットワークを経由した通信路を確立してもよい。
【０２４２】
より具体的には、ＵＥ１０は、ＡＰＮを含めたＰＤＮコネクティビティ要求メッセージをＭＭＥ３０に送信し、ＰＤＮＰＤＮコネクティビティ手続きを開始してもよい。これにより、ＡＰＮに対するＴＥアクセスネットワークを経由した通信路の確立を要求してもよい。さらに、ＡＰＮに対するＴＥアクセスネットワークを経由した通信路を用いた通信に使用するＩＰアドレスを要求してもよい。
【０２４３】
ＭＭＥ３０は、ＰＤＮコネクティビティ要求に対する応答に、ＡＰＮとＩＰアドレスとを含めて送信してもよい。
【０２４４】
これにより、ＵＥ１０は、ＡＰＮに対するＴＥアクセスネットワークを経由した通信路の確立し、さらに、ＡＰＮに対するＴＥアクセスネットワークを経由した通信路を用いた通信に使用するＩＰアドレスを取得してもよい。
【０２４５】
また、ＰＤＮコネクティビティ手続きの詳細は３ＧＰＰの使用に定める使用に基づいて各装置で実行されてよい。
【０２４６】
［１．３．１．２  ＷＬＡＮ＿ＡＮａアタッチ手続き］
次に、ＵＥ１０がＷＬＡＮ＿ＡＮａ７０のアクセスシステムを介して通信路を確立するＷＬＡＮ＿ＡＮａアタッチ手続きを、図１２を用いて説明する。
【０２４７】
ＵＥ１０は、トリガーメッセージをＷＬＡＮ＿ＡＮａ７０に送信し、ＷＬＡＮ＿ＡＮａアタッチ手続きを開始する（Ｓ１２０２）。ＵＥ１０は、手続きを開始するトリガーとなるメッセージを任意のタイミングで送信してよい。例えば、ＵＥ１０の電源投入時であってもよいし、無線ＬＡＮのアクセスポイントを検出したタイミングでもよいし、ユーザや端末の設定を基に送信してもよい。
【０２４８】
ＵＥ１０は、トリガーを、ＥＡＰ（Ｅｘｔｅｎｓｉｂｌｅ  Ａｕｔｈｅｎｔｉｃａｔｉｏｎ  Ｐｒｏｔｏｃｏｌ）などの認証手続きに規定される制御メッセージなどのＬ２メッセージによって送信してもよい。
【０２４９】
もしくは、ＵＥ１０は、トリガーを、ＤＨＣＰやＷＬＣＰなどのプロトコルに準拠した制御メッセージによって送信してもよい。
【０２５０】
ＵＥ１０は、トリガーメッセージに、ＵＥ１０を識別する識別情報と、ＡＰＮを含めて送信してもよい。
【０２５１】
ＵＥ１０は、ＡＰＮにより、接続先のＰＤＮ９を特定することができる。言い換えるとＵＥ１０はＡＰＮを送信することにより、接続先のＰＤＮを指定してもよい。また、ＡＰＮにより、ＰＧＷ４０を指定してもよい。
【０２５２】
また、ＵＥ１０は、トリガーの送信により、コアネットワーク９への接続を要求してもよい。また、ＵＥ１０は、トリガーの送信により、ＰＧＷ９への通信路を確立することを要求してもよい。また、ＵＥ１０は、トリガーの送信により、確立された通信路を用いた通信に使用するＵＥ１０のＩＰアドレスを要求してもよい。また、ＵＥ１０は、トリガーにより、ＰＧＷとの間のＰＤＮコネクションの確立を要求してもよい。また、ＵＥ１０は、トリガーにより、ＰＧＷとの間のＰＤＮコネクションの確立や通信路のルーティングルールの更新を要求してもよい。
【０２５３】
また、ＵＥ１０は、トリガーの送信により、ＰＧＷ４０へ通信路を確立や、ルーティングルールの更新を要求する制御メッセージを送信することをＷＬＡＮ＿ＡＮａに対して要求してもよい。ここで、ＷＬＡＮ＿ＡＮａが送信する要求メッセージは、ＧＴＰプロトコルに基づいたセッション生成要求メッセージであってもよい。もしくは、ＰＭＩＰｖ６プロトコルに基づいたプロキシーバインディング要求メッセージであってもよい。
【０２５４】
次に、ＷＬＡＮ＿ＡＮａは、トリガーを受信する。さらに、ＷＬＡＮ＿ＡＮａはトリガーに含まれるＵＥを識別する識別情報と、ＡＰＮを受信してもよい。
【０２５５】
ＷＬＡＮ＿ＡＮａは、トリガーの受信に基づいて、通信路を確立する要求メッセージをＰＧＷ４０に送信する（Ｓ１２０４）。また、要求メッセージは、ＵＥを識別する識別情報と、ＡＰＮを含めてもよい。ＷＬＡＮ＿ＡＮａは、要求メッセージの送信により、ＷＬＡＮ＿ＡＮａとＰＧＷ４０との間にＵＥのユーザデータを配送するための通信路を確立することを要求してもよい。
【０２５６】
ここで、ＷＬＡＮ＿ＡＮａは、予め保持しているＡＰＮを含めて送信してもよい。また、ＷＬＡＮ＿ＡＮａはトリガーによりＵＥ１０からＡＰＮを受信しなかった場合には、予め保持しているＡＰＮを送信してもよい。また、予め保持しているＡＰＮは、通信事業者によって設定されたデフォルトＡＰＮなどであってよい。
【０２５７】
また、要求メッセージは、ＧＴＰプロトコルに基づいたセッション生成要求メッセージであってよい。もしくは、ＰＭＩＰｖ６プロトコルに基づいたプロキシーバインディング更新メッセージであってもよい。
【０２５８】
ＷＬＡＮ＿ＡＮａがセッション生成要求メッセージを用いて通信路確立要求を行うか、プロキシーバインディング更新メッセージを用いて通信路確立要求を行うかは、ＷＬＡＮ＿ＡＮａに予め設定されていてよい。また、こうした設定は、アクセスネットワーク事業者や、コアネットワーク運用事業者によって決定され、こうした決定に基づいて設定されてよい。また、この設定は、通信路確立要求を送信するＰＧＷ４０毎に異なる設定がなされてもよい。
【０２５９】
次に、ＰＧＷ４０とＰＣＲＦ６０は、ＩＰ−ＣＡＮセッションの変更手続きを開始する（Ｓ１２０６）。
【０２６０】
ＰＧＷ４０は、ＩＰ−ＣＡＮセッション変更手続きを開始し、ＰＣＲＦ６０とＩＰ−ＣＡＮセッションを確立する。ここでＩＰ−ＣＡＮセッションとは、ＰＧＷ４０とＷＬＡＮ＿ＡＮａとが確立するＵＥ１０のユーザデータ配送のための通信路を管理するためのセッションであってよい。さらに、管理情報には、アクセスシステムの情報や、ＱｏＳ情報などの通信路の特性情報が含まれてもよい。
【０２６１】
ＰＧＷ４０は、ＵＥを識別する識別情報や、ＡＰＮや、ＷＬＡＮ＿ＡＮａのアクセスシステムに関する情報などを含めてＩＰ−ＣＡＮセッション変更手続き内の制御メッセージをＰＣＲＦ６０に送信してもよい。
【０２６２】
ＰＣＲＦ６０は、ＵＥを識別する識別情報や、ＡＰＮや、ＷＬＡＮ＿ＡＮａのアクセスシステムに関する情報、通信路のＱｏＳ情報などを含めてＩＰ−ＣＡＮセッション変更手続き内の制御メッセージをＰＧＷ４０に送信してもよい。
【０２６３】
このように、ＰＧＷ４０は、ＩＰ−ＣＡＮセッション変更手続きを実行することにより、ＷＬＡＮ＿ＡＮａとの間の通信路のＱｏＳを決定してもよい。また、ＰＣＲＦ６０は、は、ＩＰ−ＣＡＮセッション変更手続きを実行することにより、ＷＬＡＮ＿ＡＮａとＰＧＷ４０との間の通信路のＱｏＳを決定し、ＰＧＷ４０に通知してもよい。
【０２６４】
また、ＰＧＷ４０は、ＵＥ１０のＩＰアドレスを割り当ててもよい。ＰＧＷ４０は、セッション生成要求の受信に基づいてＩＰアドレスの割り当ててよい。また、ＰＧＷ４０は、プロキシーバインディング更新メッセージの受信に基づいて、ＵＥ１０のＩＰアドレスを割り当ててもよい。
【０２６５】
また、ＰＧＷ４０は、ＰＧＷ４０のＩＰアドレスをＨＳＳ６０もしくはＡＡＡ６６に通知するためのＰＧＷアドレスの更新手続きを実行してもよい（Ｓ１２１０）。
【０２６６】
ＰＧＷ４０は、ＷＬＡＮ＿ＡＮａ７０が送信する要求に対する応答メッセージをＷＬＡＮ＿ＡＮａ７０に送信してもよい（Ｓ１２１２）。また、応答メッセージにはＵＥを識別する識別情報、ＡＰＮ、ＱｏＳ情報、ＵＥ１０に割り当てるＩＰアドレスなどを含めて送信してもよい。
【０２６７】
また、ＰＧＷ４０は、セッション生成要求メッセージを受信した場合には、応答するメッセージとしてセッション生成応答メッセージを送信してもよい。また、ＰＧＷ４０は、プロキシーバインディング更新を受信した場合には、応答するメッセージとしてプロキシーバインディング応答メッセージを送信してもよい。
【０２６８】
次に、ＷＬＡＮ＿ＡＮａ７０は、応答メッセージを受信する。ＷＬＡＮ＿ＡＮａとＰＧＷ４０は、要求メッセージおよび応答メッセージの送受信により、ＷＬＡＮ＿ＡＮ７０とＰＧＷ４０との間にＵＥ１０のユーザデータを配送する通信路の確立、もしくは更新を行うことができる。
【０２６９】
ここで、ＷＬＡＮ＿ＡＮａとＰＧＷ４０は、セッション生成要求とセッション生成応答を送受信した場合には、ＷＬＡＮ＿ＡＮ７０とＰＧＷ４０との間にＵＥ１０のユーザデータを配送する通信路として、ＧＴＰトンネルを確立してもよい。ここで、ＧＴＰトンネルとは、ＧＴＰプロトコルに基づいた転送路である。またＧＴＰトンネルは、ベアラＩＤで識別されるベアラ通信路であってよい。
【０２７０】
また、ＷＬＡＮ＿ＡＮａとＰＧＷ４０は、プロキシーバインディング更新とプロキシーバインディング応答を送受信した場合には、ＷＬＡＮ＿ＡＮ７０とＰＧＷ４０との間にＵＥ１０のユーザデータを配送する通信路として、ＰＭＩＰトンネルを確立してもよい。ここで、ＰＭＩＰトンネルとは、ＰＭＩＰプロトコルに基づいた転送路である。またＰＭＩＰトンネルは、ベアラＩＤで識別されるベアラ通信路であってよい。
【０２７１】
さらに、ＰＧＷ４０は、ＷＬＡＮ＿ＡＮａとの間の通信路の確立に加え、ＰＤＮ９との接続性を確立してもよい。
【０２７２】
また、ＷＬＡＮ＿ＡＮａ７０は、ＵＥ１０の送信するトリガーに対する応答として、トリガー応答メッセージをＵＥ１０に送信してもよい（Ｓ１２１４）。トリガー応答には、ＵＥの識別情報と、ＡＰＮと、ＵＥ１０に割り当てるＩＰアドレスを含めて送信してもよい。
【０２７３】
ＵＥ１０は、トリガー応答を受信する。さらに、トリガー応答に含まれるＵＥの識別情報と、ＡＰＮと、ＵＥ１０に割り当てるＩＰアドレスを取得してもよい。
【０２７４】
ＵＥ１０とＷＬＡＮ＿ＡＮａ７０は、トリガーおよびトリガー応答の送受信により、ＵＥ１０とＷＬＡＮ＿ＡＮａ７０との間の通信路を確立する。なお、この通信路は、ベアラＩＤで識別されるベアラ通信路であってよい。
【０２７５】
この通信路は、ＷＬＡＮ＿ＡＮａ７０とＰＧＷ４０との間で確立される通信路と接続されており、結果、ＵＥ１０は、ＰＧＷ４０との間に通信路を確立することができる。なおＵＥ１０およびＰＧＷ４０は、このＵＥ１０とＰＧＷ４０との間の通信路を、ＰＤＮコネクションとして管理してもよいし、ベアラＩＤなどを割り当て、ベアラ通信路として管理してもよい。
【０２７６】
ＵＥ１０は、ＰＧＷ４０との間の通信路に加え、ＰＧＷ４０によるＰＤＮ９への接続性により、ＰＤＮ９と接続することができる。
【０２７７】
また、ＵＥ１０、ＷＬＡＮ＿ＡＮａ、ＰＧＷ４０の各ノードは、ＷＬＡＮ＿ＡＮａのアクセス網を介したＵＥ１０とＰＧＷ４０との間の通信路を識別する情報と、通信を識別する情報とを対応付けて記憶してもよい。
【０２７８】
通信を識別する情報は、特定のフローや、特定のアプリケーションの通信を識別する情報であってよい。これにより、例えばＵＥは、特定のフローの通信を実行する際、対応付けた通信路を用いて送受信することができる。
【０２７９】
より具体的には、すくなくともパケットの送信元ＩＰアドレス、送信先ＩＰアドレス、送信元ポート番号、送信先ポート番号、プロトコル番号、アプリケーション名の一部を用いて識別することのできる識別情報であってよい。また、ＴＦＴ（Ｔｒａｆｆｉｃ  Ｆｌｏｗ  Ｔｅｍｐｌａｔｅ）などにより構成してもよい。
【０２８０】
なお、通信を識別する情報は、ＵＥ１０が生成し、トリガーメッセージなどのＵＥ１０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。
【０２８１】
また、通信を識別する情報は、ＰＧＷ４０が生成し、セッション確立応答などのＰＧＷ４０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。これにより、ＵＥ１０、ＷＬＡＮ＿ＡＮａ、ＰＧＷ４０の各ノードは通信路と、通信を識別する情報とを対応付けて記憶することができる。
【０２８２】
ＵＥ１０は、以上の手続きによりＷＬＡＮ＿ＡＮａアタッチ手続きを完了する。なお、これまで説明した手続きにおけるＷＬＡＮ＿ＡＮａによる処理、およびメッセージの送受信は、ＷＬＡＮ＿ＡＮａに構成されるＧＷ７４によって実行されてよい。
【０２８３】
［１．３．１．３  ＷＬＡＮ＿ＡＮｂアタッチ手続き］
次に、ＵＥ１０がＷＬＡＮ＿ＡＮｂ７５のアクセスシステムを介して通信路を確立するＷＬＡＮ＿ＡＮｂアタッチ手続きを、図１３を用いて説明する。
【０２８４】
まず、ＵＥ１０は、ｅＰＤＧ６５との間でセキュリティアソシエーションを確立する（Ｓ１３０２）。セキュリティアソシエーションは、ＩＫＥｖ２認証手続きを実行することにより確立してもよい。また、ＵＥ１０とｅＰＤＧ６５は、セキュリティアソシエーションの確立により、ＵＥ１０とｅＰＤＧ６５との間に、ＵＥ１０がユーザデータを送信するセキュアな通信路を確立してもよい。さらに、セキュアな通信路は、ＩＰＳｅｃトンネルであってよい。
【０２８５】
ＵＥ１０は、セキュリティアソシエーションを確立するための手続きを開始する。ＵＥ１０は、手続きを開始するトリガーとなるメッセージを任意のタイミングで送信してよい。例えば、ＵＥ１０の電源投入時であってもよいし、無線ＬＡＮのアクセスポイントを検出したタイミングでもよいし、ユーザや端末の設定を基に送信してもよい。また、トリガーとなるメッセージは、ＩＫＥｖ２認証手続きを開始する制御メッセージであってよい。
【０２８６】
なお、ＩＫＥｖ２認証手続きなどのセキュリティアソシエーションを確立するための手続きのための制御メッセージの送受信は、ＷＬＡＮ＿ＡＮｂを介して送受信されてよい。
【０２８７】
また、ＵＥ１０は、トリガーとなるメッセージに、ＵＥ１０を識別する識別情報と、ＡＰＮを含めて送信してもよい。
【０２８８】
ＵＥ１０は、ＡＰＮにより、接続先のＰＤＮ９を特定することができる。言い換えるとＵＥ１０はＡＰＮを送信することにより、接続先のＰＤＮ９を指定してもよい。また、ＡＰＮにより、ＰＧＷ４０を指定してもよい。
【０２８９】
また、ＵＥ１０は、トリガーの送信により、コアネットワーク９への接続を要求してもよい。また、ＵＥ１０は、トリガーの送信により、ＰＧＷ９への通信路を確立することを要求してもよい。また、ＵＥ１０は、トリガーの送信により、確立された通信路を用いた通信に使用するＵＥ１０のＩＰアドレスを要求してもよい。また、ＵＥ１０は、トリガーにより、ＰＧＷとの間のＰＤＮコネクションの確立を要求してもよい。また、ＵＥ１０は、トリガーにより、ＰＧＷとの間のＰＤＮコネクションの確立や通信路のルーティングルールの更新を要求してもよい。
【０２９０】
また、ＵＥ１０は、トリガーの送信により、ＰＧＷ４０へ通信路を確立や、ルーティングルールの更新を要求する制御メッセージを送信することをｅＰＤＧ６５に対して要求してもよい。ここで、ｅＰＤＧ６５が送信する要求メッセージは、ＧＴＰプロトコルに基づいたセッション生成要求メッセージであってもよい。もしくは、ＰＭＩＰｖ６プロトコルに基づいたプロキシーバインディング要求メッセージであってもよい。
【０２９１】
次に、ｅＰＤＧ６４は、ＵＥ１０が送信するトリガーとなる制御メッセージを受信する。さらに、ｅＰＤＧ６５は制御メッセージに含まれるＵＥを識別する識別情報と、ＡＰＮを受信してもよい。
【０２９２】
ここで、ｅＰＧＤ６５は、ＨＳＳ５０もしくはＡＡＡ５５に対してＵＥ１０の接続に対する認証や承認を要求してもよい。さらに、ＨＳＳ５０またはＡＡＡ５５は、要求にもとづいて、認証や承認を行い、接続の可否をｅＰＤＧ６５に応答してもよい。
【０２９３】
ｅＰＤＧ６５は、ＵＥ１０からのトリガーの受信に基づいて、通信路を確立する要求メッセージをＰＧＷ４０に送信する（Ｓ１３０４）。なお、ｅＰＤＧ６５は、ＨＳＳ５０もしくはＡＡＡ５５による認証結果に基づいて、通信路を確立うる要求メッセージを送信するか否かを決定してもよい。
【０２９４】
また、要求メッセージは、ＵＥを識別する識別情報と、ＡＰＮを含めてもよい。ｅＰＤＧ６５は、要求メッセージの送信により、ｅＰＤＧ６５とＰＧＷ４０との間にＵＥのユーザデータを配送するための通信路を確立することを要求してもよい。
【０２９５】
ここで、ｅＰＤＧ６５は、予め保持しているＡＰＮを含めて送信してもよい。また、ｅＰＤＧ６５はトリガーによりＵＥ１０からＡＰＮを受信しなかった場合には、予め保持しているＡＰＮを送信してもよい。また、予め保持しているＡＰＮは、通信事業者によって設定されたデフォルトＡＰＮなどであってよい。
【０２９６】
また、要求メッセージは、ＧＴＰプロトコルに基づいたセッション生成要求メッセージであってよい。もしくは、ＰＭＩＰｖ６プロトコルに基づいたプロキシーバインディング更新メッセージであってもよい。
【０２９７】
ｅＰＤＧ６５がセッション生成要求メッセージを用いて通信路確立要求を行うか、プロキシーバインディング更新メッセージを用いて通信路確立要求を行うかは、ｅＰＤＧ６５に予め設定されていてよい。また、こうした設定は、アクセスネットワーク事業者や、コアネットワーク運用事業者によって決定され、こうした決定に基づいて設定されてよい。また、この設定は、通信路確立要求を送信するＰＧＷ４０毎に異なる設定がなされてもよい。
【０２９８】
次に、ＰＧＷ４０とＰＣＲＦ６０は、ＩＰ−ＣＡＮセッションの変更手続きを開始する（Ｓ１３０６）。
【０２９９】
ＰＧＷ４０は、ＩＰ−ＣＡＮセッション変更手続きを開始し、ＰＣＲＦ６０とＩＰ−ＣＡＮセッションを確立する。ここでＩＰ−ＣＡＮセッションとは、ＰＧＷ４０とｅＰＤＧ６５とが確立するＵＥ１０のユーザデータ配送のための通信路を管理するためのセッションであってよい。さらに、管理情報には、アクセスシステムの情報や、ＱｏＳ情報などの通信路の特性情報が含まれてもよい。
【０３００】
ＰＧＷ４０は、ＵＥを識別する識別情報や、ＡＰＮや、ＷＬＡＮ＿ＡＮｂのアクセスシステムに関する情報などを含めてＩＰ−ＣＡＮセッション変更手続き内の制御メッセージをＰＣＲＦ６０に送信してもよい。
【０３０１】
ＰＣＲＦ６０は、ＵＥを識別する識別情報や、ＡＰＮや、ＷＬＡＮ＿ＡＮｂのアクセスシステムに関する情報、通信路のＱｏＳ情報などを含めてＩＰ−ＣＡＮセッション変更手続き内の制御メッセージをＰＧＷ４０に送信してもよい。
【０３０２】
このように、ＰＧＷ４０は、ＩＰ−ＣＡＮセッション変更手続きを実行することにより、ｅＰＤＧ６５との間の通信路のＱｏＳを決定してもよい。また、ＰＣＲＦ６０は、は、ＩＰ−ＣＡＮセッション変更手続きを実行することにより、ｅＰＤＧ６５とＰＧＷ４０との間の通信路のＱｏＳを決定し、ＰＧＷ４０に通知してもよい。
【０３０３】
また、ＰＧＷ４０は、ＵＥ１０のＩＰアドレスを割り当ててもよい。ＰＧＷ４０は、セッション生成要求の受信に基づいてＩＰアドレスの割り当ててよい。また、ＰＧＷ４０は、プロキシーバインディング更新メッセージの受信に基づいて、ＵＥ１０のＩＰアドレスを割り当ててもよい。
【０３０４】
また、ＰＧＷ４０は、ＰＧＷ４０のＩＰアドレスをＨＳＳ６０もしくはＡＡＡ６６に通知するためのＰＧＷアドレスの更新手続きを実行してもよい（Ｓ１３０８）。
【０３０５】
ＰＧＷ４０は、ｅＰＤＧ６５が送信する要求に対する応答メッセージをｅＰＤＧ６５に送信してもよい（Ｓ１３１０）。また、応答メッセージにはＵＥを識別する識別情報、ＡＰＮ、ＱｏＳ情報、ＵＥ１０に割り当てるＩＰアドレスなどを含めて送信してもよい。
【０３０６】
また、ＰＧＷ４０は、セッション生成要求メッセージを受信した場合には、応答するメッセージとしてセッション生成応答メッセージを送信してもよい。また、ＰＧＷ４０は、プロキシーバインディング更新を受信した場合には、応答するメッセージとしてプロキシーバインディング応答メッセージを送信してもよい。
【０３０７】
次に、ｅＰＤＧ６５は、応答メッセージを受信する。ｅＰＤＧ６５とＰＧＷ４０は、要求メッセージおよび応答メッセージの送受信により、ｅＰＤＧ６５とＰＧＷ４０との間にＵＥ１０のユーザデータを配送する通信路の確立、もしくは更新を行うことができる。
【０３０８】
ここで、ｅＰＤＧ６５とＰＧＷ４０は、セッション生成要求とセッション生成応答を送受信した場合には、ｅＰＤＧ６５とＰＧＷ４０との間にＵＥ１０のユーザデータを配送する通信路として、ＧＴＰトンネルを確立してもよい。ここで、ＧＴＰトンネルとは、ＧＴＰプロトコルに基づいた転送路である。またＧＴＰトンネルは、ベアラＩＤで識別されるベアラ通信路であってよい。
【０３０９】
また、ｅＰＤＧ６５とＰＧＷ４０は、プロキシーバインディング更新とプロキシーバインディング応答を送受信した場合には、ｅＰＤＧ６５とＰＧＷ４０との間にＵＥ１０のユーザデータを配送する通信路として、ＰＭＩＰトンネルを確立してもよい。ここで、ＰＭＩＰトンネルとは、ＰＭＩＰプロトコルに基づいた転送路である。またＰＭＩＰトンネルは、ベアラＩＤで識別されるベアラ通信路であってよい。
【０３１０】
さらに、ＰＧＷ４０は、ＥＰＤＧ６５との間の通信路の確立に加え、ＰＤＮ９との接続性を確立してもよい。
【０３１１】
また、ｅＰＤＧ６５は、ＵＥ１０の送信するトリガーに対する応答として、トリガー応答メッセージをＵＥ１０に送信してもよい（Ｓ１３１２）。トリガー応答には、ＵＥの識別情報と、ＡＰＮと、ＵＥ１０に割り当てるＩＰアドレスを含めて送信してもよい。
【０３１２】
ＵＥ１０は、トリガー応答を受信する。さらに、トリガー応答に含まれるＵＥの識別情報と、ＡＰＮと、ＵＥ１０に割り当てるＩＰアドレスを取得してもよい。なお、応答メッセージは、ＩＫＥｖ２応答メッセージであってよい。
【０３１３】
ＵＥ１０とｅＰＤＧ６５は、トリガーおよびトリガー応答の送受信により、ＵＥ１０とＥＰＤＧ６５との間の通信路を確立する。なお、この通信路はＩＰＳｅｃトンネルであってもよい。さらに、ベアラＩＤで識別されるベアラ通信路であってよい。
【０３１４】
この通信路は、ｅＰＤＧ６５とＰＧＷ４０との間で確立される通信路と接続されており、結果、ＵＥ１０は、ＰＧＷ４０との間に通信路を確立することができる。なおＵＥ１０およびＰＧＷ４０は、このＵＥ１０とＰＧＷ４０との間の通信路を、ＰＤＮコネクションとして管理してもよいし、ベアラＩＤなどを割り当て、ベアラ通信路として管理してもよい。
【０３１５】
ＵＥ１０は、ＰＧＷ４０との間の通信路に加え、ＰＧＷ４０によるＰＤＮ９への接続性により、ＰＤＮ９と接続することができる。
【０３１６】
また、ＵＥ１０、ｅＰＤＧ６５、ＰＧＷ４０の各ノードは、ＷＬＡＮ＿ＡＮｂ７５のアクセス網を介したＵＥ１０とＰＧＷ４０との間の通信路を識別する情報と、通信を識別する情報とを対応付けて記憶してもよい。
【０３１７】
通信を識別する情報は、特定のフローや、特定のアプリケーションの通信を識別する情報であってよい。これにより、例えばＵＥは、特定のフローの通信を実行する際、対応付けた通信路を用いて送受信することができる。
【０３１８】
より具体的には、すくなくともパケットの送信元ＩＰアドレス、送信先ＩＰアドレス、送信元ポート番号、送信先ポート番号、プロトコル番号、アプリケーション名の一部を用いて識別することのできる識別情報であってよい。また、ＴＦＴ（Ｔｒａｆｆｉｃ  Ｆｌｏｗ  Ｔｅｍｐｌａｔｅ）などにより構成してもよい。
【０３１９】
なお、通信を識別する情報は、ＵＥ１０が生成し、トリガーメッセージなどのＵＥ１０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。
【０３２０】
また、通信を識別する情報は、ＰＧＷ４０が生成し、セッション確立応答などのＰＧＷ４０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。これにより、ＵＥ１０、ｅＰＤＧ６５、ＰＧＷ４０の各ノードは通信路と、通信を識別する情報とを対応付けて記憶することができる。
【０３２１】
ＵＥ１０は、以上の手続きによりＷＬＡＮ＿ＡＮｂ７５アタッチ手続きを完了する。
【０３２２】
［１．３．１．４  ＤＳＭＩＰを用いたアタッチ手続き］
次に、ＵＥ１０がＤＳＭＩＰｖ６プロトコルを用いたアタッチ手続きを、図１３を用いて説明する。このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【０３２３】
以下では、ＵＥ１０がＷＬＡＮ＿ＡＮｂ７５を介した通信路を確立する手続き例を説明する。
【０３２４】
まず、ＵＥ１０は、ｅＰＤＧ６５との間でセキュリティアソシエーションを確立する（Ｓ１４０２）。セキュリティアソシエーションは、ＩＫＥｖ２認証手続きを実行することにより確立してもよい。また、ＵＥ１０とｅＰＤＧ６５は、セキュリティアソシエーションの確立により、ＵＥ１０とｅＰＤＧ６５との間に、ＵＥ１０がユーザデータを送信するセキュアな通信路を確立してもよい。さらに、セキュアな通信路は、ＩＰＳｅｃトンネルであってよい。
【０３２５】
ＵＥ１０は、セキュリティアソシエーションを確立するための手続きを開始する。ＵＥ１０は、手続きを開始するトリガーとなるメッセージを任意のタイミングで送信してよい。例えば、ＵＥ１０の電源投入時であってもよいし、無線ＬＡＮのアクセスポイントを検出したタイミングでもよいし、ユーザや端末の設定を基に送信してもよい。また、トリガーとなるメッセージは、ＩＫＥｖ２認証手続きを開始する制御メッセージであってよい。
【０３２６】
なお、ＩＫＥｖ２認証手続きなどのセキュリティアソシエーションを確立するための手続きのための制御メッセージの送受信は、ＷＬＡＮ＿ＡＮｂを介して送受信されてよい。
【０３２７】
ここで、ｅＰＧＤ６５は、ＨＳＳ５０もしくはＡＡＡ５５に対してＵＥ１０の接続に対する認証や承認を要求してもよい。さらに、ＨＳＳ５０またはＡＡＡ５５は、要求にもとづいて、認証や承認を行い、接続の可否をｅＰＤＧ６５に応答してもよい。
【０３２８】
また、ｅＰＤＧ６５は、ＵＥ１０の送信するトリガーに対する応答として、トリガー応答メッセージをＵＥ１０に送信してもよい（Ｓ１４０４）。
【０３２９】
ＵＥ１０とｅＰＤＧ６５は、トリガーおよびトリガー応答の送受信により、ＵＥ１０とＥＰＤＧ６５との間の通信路を確立する。なお、この通信路はＩＰＳｅｃトンネルであってもよい。さらに、ベアラＩＤで識別されるベアラ通信路であってよい。
【０３３０】
ＵＥ１０からのＩＫＥｖ２応答メッセージを受信し、受信に基づいて、通信路を確立するバインディング更新メッセージをＰＧＷ４０に送信する（Ｓ１４０４）。また、バインディング更新メッセージには、ＵＥを識別する識別情報と、ＡＰＮを含めてもよい。
【０３３１】
ＵＥ１０は、ＡＰＮにより、接続先のＰＤＮ９を特定することができる。言い換えるとＵＥ１０はＡＰＮを送信することにより、接続先のＰＤＮ９を指定してもよい。また、ＡＰＮにより、ＰＧＷ４０を指定してもよい。
【０３３２】
また、ＵＥ１０は、バインディング更新の送信により、コアネットワーク９への接続を要求してもよい。また、ＵＥ１０は、バインディング更新の送信により、ＰＧＷ９への通信路を確立することを要求してもよい。また、ＵＥ１０は、バインディング更新の送信により、確立された通信路を用いた通信に使用するＵＥ１０のＩＰアドレスを要求してもよい。また、ＵＥ１０は、バインディング更新により、ＰＧＷとの間のＰＤＮコネクションの確立を要求してもよい。また、ＵＥ１０は、バインディング更新により、ＰＧＷとの間のＰＤＮコネクションの確立や通信路のルーティングルールの更新を要求してもよい。
【０３３３】
ＰＧＷ４０は、ＵＥ１０が送信するバインディング更新メッセージを受信し、ＰＧＷ４０とＰＣＲＦ６０は、ＩＰ−ＣＡＮセッションの変更手続きを開始する（Ｓ１４０８）。
【０３３４】
ＰＧＷ４０は、ＩＰ−ＣＡＮセッション変更手続きを開始し、ＰＣＲＦ６０とＩＰ−ＣＡＮセッションを確立する。ここでＩＰ−ＣＡＮセッションとは、ＰＧＷ４０とＵＥ１０とが確立するＵＥ１０のユーザデータ配送のための通信路を管理するためのセッションであってよい。さらに、管理情報には、アクセスシステムの情報や、ＱｏＳ情報などの通信路の特性情報が含まれてもよい。
【０３３５】
ＰＧＷ４０は、ＵＥを識別する識別情報や、ＡＰＮや、ＷＬＡＮ＿ＡＮｂのアクセスシステムに関する情報などを含めてＩＰ−ＣＡＮセッション変更手続き内の制御メッセージをＰＣＲＦ６０に送信してもよい。
【０３３６】
ＰＣＲＦ６０は、ＵＥを識別する識別情報や、ＡＰＮや、ＷＬＡＮ＿ＡＮｂのアクセスシステムに関する情報、通信路のＱｏＳ情報などを含めてＩＰ−ＣＡＮセッション変更手続き内の制御メッセージをＰＧＷ４０に送信してもよい。
【０３３７】
このように、ＰＧＷ４０は、ＩＰ−ＣＡＮセッション変更手続きを実行することにより、ｅＰＤＧ６５との間の通信路のＱｏＳを決定してもよい。また、ＰＣＲＦ６０は、は、ＩＰ−ＣＡＮセッション変更手続きを実行することにより、ＵＥ１０とＰＧＷ４０との間の通信路のＱｏＳを決定し、ＰＧＷ４０に通知してもよい。
【０３３８】
また、ＰＧＷ４０は、ＵＥ１０のＩＰアドレスを割り当ててもよい。ＰＧＷ４０は、セッション生成要求の受信に基づいてＩＰアドレスの割り当ててよい。また、ＰＧＷ４０は、プロキシーバインディング更新メッセージの受信に基づいて、ＵＥ１０のＩＰアドレスを割り当ててもよい。
【０３３９】
また、ＰＧＷ４０は、ＰＧＷ４０のＩＰアドレスをＨＳＳ６０もしくはＡＡＡ６６に通知するためのＰＧＷアドレスの更新手続きを実行してもよい（Ｓ１４０８）。
【０３４０】
ＰＧＷ４０は、ｅＰＤＧ６５が送信する要求に対する応答として、バインディング応答メッセージをＵＥ１０に送信してもよい（Ｓ１４１０）。また、応答メッセージにはＵＥを識別する識別情報、ＡＰＮ、ＱｏＳ情報、ＵＥ１０に割り当てるＩＰアドレスなどを含めて送信してもよい。
【０３４１】
ＵＥ１０は、バインディング応答を受信する。ＵＥ１０とＰＧＷ４０は、プロキシーバインディング更新とプロキシーバインディング応答を送受信により、ＵＥ１０とＰＧＷ４０との間にＵＥ１０のユーザデータを配送する通信路として、ＰＭＩＰトンネルを確立する。
【０３４２】
なお、図１４のように、ＵＥ１０とＰＧＷ４０間のＰＭＩＰトンネルなどの通信路は、ＵＥ１０とｅＰＤＧを配送される間は、ＵＥ１０とｅＰＤＧ６５との間で確立したＩＰＳｅｃトンネルによって配送される。
【０３４３】
ここで、ＰＭＩＰトンネルとは、ＰＭＩＰプロトコルに基づいた転送路である。またＰＭＩＰトンネルは、ベアラＩＤで識別されるベアラ通信路であってよい。
【０３４４】
さらに、ＰＧＷ４０は、ＵＥ１０との間の通信路の確立に加え、ＰＤＮ９との接続性を確立してもよい。
【０３４５】
ＵＥ１０は、ＰＧＷ４０との間に通信路を確立することができる。なおＵＥ１０およびＰＧＷ４０は、このＵＥ１０とＰＧＷ４０との間の通信路を、ＰＤＮコネクションとして管理してもよいし、ベアラＩＤなどを割り当て、ベアラ通信路として管理してもよい。
【０３４６】
ＵＥ１０は、ＰＧＷ４０との間の通信路に加え、ＰＧＷ４０によるＰＤＮ９への接続性により、ＰＤＮ９と接続することができる。
【０３４７】
また、ＵＥ１０、ＰＧＷ４０の各ノードは、ＷＬＡＮ＿ＡＮｂ７５のアクセス網を介したＵＥ１０とＰＧＷ４０との間の通信路を識別する情報と、通信を識別する情報とを対応付けて記憶してもよい。
【０３４８】
通信を識別する情報は、特定のフローや、特定のアプリケーションの通信を識別する情報であってよい。これにより、例えばＵＥは、特定のフローの通信を実行する際、対応付けた通信路を用いて送受信することができる。
【０３４９】
より具体的には、すくなくともパケットの送信元ＩＰアドレス、送信先ＩＰアドレス、送信元ポート番号、送信先ポート番号、プロトコル番号、アプリケーション名の一部を用いて識別することのできる識別情報であってよい。また、ＴＦＴ（Ｔｒａｆｆｉｃ  Ｆｌｏｗ  Ｔｅｍｐｌａｔｅ）などにより構成してもよい。
【０３５０】
なお、通信を識別する情報は、ＵＥ１０が生成し、バインディング更新メッセージなどのＵＥ１０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。
【０３５１】
また、通信を識別する情報は、ＰＧＷ４０が生成し、バインディング応答メッセージなどのＰＧＷ４０がアタッチ手続きにおいて送信する制御メッセージに含めて送信してもよい。さらに、アタッチ手続きにかかわる各装置は、受信した通信に関する情報を、その後のアタッチ手続きにおける制御情報に含めて送信してもよい。これにより、ＵＥ１０、ｅＰＤＧ６５、ＰＧＷ４０の各ノードは通信路と、通信を識別する情報とを対応付けて記憶することができる。
【０３５２】
ＵＥ１０は、以上の手続きによりＤＳＭＩＰｖ６を持いたアタッチ手続きを完了する。これにより、ＵＥ１０はＷＬＡＮ＿ＡＮｂ７５を介したＰＧＷ４０への通信路を確立することができる。
【０３５３】
［１．３．１．５  タイプ２のポリシーを用いた切り替え手続き例１］
次に、ＵＥ１０がタイプ２のポリシーを用いた切り替え手続きを、図１５を用いて説明する。
【０３５４】
図１５に示すように、初期状態においてＵＥ１０は、通信路１を確立しており、フロー１とフロー２の通信を実行している（Ｓ１５０２）。さらに、ＵＥ１０は通信路１に加え、通信路２を確立しており、フロー３の通信を実行している（Ｓ１５０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０３５５】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０３５６】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０３５７】
また、通信路２は、ＷＬＡＮ＿ＡＮａ７０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
【０３５８】
なお、通信路２の具体的な確立方法や、ＡＰＮ１と通信路２の対応の管理方法、通信を識別する識別情報と通信路１の対応の管理方法は、１．３．１．２で説明したＷＬＡＮ＿ＡＮａアタッチ手続きで説明したため、詳細な説明は省略する。
【０３５９】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【０３６０】
次にＵＥ１０は、ポリシー受信処理を行う（Ｓ１５０６）。以下、ポリシー受信処理の例を、図９を用いて説明する。
【０３６１】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【０３６２】
以下、オペレータポリシーを受信するための具体例を説明する。ＵＥ１０は、ＡＮＤＳＦ２０を探索し、探索したＡＮＤＳＦ２０とセキュアな通信を確保する（Ｓ９０４）。ＵＥ１０がＡＮＤＳＦ２０を探索する方法は種々考えられるが、例えば、ＰＤＮに配置されたＤＮＳサーバへＵＥ１０が問い合わせることにより、ＡＮＤＳＦ２０を探索することができる。ＵＥ１０とＡＮＤＳＦ２０がセキュアな通信を確保する方法は、種々考えられるが、例えば、ＩＰＳｅｃを利用しても良い。
【０３６３】
なお、ＵＥ１０は、許可情報１に基づいて、ＡＮＤＳＦ２０の探索、もしくはＡＮＤＳＦ２０とのセキュアな通信路を確立するための制御メッセージの送信をしてもよい。
【０３６４】
ＵＥ１０は、ＡＮＤＳＦ２０との間にセキュアな通信路を確立したあと、ＡＮＤＳＦ２０へアクセスネットワーク情報の要求を送信する（Ｓ９０６）。
【０３６５】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【０３６６】
なお、ＵＥ１０は、許可情報１に基づいて、要求メッセージの送信をしてもよい。ＡＮＤＳＦ２０は、ＵＥ１０へオペレータポリシー通知を送信する（Ｓ９０８）。ＡＮＤＳＦ２０は、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【０３６７】
ＡＮＤＳＦ２０は、ＡＮＤＳＦポリシーと許可情報とを含めてオペレータポリシーを送信してもよい。ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
【０３６８】
また、許可情報は、許可情報２４４の許可情報２であってよい。ＵＥ１０は、オペレータポリシー通知を受信し、ＡＮＤＳＦポリシーと許可情報を取得する。これにより、ＵＥ１０は許可情報１に基づいてオペレータポリシーを受信することができる。
【０３６９】
また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、ＡＮＤＳＦ２０から受信した許可情報２を、許可情報１４４の許可情報として記憶、または更新するなどしてＵＥの許可情報として管理してもよい。
【０３７０】
次に、ＵＥ１０はＬＴＥ＿ＡＮ８０からＲＡＮポリシーを受信か否かを決定する。ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【０３７１】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【０３７２】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ＵＥ１０が契約する移動通信事業者によって運用される基地局であってよい。
【０３７３】
なお、ｅＮＢ４５は、ＲＡＮポリシーを基地局エリアにブロードキャストして複数の端末へ送信してもよいし、ＵＥ１０のみに送信してもよい。これにより、ＵＥ１０は、許可情報２に基づいてＲＡＮポリシーを受信することができる。
【０３７４】
なお、許可情報２はかならずしもＡＮＤＳＦ２０から送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【０３７５】
ＵＥ１０は、これら決定に基づいて、ＬＴＥ（ｅＮＢ４５）からＲＡＮポリシー４５４２を受信してもよい（Ｓ９１０）。次に、ＵＥ１０は、オペレータポリシーもしくはＲＡＮポリシーもしくはその両方を用いて、アクセスシステムの選択と、通信路切り替え手続きの決定を行う（Ｓ９１２）。
【０３７６】
本例では、ＵＥ１０がＵＥポリシー１４２に記憶するフロー１を対象としたタイプ２のポリシーと、ｅＮＢ４５が送信するＲＡＮポリシーに基づいて、フロー１の通信路を切り替える例を説明する。
【０３７７】
なお、ＵＥポリシー１４２に記憶するＡＮＤＳＦポリシーはタイプ２ポリシーである。これは、許可情報１に基づいて、ＡＮＤＳＦ２０から受信したものをＵＥポリシー１４２に更新しても記憶したものであってもよい。
【０３７８】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はフロー１を識別する情報であり、アクセスネットワーク情報にはＬＴＥとＷＬＡＮを示す情報であり、アクセスネットワークの優先度はＬＴＥを優先する情報である。
【０３７９】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【０３８０】
また、切り替え先の通信路と、切り替えを実行する通信データは、ＡＮＤＳＦポリシーを基に決定してもよい。具体的には、ＡＮＤＳＦポリシーの通信を識別する情報がフロー１を識別する情報であり、利用可能なアクセスネットワークとしてＷＬＡＮが記憶されていることから、フロー１の通信を、ＷＬＡＮを用いた通信路に切り替えると決定してもよい。
【０３８１】
また、切り替え手段は、ＡＮＤＳＦポリシーがタイプ２のポリシーであることから、フローベースの切り替えを行うことを決定してもよい。
【０３８２】
以上の手続きにより、ポリシー受信処理（Ｓ１５０６）を完了する。
【０３８３】
図５（ｂ）ポリシーの例２で示すタイプ２のポリシーの場合、ＡＮＤＳＦ２０がＵＥ１０に通知するポリシーの例として、ＩＰフローとルーティングルールを含めても良い。ＡＮＤＳＦ２０は、ＩＰフローとルーティングルールを含めることにより、ＵＥ１０に、ＩＰフローに応じて、アクセスシステムを切り替えさせることができる。つまり、ＵＥ１０は、ＡＮＤＳＦ２０からＡＮＤＳＦポリシーに含まれるＩＰフローにより、アクセスシステムを切り替えることができる。
【０３８４】
ＡＮＤＳＦ２０は、ＩＰフローにアプリケーションＩＤを含めることにより、ＵＥ１０にアプリケーション毎にデータの送受信を識別させ、アクセスシステムを切り替えさせることができる。つまり、ＵＥ１０は、ＡＮＤＳＦ２０からＡＮＤＳＦポリシーに含まれるＩＰフローのアプリケーションＩＤ毎に、アクセスシステムを切り替えることができる。
【０３８５】
ＡＮＤＳＦ２０はＩＰフローにアドレスタイプを含めることにより、ＵＥ１０にＩＰアドレスのバージョン毎にデータの送受信を識別させ、アクセスシステムを切り替えさせることができる。つまり、ＵＥ１０は、ＡＮＤＳＦ２０からＡＮＤＳＦポリシーに含まれるＩＰフローのアドレスタイプ毎にデータの送受信を識別し、アクセスシステムを切り替えることができる。
【０３８６】
ＡＮＤＳＦ２０はＩＰフローに送信元ＩＰアドレスを含めることにより、ＵＥ１０に送信元ＩＰアドレス毎にデータの送受信を識別させ、アクセスシステムを切り替えさせることができる。つまり、ＵＥ１０は、ＡＮＤＳＦ２０からＡＮＤＳＦポリシーに含まれるＩＰフローの送信元ＩＰアドレス毎にデータの送受信を識別し、アクセスシステムを切り替えることができる。なお、送信元ＩＰアドレスは最初の送信元ＩＰアドレスと最後の送信元ＩＰアドレスを示すことにより、送信元ＩＰアドレスの範囲を示しても良い。
【０３８７】
ＡＮＤＳＦ２０はＩＰフローに宛先ＩＰアドレスを含めることにより、ＵＥ１０に宛先ＩＰアドレス毎にデータの送受信を識別させ、アクセスシステムを切り替えさせることができる。つまり、ＵＥ１０は、ＡＮＤＳＦ２０からＡＮＤＳＦポリシーに含まれるＩＰフローの宛先ＩＰアドレス毎にデータの送受信を識別し、アクセスシステムを切り替えることができる。なお、宛先ＩＰアドレスは最初の宛先ＩＰアドレスと最後の宛先ＩＰアドレスを示すことにより、宛先ＩＰアドレスの範囲を示しても良い。
【０３８８】
ＡＮＤＳＦ２０は、ＩＰフローにプロトコルタイプを含めることにより、ＵＥ１０にプロトコルタイプ毎にデータの送受信を識別させ、アクセスシステムを切り替えさせることができる。つまり、ＵＥ１０は、ＡＮＤＳＦ２０からＡＮＤＳＦポリシーに含まれるＩＰフローのプロトコルタイプ毎にデータの送受信を識別し、アクセスシステムを切り替えることができる。
【０３８９】
ＡＮＤＳＦ２０は、ＩＰフローに送信元ポート番号を含めることにより、ＵＥ１０に送信元ポート番号毎にデータの送受信を識別させ、アクセスシステムを切り替えさせることができる。つまり、ＵＥ１０は、ＡＮＤＳＦ２０からＡＮＤＳＦポリシーに含まれるＩＰフローの送信元ポート番号毎にデータの送受信を識別し、アクセスシステムを切り替えることができる。
【０３９０】
ＡＮＤＳＦ２０は、ＩＰフローに宛先ポート番号を含めることにより、ＵＥ１０に宛先ポート番号毎にデータの送受信を識別させ、アクセスシステムを切り替えさせることができる。つまり、ＵＥ１０は、ＡＮＤＳＦ２０からＡＮＤＳＦポリシーに含まれるＩＰフローの宛先ポート番号毎にデータの送受信を識別し、アクセスシステムを切り替えることができる。
【０３９１】
ＡＮＤＳＦ２０は、ＩＰフローにＱｏＳを含めることにより、ＵＥ１０にＱｏＳ毎にデータの送受信を識別させ、アクセスシステムを切り替えさせることができる。つまり、ＵＥ１０は、ＡＮＤＳＦ２０からＡＮＤＳＦポリシーに含まれるＩＰフローのＱｏＳ毎にデータの送受信を識別し、アクセスシステムを切り替えることができる。
【０３９２】
ＡＮＤＳＦ２０は、ＩＰフローにドメイン名を含めることにより、ＵＥ１０にドメイン名毎にデータの送受信を識別させ、アクセスシステムを切り替えさせることができる。つまり、ＵＥ１０は、ＡＮＤＳＦ２０からＡＮＤＳＦポリシーに含まれるＩＰフローのドメイン名毎にデータの送受信を識別し、アクセスシステムを切り替えることができる。
【０３９３】
ＡＮＤＳＦ２０は、ＩＰフローにＡＰＮを含めることにより、ＵＥ１０にＡＰＮ毎にデータの送受信を識別させ、アクセスシステムを切り替えさせることができる。つまり、ＵＥ１０は、ＡＮＤＳＦ２０からＡＮＤＳＦポリシーに含まれるＩＰフローのＡＰＮ毎にデータの送受信を識別し、アクセスシステムを切り替えることができる。
【０３９４】
なお、ＡＮＤＳＦ２０は、ＩＰフローに、アプリケーションＩＤ、アドレスタイプ、送信元ＩＰアドレス、宛先ＩＰアドレス、プロトコルタイプ、送信元ポート番号、宛先ポート番号、ＱｏＳ、ドメイン名、ＡＰＮを示す情報のうちいずれか一つを含むこととして説明したが、ＩＰフローに、アプリケーションＩＤ、アドレスタイプ、送信元ＩＰアドレス、宛先ＩＰアドレス、プロトコルタイプ、送信元ポート番号、宛先ポート番号、ＱｏＳ、ドメイン名、ＡＰＮのうち複数の情報を含むことにより、ＵＥ１０に、複数の情報により、データの送受信を識別させ、アクセスシステムを切り替えさせても良い。
【０３９５】
つまり、ＵＥ１０は、ＡＮＤＳＦ２０からＡＮＤＳＦポリシーに含まれるＩＰフローにおけるアプリケーションＩＤ、アドレスタイプ、送信元ＩＰアドレス、宛先ＩＰアドレス、プロトコルタイプ、送信元ポート番号、宛先ポート番号、ＱｏＳ、ドメイン名、ＡＰＮのうち複数の情報によりデータの送受信を識別し、アクセスシステムを切り替えることができる。
【０３９６】
一方、ルーティングルールには、ポリシー内で、優先されるアクセスネットワークを示す情報が含まれる。ＡＮＤＳＦ２０は、ＩＰフローとルーティングルールを含めることにより、ＵＥ１０に、ＩＰフローで識別されるデータの送受信に対してルーティングルールに応じたアクセスシステムへ切り替えさせることができる。つまり、ＵＥ１０は、ＡＮＤＳＦ２０からＡＮＤＳＦポリシーに含まれるＩＰフローとルーティングルールにより、ＩＰフローで識別されるデータの送受信に対してルーティングルールに応じたアクセスシステムへ切り替えることができる。
【０３９７】
また、ＡＮＤＳＦ２０がルーティングルールにアクセスＩＤを含める場合、ＵＥ１０にＩＰフローで識別されるデータの送受信に対して、アクセスＩＤが示すＷＬＡＮへ１番目に優先して切り替えさせることができる。つまり、ＵＥ１０は、ＡＮＤＳＦ２０からＡＮＤＳＦポリシーに含まれるＩＰフローとルーティングルールに含まれるアクセスＩＤにより、ＩＰフローで識別されるデータの送受信に対してアクセスＩＤが示すＷＬＡＮへ切り替えることができる。
【０３９８】
また、ＡＮＤＳＦ２０がルーティングルールにセカンダリアクセスＩＤを含める場合、ＵＥ１０にＩＰフローで識別されるデータの送受信に対して、セカンダリアクセスＩＤが示すＷＬＡＮへ２番目に優先して切り替えさせることができる。つまり、ＵＥ１０は、ＡＮＤＳＦ２０からＡＮＤＳＦポリシーに含まれるＩＰフローとルーティングルールに含まれるセカンダリアクセスＩＤにより、ＩＰフローで識別されるデータの送受信に対してセカンダリアクセスＩＤが示すＷＬＡＮへ切り替えることができる。
【０３９９】
また、タイプ２のポリシーの場合、ＡＮＤＳＦ２０は、ＩＰフロー、ルーティングルールの他、ルーティング基準、ルールプライオリティ、スレッショールド１、ＯＰＩ１を含めても良い。
【０４００】
ルーティング基準は有効なエリアと時刻情報からなる。ＡＮＤＳＦ２０は、ルーティング基準において有効なエリアにＰＬＭＮを含める場合、ＵＥ１０に、ＵＥ１０がＰＬＭＮの示すエリアに在圏する場合、ポリシーを有効にさせ、アクセスシステムを切り替えさせることができる。つまり、ＵＥ１０は、ＡＮＤＳＦ２０からＡＮＤＳＦポリシーに含まれるルーティング基準に含まれる有効なエリアのＰＬＭＮにより、ＵＥ１０がＰＬＭＮの示すエリアに在圏する場合、ポリシーを有効にし、アクセスシステムを切り替えることができる。
【０４０１】
また、ＡＮＤＳＦ２０は、ルーティング基準において有効なエリアにＴＡＣを含める場合、ＵＥ１０に、ＵＥ１０がＴＡＣの示すエリアに在圏する場合、ポリシーを有効にさせ、アクセスシステムを切り替えさせることができる。つまり、ＵＥ１０は、ＡＮＤＳＦ２０からＡＮＤＳＦポリシーに含まれるルーティング基準に含まれる有効なエリアのＴＡＣにより、ＵＥ１０がＴＡＣの示すエリアに在圏する場合、ポリシーを有効にし、アクセスシステムを切り替えることができる。
【０４０２】
また、ＡＮＤＳＦ２０は、ルーティング基準において有効なエリアにＥＵＴＲＡ＿ＣＩを含める場合、ＵＥ１０に、ＵＥ１０がＥＵＴＲＡ＿ＣＩの示すエリアに在圏する場合、ポリシーを有効にさせ、アクセスシステムを切り替えさせることができる。つまり、ＵＥ１０は、ＡＮＤＳＦ２０からＡＮＤＳＦポリシーに含まれるルーティング基準に含まれる有効なエリアのＥＵＴＲＡ＿ＣＩにより、ＵＥ１０がＥＵＴＲＡ＿ＣＩの示すエリアに在圏する場合、ポリシーを有効にし、アクセスシステムを切り替えることができる。
【０４０３】
また、ＡＮＤＳＦ２０は、ルーティング基準において有効なエリアにＢＳＳＩＤを含める場合、ＵＥ１０に、ＵＥ１０がＢＳＳＩＤの示すエリアに在圏する場合、ポリシーを有効にさせ、アクセスシステムを切り替えさせることができる。つまり、ＵＥ１０は、ＡＮＤＳＦ２０からＡＮＤＳＦポリシーに含まれるルーティング基準に含まれる有効なエリアのＢＳＳＩＤにより、ＵＥ１０がＢＳＳＩＤの示すエリアに在圏する場合、ポリシーを有効にし、アクセスシステムを切り替えることができる。
【０４０４】
また、ＡＮＤＳＦ２０は、ルーティング基準において有効なエリアにＳＳＩＤを含める場合、ＵＥ１０に、ＵＥ１０がＳＳＩＤの示すエリアに在圏する場合、ポリシーを有効にさせ、アクセスシステムを切り替えさせることができる。つまり、ＵＥ１０は、ＡＮＤＳＦ２０からＡＮＤＳＦポリシーに含まれるルーティング基準に含まれる有効なエリアのＳＳＩＤにより、ＵＥ１０がＳＳＩＤの示すエリアに在圏する場合、ポリシーを有効にし、アクセスシステムを切り替えることができる。
【０４０５】
また、ＡＮＤＳＦ２０は、ルーティング基準において有効なエリアにＨＥＳＳＩＤを含める場合、ＵＥ１０に、ＵＥ１０がＨＥＳＳＩＤの示すエリアに在圏する場合、ポリシーを有効にさせ、アクセスシステムを切り替えさせることができる。つまり、ＵＥ１０は、ＡＮＤＳＦ２０からＡＮＤＳＦポリシーに含まれるルーティング基準に含まれる有効なエリアのＨＥＳＳＩＤにより、ＵＥ１０がＨＥＳＳＩＤの示すエリアに在圏する場合、ポリシーを有効にし、アクセスシステムを切り替えることができる。
【０４０６】
また、ＡＮＤＳＦ２０は、ルーティング基準において時刻情報を含める場合、ＵＥ１０に、現在時刻が時刻情報の示す時間内の場合、ポリシーを有効にさせ、アクセスシステムを切り替えさせることができる。つまり、ＵＥ１０は、ＡＮＤＳＦ２０からＡＮＤＳＦポリシーに含まれるルーティング基準に含まれる時刻情報により、現在時刻が時刻情報の示す時間内の場合、ポリシーを有効にし、アクセスシステムを切り替えることができる。
【０４０７】
また、ＡＮＤＳＦ２０はルールプライオリティを含める場合、ＵＥ１０に他のＡＮＤＳＦポリシーとの優先順位を示し、優先するＡＮＤＳＦポリシーを変更させ、アクセスシステムを切り替えさせることができる。つまり、ＵＥ１０は、ＡＮＤＳＦ２０からＡＮＤＳＦポリシーに含まれるルールプライオリティにより、優先数するＡＮＤＳＦポリシーを変更し、アクセスシステムを切り替えることができる。
【０４０８】
また、ＡＮＤＳＦ２０はスレッショールド１にＲＳＲＰを含める場合、ＵＥ１０に、ＲＳＲＰより高い場合にのみ、ＬＴＥ経由のデータの送受信へ切り替えさせることができる。つまり、ＵＥ１０は、ＡＮＤＳＦ２０からＡＮＤＳＦポリシーのスレッショールド１に含まれるＲＳＲＰにより、ＲＳＲＰより高い場合、ＬＴＥ経由のデータの送受信へ切り替えることができる。
【０４０９】
また、ＡＮＤＳＦ２０はスレッショールド１にＲＳＲＱを含める場合、ＵＥ１０に、ＲＳＲＱより高い場合にのみ、ＬＴＥ経由のデータの送受信へ切り替えさせることができる。つまり、ＵＥ１０は、ＡＮＤＳＦ２０からＡＮＤＳＦポリシーのスレッショールド１に含まれるＲＳＲＱにより、ＲＳＲＱより高い場合、ＬＴＥ経由のデータの送受信へ切り替えることができる。
【０４１０】
また、ＡＮＤＳＦ２０はスレッショールド１にＢＳＳロードを含める場合、ＵＥ１０に、ＢＳＳロードより高い場合にのみ、ＷＬＡＮ経由のデータの送受信へ切り替えさせることができる。つまり、ＵＥ１０は、ＡＮＤＳＦ２０からＡＮＤＳＦポリシーのスレッショールド１に含まれるＢＳＳロードにより、ＢＳＳロードより高い場合、ＷＬＡＮ経由のデータの送受信へ切り替えることができる。
【０４１１】
また、ＡＮＤＳＦ２０はＯＰＩ１を含める場合、ＵＥ１０に、ＡＮＤＳＦポリシーとＲＡＮポリシーの優先順位を示し、ＡＮＤＳＦポリシーまたはＲＡＮポリシーを優先して実行させ、アクセスシステムを切り替えさせることができる。つまり、ＵＥ１０は、ＡＮＤＳＦ２０からＡＮＤＳＦポリシーに含まれるＯＰＩ１により、ＡＮＤＳＦポリシーまたはＲＡＮポリシーを優先して実行し、アクセスシステムを切り替えることができる。
【０４１２】
上記、ＩＰフロー、ルーティングルールの他、ルーティング基準、ルールプライオリティ、スレッショールド１、ＯＰＩ１のうち、いずれか一つを含むこととして説明したが、ＩＰフロー、ルーティングルールの他、ルーティング基準、ルールプライオリティ、スレッショールド１、ＯＰＩ１のうち、複数の情報が含むことにより、ＵＥ１０に、複数の情報により、ＡＮＤＳＦポリシーを実行させアクセスシステムを切り替えさせても良い。
【０４１３】
つまり、ＵＥ１０は、ＡＮＤＳＦ２０からＡＮＤＳＦポリシーに含まれるＩＰフロー、ルーティングルールの他、ルーティング基準、ルールプライオリティ、スレッショールド１、ＯＰＩ１のうち、複数の情報により、アクセスシステムを切り替えることができる。
【０４１４】
また、ｅＮＢ４５はＵＥ１０へＲＡＮポリシーにスレッショールドを含め、アクセスシステムを切り替えさせても良い。つまり、ＵＥ１０はｅＮＢ４５からＲＡＮポリシーに含まれるスレッショールドにより、アクセスシステムを切り替えても良い。
【０４１５】
また、ｅＮＢ４５はＲＡＮポリシーのスレッショールドにＲＳＲＰを含める場合、ＵＥ１０に、ＲＳＲＰに応じて、ＬＴＥ経由のデータの送受信へ切り替えさせることができる。つまり、ＵＥ１０は、ｅＮＢ４５からＲＡＮポリシーのスレッショールドに含まれるＲＳＲＰにより、ＲＳＲＰに応じて、ＬＴＥ経由のデータの送受信へ切り替えることができる。
【０４１６】
また、ｅＮＢ４５はＲＡＮポリシーのスレッショールドにＲＳＲＱを含める場合、ＵＥ１０に、ＲＳＲＱに応じて、ＬＴＥ経由のデータの送受信へ切り替えさせることができる。つまり、ＵＥ１０は、ｅＮＢ４５からＲＡＮポリシーのスレッショールドに含まれるＲＳＲＱにより、ＲＳＲＱに応じて、ＬＴＥ経由のデータの送受信へ切り替えることができる。
【０４１７】
また、ｅＮＢ４５はＲＡＮポリシーのスレッショールドにＢＳＳロードを含める場合、ＵＥ１０に、ＢＳＳロードに応じて、ＬＴＥ経由のデータの送受信へ切り替えさせることができる。つまり、ＵＥ１０は、ｅＮＢ４５からＲＡＮポリシーのスレッショールドに含まれるＢＳＳロードにより、ＢＳＳロードに応じて、ＬＴＥ経由のデータの送受信へ切り替えることができる。
【０４１８】
また、ｅＮＢ４５はＲＡＮポリシーにＯＰＩを含める場合、ＵＥ１０に、ＯＰＩにより、ＡＮＤＳＦポリシーとＲＡＮポリシーの優先順位を示し、ＡＮＤＳＦポリシーまたはＲＡＮポリシーを優先して実行させ、アクセスシステムを切り替えさせることができる。つまり、ＵＥ１０は、ｅＮＢ４５からＲＡＮポリシーに含まれるＯＰＩにより、ＡＮＤＳＦポリシーとＲＡＮポリシーの優先順位を示され、ＡＮＤＳＦポリシーまたはＲＡＮポリシーを優先して実行し、アクセスシステムを切り替えさせることができる。
【０４１９】
ここで、ＵＥ１０は、ＡＮＤＳＦポリシーにスレッショールドが含まれ、ＲＡＮポリシーにスレッショールドが含まれる場合、ＡＮＤＳＦポリシーのスレッショールドを優先しても良いし、ＲＡＮポリシーを優先しても良い。なお、ＡＮＤＳＦポリシーとＲＡＮポリシーの優先順位の決定には、ＡＮＤＳＦポリシーに含まれるＯＰＩとＲＡＮポリシーに含まれるＯＰＩを利用して、決定してもよい。また、ＡＮＤＳＦポリシーにＯＰＩが含まれず、ＲＡＮポリシーにＯＰＩが含まれない場合、ＵＥ１０が任意にＡＮＤＳＦポリシーとＲＡＮポリシーの優先を決定して良い。
【０４２０】
以下、通信路の切り替え処理を通信路切り替え手続き１として説明する（Ｓ１５０８）。
【０４２１】
ＵＥ１０は、すくなくともＵＥのポリシーと、オペレータポリシーと、ＲＡＮポリシーの一部に基づいて、フロー１の通信に用いる通信路を、通信路１から通信路２へ切り替える。
【０４２２】
具体的な切り替え手続きと、手続きに伴う各装置の処理は、１．３．１．２で説明したＷＬＡＮ＿ＡＮａアタッチ手続きとほぼ同様であってよい。そのため、ＷＬＡＮ＿ＡＮａアタッチ手続きを説明した図１２を用いて、アタッチ手続きとの違いを中心に説明する。
【０４２３】
ＵＥ１０が送信するトリガーメッセージを送信するタイミングは、ポリシー受信処理（Ｓ１５０６）により切り替えを決定したことに基づいて送信されてよい。
【０４２４】
ＵＥ１０は、トリガーメッセージに、通信を識別する情報をさらに含めて送信してもよい。また、切り替え手段を示す識別情報をさらに含めて送信してもよい。
【０４２５】
ＷＬＡＮ＿ＡＮａ７０は、セッション生成要求またはプロキシーバインディング更新に、通信を識別する情報をさらに含めて送信してもよい。また、切り替え手段を示す識別情報をさらに含めて送信してもよい。
【０４２６】
ＰＧＷ４０は、セッション応答またはプロキシーバインディング応答に、通信を識別する情報をさらに含めて送信してもよい。また、切り替え手段を示す識別情報をさらに含めて送信してもよい。
【０４２７】
ＷＬＡＮ＿ＡＮａ７０は、トリガー応答に、通信を識別する情報をさらに含めて送信してもよい。また、切り替え手段を示す識別情報をさらに含めて送信してもよい。
【０４２８】
なお、通信を識別する情報は、フロー１を識別する情報であってよい。また、切り替え手段を示す識別情報は、特定のフローを、ＩＰアドレスを変更せずに切り替えることを示す識別情報であってよい。もしくは、ＮＢ＿ＩＦＯＭ（Ｎｅｔｗｏｒｋ  ｂａｓｅｄ  ＩＰ  Ｆｌｏｗ  Ｍｏｂｉｌｉｔｙ）などの切り替え手段を示す識別情報であってよい。
【０４２９】
また、ＵＥ１０、ＷＬＡＮ＿ＡＮａ、ＰＧＷ４０は、すでに通信路２を確立しているため、この手続きにより新たに通信路を確立しなくてよい。より具体的には通信リソース等を新たに割り当てる必要はない。
【０４３０】
ＵＥ１０、ＷＬＡＮ＿ＡＮａ、ＰＧＷ４０は、通信路２を用いてフロー３の通信をすでにおこなっており、本手続きにより、通信路２を用いてフロー２とフロー３の通信を行う。
【０４３１】
より具体的には、ＵＥ１０、ＷＬＡＮ＿ＡＮａ、ＰＧＷ４０は、本手続きにおいて、フロー２の通信を、通信路２を用いて実行するために、経路設定を行う。言い換えると、ＵＥ１０、ＷＬＡＮ＿ＡＮａ、ＰＧＷ４０は、本手続きにより、経路設定に必要となる通信を識別する情報を取得し、フロー２の通信を、通信路２を用いて実行する。
【０４３２】
以上の手続きにより、ＵＥ１０は、フロー１の通信を、通信路２を用いて継続することができる（Ｓ１５１２）。なお、ＵＥ１０は、フロー３の通信は、通信路２を用いて継続する。なお、ＵＥ１０は、フロー２の通信は、通信路１を用いて継続する（Ｓ１５１０）。
【０４３３】
［１．３．１．６  タイプ２のポリシーを用いた切り替え手続き例２］
１．３．１．５で説明したタイプ２のポリシーを用いた切り替え手続き例１では、通信路２はＷＬＡＮ＿ＡＮａ７０を介してＰＧＷ４０へ接続する通信路である例を説明した。
【０４３４】
また、通信路２は、ＷＬＡＮ＿ＡＮｂ７５を介してＰＧＷ４０へ接続する通信路であってよい。
【０４３５】
以下、ＵＥ１０がタイプ２のポリシーを用いた切り替え手続きを、図１５を用いて説明する。
【０４３６】
図１５に示すように、初期状態においてＵＥ１０は、通信路１を確立しており、フロー１とフロー２の通信を実行している（Ｓ１５０２）。さらに、ＵＥ１０は通信路１に加え、通信路２を確立しており、フロー３の通信を実行している（Ｓ１５０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０４３７】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０４３８】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０４３９】
また、通信路２は、ＷＬＡＮ＿ＡＮｂ７５を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
【０４４０】
なお、通信路２の具体的な確立方法や、ＡＰＮ１と通信路２の対応の管理方法、通信を識別する識別情報と通信路１の対応の管理方法は、１．３．１．３で説明したＷＬＡＮ＿ＡＮｂアタッチ手続きで説明したため、詳細な説明は省略する。
【０４４１】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【０４４２】
次にＵＥ１０は、ポリシー受信処理を行う（Ｓ１５０６）。このポリシー受信処理は、１．３．１．５で説明したポリシー受信処理と同様の処理および手続きであってよい。そのため、詳細な説明を省略する。
【０４４３】
以下、通信路の切り替え処理を通信路切り替え手続き１として説明する（Ｓ１５０８）。ＵＥ１０は、すくなくともＵＥのポリシーと、オペレータポリシーと、ＲＡＮポリシーの一部に基づいて、フロー１の通信に用いる通信路を、通信路１から通信路２へ切り替える。
【０４４４】
具体的な切り替え手続きと、手続きに伴う各装置の処理は、は、１．３．１．３で説明したＷＬＡＮ＿ＡＮｂアタッチ手続きとほぼ同様であってよい。そのため、ＷＬＡＮ＿ＡＮｂアタッチ手続きを説明した図１３を用いて、アタッチ手続きとの違いを中心に説明する。
【０４４５】
セキュリティアソシエーションを確立するための手続きを開始ための、ＵＥ１０が送信するトリガーとなる制御メッセージを送信するタイミングは、ポリシー受信処理（Ｓ１５０６）により切り替えを決定したことに基づいて送信されてよい。
【０４４６】
また、ＵＥ１０は、トリガーとなるメッセージに、通信を識別する情報をさらに含めて送信してもよい。また、切り替え手段を示す識別情報をさらに含めて送信してもよい。
【０４４７】
ここで、トリガーとなるメッセージは、１．３．１．３で説明したとおり、ＩＫＥｖ２認証手続きでＵＥ１０がｅＰＤＧ６５に送信する制御メッセージであってよい。
【０４４８】
ｅＰＤＧ６５は、は、セッション生成要求またはプロキシーバインディング更新に、通信を識別する情報をさらに含めて送信してもよい。また、切り替え手段を示す識別情報をさらに含めて送信してもよい。
【０４４９】
ＰＧＷ４０は、セッション応答またはプロキシーバインディング応答に、通信を識別する情報をさらに含めて送信してもよい。また、切り替え手段を示す識別情報をさらに含めて送信してもよい。
【０４５０】
ＷＬＡＮ＿ＡＮａ７０は、トリガーの応答メッセージに、通信を識別する情報をさらに含めて送信してもよい。また、切り替え手段を示す識別情報をさらに含めて送信してもよい。
【０４５１】
なお、トリガーの応答メッセージは、１．３．１．３で説明したとおり、ＩＫＥｖ２応答メッセージであってよい。
【０４５２】
なお、通信を識別する情報は、フロー１を識別する情報であってよい。また、切り替え手段を示す識別情報は、特定のフローを、ＩＰアドレスを変更せずに切り替えることを示す識別情報であってよい。もしくは、ＮＢ＿ＩＦＯＭ（Ｎｅｔｗｏｒｋ  ｂａｓｅｄ  ＩＰ  Ｆｌｏｗ  Ｍｏｂｉｌｉｔｙ）などの切り替え手段を示す識別情報であってよい。
【０４５３】
また、ＵＥ１０、ｅＰＤＧ６５、ＰＧＷ４０は、すでに通信路２を確立しているため、この手続きにより新たに通信路を確立しなくてよい。より具体的には通信リソース等を新たに割り当てる必要はない。
【０４５４】
ＵＥ１０、ｅＰＤＧ６５、ＰＧＷ４０は、通信路２を用いてフロー３の通信をすでにおこなっており、本手続きにより、通信路２を用いてフロー２とフロー３の通信を行う。
【０４５５】
より具体的には、ＵＥ１０、ｅＰＤＧ６５、ＰＧＷ４０は、本手続きにおいて、フロー２の通信を、通信路２を用いて実行するために、経路設定を行う。言い換えると、ＵＥ１０、ｅＰＤＧ６５、ＰＧＷ４０は、本手続きにより、経路設定に必要となる通信を識別する情報を取得し、フロー２の通信を、通信路２を用いて実行する。
【０４５６】
以上の手続きにより、ＵＥ１０は、フロー１の通信を、通信路２を用いて継続することができる（Ｓ１５１２）。なお、ＵＥ１０は、フロー３の通信は、通信路２を用いて継続する。なお、ＵＥ１０は、フロー２の通信は、通信路１を用いて継続する（Ｓ１５１０）。
【０４５７】
［１．３．１．７  タイプ２のポリシーを用いた切り替え手続き例３］
１．３．１．５で説明したタイプ２のポリシーを用いた切り替え手続き例１では、通信路２はＷＬＡＮ＿ＡＮａ７０を介してＰＧＷ４０へ接続する通信路である例を説明した。
【０４５８】
また、通信路２は、ＤＳＭＩＰを用いて確立した通信路であってよい。
【０４５９】
以下、ＵＥ１０がタイプ２のポリシーを用いた切り替え手続きを、図１５を用いて説明する。
【０４６０】
図１５に示すように、初期状態においてＵＥ１０は、通信路１を確立しており、フロー１とフロー２の通信を実行している（Ｓ１５０２）。さらに、ＵＥ１０は通信路１に加え、通信路２を確立しており、フロー３の通信を実行している（Ｓ１５０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０４６１】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０４６２】
なお、通信路１の具体的な確立方法や、ＡＰＮ１と通信路１の対応の管理方法、通信を識別する識別情報と通信路１の対応の管理方法は、１．３．１．１におけるＬＴＥアタッチ手続きもしくはＰＤＮコネクション確立手続きで説明したため、詳細な説明は省略する。
【０４６３】
また、通信路２は、ＤＳＭＩＰを用いてＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
【０４６４】
なお、通信路２の具体的な確立方法や、ＡＰＮ１と通信路２の対応の管理方法、通信を識別する識別情報と通信路１の対応の管理方法は、１．３．１．４におけるＤＳＭＩＰを用いたアタッチ手続きで説明したため、詳細な説明は省略する。
【０４６５】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【０４６６】
次にＵＥ１０は、ポリシー受信処理を行う（Ｓ１５０６）。このポリシー受信処理は、１．３．１．５で説明したポリシー受信処理と同様の処理および手続きであってよい。そのため、詳細な説明を省略する。
【０４６７】
以下、通信路の切り替え処理を通信路切り替え手続き１として説明する（Ｓ１５０８）。
【０４６８】
ＵＥ１０は、すくなくともＵＥのポリシーと、オペレータポリシーと、ＲＡＮポリシーの一部に基づいて、フロー１の通信に用いる通信路を、通信路１から通信路２へ切り替える。
【０４６９】
具体的な切り替え手続きと、手続きに伴う各装置の処理は、１．３．１．４で説明したＤＳＭＩＰを用いたアタッチ手続きとほぼ同様であってよい。そのため、ＷＬＡＮ＿ＡＮｂアタッチ手続きを説明した図１４を用いて、アタッチ手続きとの違いを中心に説明する。
【０４７０】
ＵＥ１０は、アタッチ手続きにおいて確立したセキュリティアソシエーションが確立された状態にある場合には、新たにセキュリティアソシエーションを確立する必要はない。しかしながら、セキュリティアソシエーションに対応付けたタイマーなどを管理し、かつタイマーが消費された場合など、セキュリティアソシエーションを改めて確立する必要がある場合には、ＵＥ１０はセキュリティアソシエーションを再度確立する。確立手続きは、１．３．１．４で説明したと手続きや処理と同様であってよい。
【０４７１】
なお、セキュリティアソシエーションを再確立する場合、ＵＥ１０が送信するセキュリティアソシエーションを開始するトリガーとなる制御メッセージを送信するタイミングは、ポリシー受信処理（Ｓ１５０６）により切り替えを決定したことに基づいて送信されてよい。
【０４７２】
ＵＥ１０は、バインディング更新メッセージに、通信を識別する情報をさらに含めて送信してもよい。また、切り替え手段を示す識別情報をさらに含めて送信してもよい。
【０４７３】
なお、ＵＥ１０が送信するバインディング更新メッセージを送信するタイミングは、ポリシー受信処理（Ｓ１５０６）により切り替えを決定したことに基づいて送信してもよいし、セキュリティアソシエーションが再確立されたことに基づいて送信してもよい。
【０４７４】
ｅＰＤＧ６５は、セッション生成要求またはプロキシーバインディング更新に、通信を識別する情報をさらに含めて送信してもよい。また、切り替え手段を示す識別情報をさらに含めて送信してもよい。
【０４７５】
ＰＧＷ４０は、セッション応答またはプロキシーバインディング応答に、通信を識別する情報をさらに含めて送信してもよい。また、切り替え手段を示す識別情報をさらに含めて送信してもよい。
【０４７６】
ＷＬＡＮ＿ＡＮａ７０は、トリガー応答に、通信を識別する情報をさらに含めて送信してもよい。また、切り替え手段を示す識別情報をさらに含めて送信してもよい。
【０４７７】
なお、通信を識別する情報は、フロー１を識別する情報であってよい。また、切り替え手段を示す識別情報は、特定のフローを、ＩＰアドレスを変更せずに切り替えることを示す識別情報であってよい。もしくは、ＩＦＯＭ（ＩＰ  Ｆｌｏｗ  Ｍｏｂｉｌｉｔｙ）などの切り替え手段を示す識別情報であってよい。
【０４７８】
また、ＵＥ１０、ｅＰＤＧ６５、ＰＧＷ４０は、すでに通信路２を確立しているため、この手続きにより新たに通信路を確立しなくてよい。より具体的には通信リソース等を新たに割り当てる必要はない。
【０４７９】
ＵＥ１０、ｅＰＤＧ６５、ＰＧＷ４０は、通信路２を用いてフロー３の通信をすでにおこなっており、本手続きにより、通信路２を用いてフロー２とフロー３の通信を行う。
【０４８０】
より具体的には、ＵＥ１０、ｅＰＤＧ６５、ＰＧＷ４０は、本手続きにおいて、フロー２の通信を、通信路２を用いて実行するために、経路設定を行う。言い換えると、ＵＥ１０、ｅＰＤＧ６５、ＰＧＷ４０は、本手続きにより、経路設定に必要となる通信を識別する情報を取得し、フロー２の通信を、通信路２を用いて実行する。以上の手続きにより、ＵＥ１０は、フロー１の通信を、通信路２を用いて継続することができる（Ｓ１５１２）。なお、ＵＥ１０は、フロー３の通信は、通信路２を用いて継続する。なお、ＵＥ１０は、フロー２の通信は、通信路１を用いて継続する（Ｓ１５１０）。
【０４８１】
［１．３．２  タイプ３のポリシーを用いた制御手続き］
本例では、ＵＥ１０が  図５（ｃ）ポリシーの例３で示したタイプ３のＡＮＤＳＦポリシーとＲＡＮポリシーを用いて通信路を切り替える例を説明する。
【０４８２】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【０４８３】
［１．３．２．１  ＬＴＥアタッチ手続き］
ＵＥ１０がＬＴＥのアクセスシステム（ＬＴＥ＿ＡＮ８０）を経由した通信路を確立する。ＬＴＥアタッチ手続きは、図１１を用いて１．３．１．１で説明したＬＴＥアタッチ手続きと同様であってよい。なお、アタッチ手続きに関連する各装置の処理も同様であってよい。そのため、詳細説明を省略する。
【０４８４】
［１．３．２．２  ＷＬＡＮ＿ＡＮａアタッチ手続き］
ＵＥ１０がＷＬＡＮ＿ＡＮａ７０を介した通信路を確立する。ＷＬＡＮ＿ＡＮａ７０アタッチ手続きは、図１２を用いて１．３．１．２で説明したＷＬＡＮ＿ＡＮａ７０アタッチ手続きと同様であってよい。なお、アタッチ手続きに関連する各装置の処理も同様であってよい。そのため、詳細説明を省略する。
【０４８５】
［１．３．２．３  ＷＬＡＮ＿ＡＮｂアタッチ手続き］
ＵＥ１０がＷＬＡＮ＿ＡＮｂ７０を介した通信路を確立する。ＷＬＡＮ＿ＡＮｂ７０アタッチ手続きは、図１３を用いて１．３．１．３で説明したＷＬＡＮ＿ＡＮａ７０アタッチ手続きと同様であってよい。なお、アタッチ手続きに関連する各装置の処理も同様であってよい。そのため、詳細説明を省略する。
【０４８６】
［１．３．２．４  ＤＳＭＩＰを用いたアタッチ手続き］
ＵＥ１０がＤＳＭＩＰを用いて通信路を確立する。ＤＳＭＩＰを用いたアタッチ手続きは、図１３を用いて１．３．１．４で説明したＤＳＭＩＰを用いたアタッチ手続きと同様であってよい。なお、アタッチ手続きに関連する各装置の処理も同様であってよい。そのため、詳細説明を省略する。
【０４８７】
このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【０４８８】
［１．３．２．５  タイプ３のポリシーを用いた切り替え手続き例１］
次に、ＵＥ１０がタイプ３のポリシーを用いた切り替え手続きを、図１６を用いて説明する。
【０４８９】
図１６に示すように、初期状態においてＵＥ１０は、通信路１を確立しており、ＡＰＮに対応づけられた通信を実行している（Ｓ１６０２）。例えば、ＵＥ１０は、ＡＰＮ１に対応付けて、通信路１を用いて通信を実行してよい。さらに、ＵＥ１０は通信路１に加え、通信路２を確立しており、ＡＰＮに対応づけられた通信を実行している（Ｓ１６０４）。例えば、ＵＥ１０は、ＡＰＮ２に対応付けて通信路２を管理し、通信路２を用いてそれらの通信を実行してよい。
【０４９０】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０４９１】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられている。
【０４９２】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０４９３】
また、通信路２は、ＬＴＥ＿ＡＮ８０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられている。
【０４９４】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【０４９５】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【０４９６】
次にＵＥ１０は、ポリシー受信処理を行う（Ｓ１６０６）。以下、ポリシー受信処理の例を、図９を用いて説明する。
【０４９７】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【０４９８】
以下、オペレータポリシーを受信するための具体例を説明する。ＵＥ１０は、ＡＮＤＳＦ２０を探索し、探索したＡＮＤＳＦ２０とセキュアな通信を確保する（Ｓ９０４）。ＵＥ１０がＡＮＤＳＦ２０を探索する方法は種々考えられるが、例えば、ＰＤＮに配置されたＤＮＳサーバへＵＥ１０が問い合わせることにより、ＡＮＤＳＦ２０を探索することができる。ＵＥ１０とＡＮＤＳＦ２０がセキュアな通信を確保する方法は、種々考えられるが、例えば、ＩＰＳｅｃを利用しても良い。
【０４９９】
なお、ＵＥ１０は、許可情報１に基づいて、ＡＮＤＳＦ２０の探索、もしくはＡＮＤＳＦ２０とのセキュアな通信路を確立するための制御メッセージの送信をしてもよい。
【０５００】
ＵＥ１０は、ＡＮＤＳＦ２０との間にセキュアな通信路を確立したあと、ＡＮＤＳＦ２０へアクセスネットワーク情報の要求を送信する（Ｓ９０６）。
【０５０１】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【０５０２】
なお、ＵＥ１０は、許可情報１に基づいて、要求メッセージの送信をしてもよい。ＡＮＤＳＦ２０は、ＵＥ１０へオペレータポリシー通知を送信する（Ｓ９０８）。ＡＮＤＳＦ２０は、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【０５０３】
ＡＮＤＳＦ２０は、ＡＮＤＳＦポリシーと許可情報とを含めてオペレータポリシー通知を送信してもよい。ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。また、許可情報は、許可情報２４４の許可情報２であってよい。
【０５０４】
ＵＥ１０は、オペレータポリシー通知を受信し、ＡＮＤＳＦポリシーと許可情報を取得する。これにより、ＵＥ１０は許可情報１に基づいてオペレータポリシーを受信することができる。また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、ＡＮＤＳＦ２０から受信した許可情報２を、許可情報１４４の許可情報として記憶、または更新するなどしてＵＥの許可情報として管理してもよい。
【０５０５】
次に、ＵＥ１０はＬＴＥ＿ＡＮ８０からＲＡＮポリシーを受信か否かを決定する。ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【０５０６】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【０５０７】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ＵＥ１０が契約する移動通信事業者によって運用される基地局であってよい。
【０５０８】
なお、ｅＮＢ４５は、ＲＡＮポリシーを基地局エリアにブロードキャストして複数の端末へ送信してもよいし、ＵＥ１０のみに送信してもよい。
【０５０９】
これにより、ＵＥ１０は、許可情報２に基づいてＲＡＮポリシーを受信することができる。
【０５１０】
なお、許可情報２はかならずしもＡＮＤＳＦ２０から送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【０５１１】
次に、ＵＥ１０は、オペレータポリシーもしくはＲＡＮポリシーもしくはその両方を用いて、アクセスシステムの選択と、通信路切り替え手続きの決定を行う（Ｓ９１２）。
【０５１２】
本例では、ＵＥ１０がＵＥポリシー１４２に記憶するＡＰＮ１に対応付けられた通信を対象としたタイプ３のポリシーと、ｅＮＢ４５が送信するＲＡＮポリシーに基づいて、ＡＰＮ１に対応付けられた通信の通信路を切り替える例を説明する。
【０５１３】
なお、ＵＥポリシー１４２に記憶するＡＮＤＳＦポリシーはタイプ３ポリシーである。これは、許可情報１に基づいて、ＡＮＤＳＦ２０から受信したものをＵＥポリシー１４２に更新しても記憶したものであってもよい。
【０５１４】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はＡＰＮ１を識別する情報であり、アクセスネットワーク情報にはＬＴＥとＷＬＡＮを示す情報であり、アクセスネットワークの優先度はＬＴＥを優先する情報である。なお、具体的には、通信を識別する情報はＡＰＮ１を識別するＡＰＮであってもよい。
【０５１５】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【０５１６】
また、切り替え先の通信路と、切り替えを実行する通信データは、ＡＮＤＳＦポリシーを基に決定してもよい。具体的には、ＡＮＤＳＦポリシーの通信を識別する情報がＡＰＮ１を識別する情報であり、利用可能なアクセスネットワークとしてＷＬＡＮが記憶されていることから、ＡＰＮ１に対応づけられた通信を、ＷＬＡＮを用いた通信路に切り替えると決定してもよい。また、切り替え手段は、ＡＮＤＳＦポリシーがタイプ３のポリシーであることから、ＡＰＮベースの切り替えを行うことを決定してもよい。
【０５１７】
以上の手続きにより、ポリシー受信処理（Ｓ１６０６）を完了する。
【０５１８】
図５（ｃ）ポリシーの例３で示すタイプ３のポリシーの場合、ＡＮＤＳＦ２０がＵＥ１０に通知するポリシーの例として、ＡＰＮとルーティングルールを含めても良い。
【０５１９】
ＡＮＤＳＦ２０は、ＡＰＮとルーティングルールを含めることにより、ＵＥ１０に、ＡＰＮに応じて、アクセスシステムを切り替えさせることができる。つまり、ＵＥ１０は、ＡＮＤＳＦ２０からＡＮＤＳＦポリシーに含まれるＡＰＮ毎に、アクセスシステムを切り替えることができる。
【０５２０】
一方、ルーティングルールには、ポリシー内で、優先されるアクセスネットワークを示す情報が含まれる。ルーティングルールは、１．３．１．５で説明した図５（ｂ）ポリシーの例２で示すタイプ２のポリシーと同様であるため、その詳細な説明は省略する。
【０５２１】
また、タイプ３のポリシーの場合、ＡＮＤＳＦ２０は、ＡＰＮ、ルーティングルールの他、ルーティング基準、ルールプライオリティ、スレッショールド１、ＯＰＩ１を含めても良い。
【０５２２】
なお、ルーティング基準は１．３．１．５で説明したタイプ２のポリシーと同様であるため、その詳細な説明は省略する。また、ルールプライオリティは１．３．１．５で説明したタイプ２のポリシーと同様であるため、その詳細な説明は省略する。また、スレッショールド１はタイプ２のポリシーと同様であるため、その詳細な説明は省略する。また、ＯＰＩ１は１．３．１．５で説明したタイプ２のポリシーと同様であるため、その詳細な説明は省略する。
【０５２３】
上記、ＡＰＮ、ルーティングルールの他、ルーティング基準、ルールプライオリティ、スレッショールド１、ＯＰＩ１のうち、いずれか一つを含むのではなく、ＡＰＮ、ルーティングルールの他、ルーティング基準、ルールプライオリティ、スレッショールド１、ＯＰＩ１のうち、複数の情報が含むことにより、ＵＥ１０に、複数の情報により、ＡＮＤＳＦポリシーを実行させアクセスシステムを切り替えさせても良い。
【０５２４】
つまり、ＵＥ１０は、ＡＮＤＳＦ２０からＡＮＤＳＦポリシーに含まれるＡＰＮ、ルーティングルールの他、ルーティング基準、ルールプライオリティ、スレッショールド１、ＯＰＩ１のうち、複数の情報により、アクセスシステムを切り替えることができる。
【０５２５】
また、ＵＥ１０はｅＮＢ４５からＲＡＮポリシーに含まれるスレッショールドにより、アクセスシステムを切り替えても良い。なお、ＲＡＮポリシーによるアクセスシステムの切り替えの決定には、１．３．１．５で説明した方法を利用できるため、詳細な説明は省略する。
【０５２６】
つまり、ＲＡＮポリシーのスレッショールドはタイプ２のポリシーと同様である。また、ＲＡＮポリシーのＯＰＩは１．３．１．５で説明したタイプ２のポリシーと同様である。
【０５２７】
なお、ＵＥ１０は、ＡＮＤＳＦポリシーにスレッショールドが含まれ、ＲＡＮポリシーにスレッショールドが含まれる場合、ＡＮＤＳＦポリシーのスレッショールドを優先しても良いし、ＲＡＮポリシーを優先しても良い。なお、ＡＮＤＳＦポリシーとＲＡＮポリシーの優先順位の決定には、ＡＮＤＳＦポリシーに含まれるＯＰＩとＲＡＮポリシーに含まれるＯＰＩを利用して、決定してもよい。また、ＡＮＤＳＦポリシーにＯＰＩが含まれず、ＲＡＮポリシーにＯＰＩが含まれない場合、ＵＥ１０が任意にＡＮＤＳＦポリシーとＲＡＮポリシーの優先を決定して良い。
【０５２８】
以下、通信路の切り替え処理を通信路切り替え手続き２として説明する（Ｓ１６０８）。ＵＥ１０は、すくなくともＵＥのポリシーと、オペレータポリシーと、ＲＡＮポリシーの一部に基づいて、ＡＰＮ１の通信に用いる通信路を、通信路１から通信路３へ切り替える。なお、切り替えにあたり、ＵＥ１０は新たに通信路３を確立する。なお、ＵＥ１０はＡＰＮ１を基に通信路３を確立する。ここで、ＡＰＮ１は、通信路１と対応付けられていたＡＰＮと同じＡＰＮである。
【０５２９】
具体的な通信路３を確立する手続きと、手続きに伴う各装置の処理は、１．３．１．２で説明したＷＬＡＮ＿ＡＮａアタッチ手続きとほぼ同様であってよい。そのため、ＷＬＡＮ＿ＡＮａアタッチ手続きを説明した図１２を用いて、アタッチ手続きとの違いを中心に説明する。
【０５３０】
ＵＥ１０が送信するトリガーメッセージを送信するタイミングは、ポリシー受信処理（Ｓ１６０６）により切り替えを決定したことに基づいて送信されてよい。
【０５３１】
ＵＥ１０は、トリガーメッセージに、通信を識別する情報をさらに含めて送信してもよい。また、切り替え手段を示す識別情報をさらに含めて送信してもよい。
【０５３２】
ＷＬＡＮ＿ＡＮａ７０は、セッション生成要求またはプロキシーバインディング更新に、通信を識別する情報をさらに含めて送信してもよい。また、切り替え手段を示す識別情報をさらに含めて送信してもよい。
【０５３３】
ＰＧＷ４０は、セッション応答またはプロキシーバインディング応答に、通信を識別する情報をさらに含めて送信してもよい。また、切り替え手段を示す識別情報をさらに含めて送信してもよい。
【０５３４】
ＷＬＡＮ＿ＡＮａ７０は、トリガー応答に、通信を識別する情報をさらに含めて送信してもよい。また、切り替え手段を示す識別情報をさらに含めて送信してもよい。
【０５３５】
なお、通信を識別する情報は、ＡＰＮ１を識別する情報であってよい。また、切り替え手段を示す識別情報は、特定のＡＰＮに対応付けられた通信の通信路を切り替えることを示す識別情報であってよい。もしくは、ＭＡＰＣＯＮ（Ｍｕｌｔｉ  Ａｃｃｅｓ  ＰＤＮ  Ｃｏｎｎｅｃｔｉｖｉｔｙ）などの切り替え手段を示す識別情報であってよい。
【０５３６】
なお、通信を識別する情報には、ＡＰＮだけではなく、フローを識別する情報など、具体的に通信を識別する情報を含めて送信してもよい。
【０５３７】
本手続きにより、ＵＥ１０、ＷＬＡＮ＿ＡＮａ、ＰＧＷ４０は、通信路３を用いてＡＰＮ１に対応付けられた通信を行う。
【０５３８】
なお、ＵＥ１０、ＷＬＡＮ＿ＡＮａ、ＰＧＷ４０は、本手続きにおいてＡＰＮ１に対応付けられた通信を、通信路３を用いて実行するために、経路設定を行う。言い換えると、ＵＥ１０、ＷＬＡＮ＿ＡＮａ、ＰＧＷ４０は、本手続きにより、経路設定に必要となる通信を識別する情報を取得し、ＡＰＮ１に対応付けられた通信を、通信路３を用いて実行する。なお、ＡＰＮ１に対応付けられた通信とはフロー１およびフロー２であってもよい。
【０５３９】
以上の手続きにより、ＵＥ１０は、ＡＰＮ１に対応づけられた通信を、通信路３を用いて継続することができる（Ｓ１６１０）。なお、ＵＥ１０は、ＡＰＮ２に対応付けられた通信は、通信路２を用いて継続する（Ｓ１６１２）。
【０５４０】
さらに、ＵＥ１０およびＰＧＷ１０はリソース解放手続きを行ってもよい（Ｓ１６１４）。ＵＥ１０およびＰＧＷ１０は、リソース解放手続きにより、通信路１のリソースの解放や経路情報の削除などの、通信路の削除処理を実行してもよい。
【０５４１】
［１．３．２．６  タイプ３のポリシーを用いた切り替え手続き例２］
１．３．２．５で説明したタイプ２のポリシーを用いた切り替え手続き例１では、通信路３はＷＬＡＮ＿ＡＮａ７０を介してＰＧＷ４０へ接続する通信路である例を説明した。
【０５４２】
また、通信路３は、ＷＬＡＮ＿ＡＮｂ７５を介してＰＧＷ４０へ接続する通信路であってよい。
【０５４３】
以下、ＵＥ１０がタイプ３のポリシーを用いた切り替え手続きを、図１６を用いて説明する。図１６に示すように、初期状態においてＵＥ１０は、通信路１を確立しており、ＡＰＮに対応づけられた通信を実行している（Ｓ１６０２）。例えば、ＵＥ１０は、ＡＰＮ１に対応付けて通信路１を管理し、ＡＰＮ１を用いて通信を実行してよい。さらに、ＵＥ１０は通信路１に加え、通信路２を確立しており、ＡＰＮに対応づけられた通信を実行している（Ｓ１６０４）。例えば、ＵＥ１０は、ＡＰＮ２に対応付けて通信路２を管理し、ＡＰＮ２を用いてそれらの通信を実行してよい。
【０５４４】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０５４５】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられている。
【０５４６】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０５４７】
また、通信路２は、ＬＴＥ＿ＡＮ８０を介してＰＧＷ４０へ接続する通信路であってよい。さらに、ＵＥ１０はＡＰＮ２に対応付けて通信路２を確立してもよい。このように、ＵＥ１０とＰＧＷ４０では、ＡＰＮ２と通信路２は対応付けられている。
【０５４８】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【０５４９】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【０５５０】
次にＵＥ１０は、ポリシー受信処理を行う（Ｓ１６０６）。このポリシー受信処理は、１．３．２．５で説明したポリシー受信処理と同様の処理および手続きであってよい。そのため、詳細説明を省略する。
【０５５１】
以下、通信路の切り替え処理を通信路切り替え手続き２として説明する（Ｓ１６０８）。
【０５５２】
ＵＥ１０は、すくなくともＵＥのポリシーと、オペレータポリシーと、ＲＡＮポリシーの一部に基づいて、ＡＰＮ１の通信に用いる通信路を、通信路１から通信路３へ切り替える。なお、切り替えにあたり、ＵＥ１０は新たに通信路３を確立する。なお、ＵＥ１０はＡＰＮ１を基に通信路３を確立する。ここで、ＡＰＮ１は、通信路１と対応付けられていたＡＰＮと同じＡＰＮである。
【０５５３】
具体的な通信路３を確立する手続きと、手続きに伴う各装置の処理は、は、１．３．１．３で説明したＷＬＡＮ＿ＡＮｂアタッチ手続きとほぼ同様であってよい。そのため、ＷＬＡＮ＿ＡＮｂアタッチ手続きを説明した図１３を用いて、アタッチ手続きとの違いを中心に説明する。
【０５５４】
セキュリティアソシエーションを確立するための手続きを開始ための、ＵＥ１０が送信するトリガーとなる制御メッセージを送信するタイミングは、ポリシー受信処理（Ｓ１６０６）により切り替えを決定したことに基づいて送信されてよい。
【０５５５】
また、ＵＥ１０は、トリガーとなるメッセージに、通信を識別する情報をさらに含めて送信してもよい。また、切り替え手段を示す識別情報をさらに含めて送信してもよい。
【０５５６】
ここで、トリガーとなるメッセージは、１．３．１．３で説明したとおり、ＩＫＥｖ２認証手続きでＵＥ１０がｅＰＤＧ６５に送信する制御メッセージであってよい。
【０５５７】
ｅＰＤＧ６５は、は、セッション生成要求またはプロキシーバインディング更新に、通信を識別する情報をさらに含めて送信してもよい。また、切り替え手段を示す識別情報をさらに含めて送信してもよい。
【０５５８】
ＰＧＷ４０は、セッション応答またはプロキシーバインディング応答に、通信を識別する情報をさらに含めて送信してもよい。また、切り替え手段を示す識別情報をさらに含めて送信してもよい。
【０５５９】
ＷＬＡＮ＿ＡＮａ７０は、トリガーの応答メッセージに、通信を識別する情報をさらに含めて送信してもよい。また、切り替え手段を示す識別情報をさらに含めて送信してもよい。
【０５６０】
なお、トリガーの応答メッセージは、１．３．１．３で説明したとおり、ＩＫＥｖ２応答メッセージであってよい。
【０５６１】
なお、通信を識別する情報は、ＡＰＮ１を識別する情報であってよい。また、切り替え手段を示す識別情報は、特定のＡＰＮに対応付けられた通信の通信路を切り替えることを示す識別情報であってよい。もしくは、ＭＡＰＣＯＮ（Ｍｕｌｔｉ  Ａｃｃｅｓ  ＰＤＮ  Ｃｏｎｎｅｃｔｉｖｉｔｙ）などの切り替え手段を示す識別情報であってよい。
【０５６２】
本手続きにより、ＵＥ１０、ｅＰＤＧ６５、ＰＧＷ４０は、通信路３を用いてＡＰＮ１に対応付けられた通信を行う。より詳細には、ＵＥ１０は、通信路３を用いてＡＰＮ１に対応づけられた通信路３の通信を行う。
【０５６３】
なお、ＵＥ１０、ｅＰＤＧ６５、ＰＧＷ４０は、本手続きにおいＡＰＮ１に対応付けられた通信を、通信路３を用いて実行するために、経路設定を行う。言い換えると、ＵＥ１０、ｅＰＤＧ６５、ＰＧＷ４０は、本手続きにより、経路設定に必要となる通信を識別する情報を取得し、ＡＰＮ１に対応付けられた通信を、通信路３を用いて実行する。なお、ＡＰＮ１に対応付けられた通信とはフロー１およびフロー２であってもよい。
【０５６４】
以上の手続きにより、ＵＥ１０は、ＡＰＮ１に対応づけられた通信を、通信路３を用いて継続することができる（Ｓ１６１０）。なお、ＵＥ１０は、ＡＰＮ２に対応付けられた通信は、通信路２を用いて継続する（Ｓ１６１２）。
【０５６５】
さらに、ＵＥ１０およびＰＧＷ１０はリソース解放手続きを行ってもよい（Ｓ１６１４）。ＵＥ１０およびＰＧＷ１０は、リソース解放手続きにより、通信路１のリソースの解放や経路情報の削除などの、通信路の削除処理を実行してもよい。
【０５６６】
［１．３．２．７  タイプ３のポリシーを用いた切り替え手続き例３］
１．３．２．５で説明したタイプ２のポリシーを用いた切り替え手続き例１では、通信路３はＷＬＡＮ＿ＡＮａ７０を介してＰＧＷ４０へ接続する通信路である例を説明した。
【０５６７】
また、通信路３は、ＤＳＭＩＰを用いて確立した通信路であってよい。
【０５６８】
以下、ＵＥ１０がタイプ３のポリシーを用いた切り替え手続きを、図１６を用いて説明する。
【０５６９】
図１６に示すように、初期状態においてＵＥ１０は、通信路１を確立しており、ＡＰＮに対応づけられた通信を実行している（Ｓ１６０２）。例えば、ＵＥ１０は、ＡＰＮ１に対応付けてフロー１、フロー２を管理し、通信路１を用いてそれらの通信を実行してよい。さらに、ＵＥ１０は通信路１に加え、通信路２を確立しており、ＡＰＮに対応づけられた通信を実行している（Ｓ１６０４）。例えば、ＵＥ１０は、ＡＰＮ２に対応付けてフロー３を管理し、通信路１を用いてそれらの通信を実行してよい。
【０５７０】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０５７１】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられている。
【０５７２】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０５７３】
また、通信路２は、ＬＴＥ＿ＡＮ８０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられている。
【０５７４】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【０５７５】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【０５７６】
次にＵＥ１０は、ポリシー受信処理を行う（Ｓ１６０６）。このポリシー受信処理は、１．３．２．５で説明したポリシー受信処理と同様の処理および手続きであってよい。そのため、詳細説明を省略する。
【０５７７】
以下、通信路の切り替え処理を通信路切り替え手続き１として説明する（Ｓ１６０８）。
【０５７８】
ＵＥ１０は、すくなくともＵＥのポリシーと、オペレータポリシーと、ＲＡＮポリシーの一部に基づいて、ＡＰＮ１に対応づけられた通信に用いる通信路を、通信路１から通信路３へ切り替える。なお、切り替えにあたり、ＵＥ１０は新たに通信路３を確立する。なお、ＵＥ１０はＡＰＮ１を基に通信路３を確立する。ここで、ＡＰＮ１は、通信路１と対応付けられていたＡＰＮと同じＡＰＮである。
【０５７９】
具体的な通信路３を確立する手続きと、手続きに伴う各装置の処理は、１．３．１．４で説明したＤＳＭＩＰを用いたアタッチ手続きとほぼ同様であってよい。そのため、ＷＬＡＮ＿ＡＮｂアタッチ手続きを説明した図１４を用いて、アタッチ手続きとの違いを中心に説明する。
【０５８０】
ＵＥ１０がセキュリティアソシエーションを開始するトリガー、ポリシー受信処理（Ｓ１５０６）により切り替えを決定したことに基づいて送信されてよい。より具体的には、ＵＥ１０がセキュリティアソシエーションを開始するトリガーとなる制御メッセージを送信するタイミングは、ポリシー受信処理（Ｓ１５０６）により切り替えを決定したことに基づいて送信されてよい。
【０５８１】
また、ＵＥ１０は、バインディング更新メッセージに、通信を識別する情報をさらに含めて送信してもよい。また、切り替え手段を示す識別情報をさらに含めて送信してもよい。
【０５８２】
なお、ＵＥ１０が送信するバインディング更新メッセージを送信するタイミングは、ポリシー受信処理（Ｓ１６０６）により切り替えを決定したことに基づいて送信してもよいし、セキュリティアソシエーションが確立されたことに基づいて送信してもよい。
【０５８３】
ＵＥ１０は、バインディング更新に、通信を識別する情報をさらに含めて送信してもよい。また、切り替え手段を示す識別情報をさらに含めて送信してもよい。
【０５８４】
ＰＧＷ４０は、バインディング応答に、通信を識別する情報をさらに含めて送信してもよい。また、切り替え手段を示す識別情報をさらに含めて送信してもよい。
【０５８５】
なお、通信を識別する情報は、ＡＰＮ１を識別する情報であってよい。また、切り替え手段を示す識別情報は、特定のＡＰＮに対応付けられた通信の通信路を切り替えることを示す識別情報であってよい。もしくは、ＭＡＰＣＯＮ（Ｍｕｌｔｉ  Ａｃｃｅｓ  ＰＤＮ  Ｃｏｎｎｅｃｔｉｖｉｔｙ）などの切り替え手段を示す識別情報であってよい。
【０５８６】
本手続きにより、ＵＥ１０、ｅＰＤＧ６５、ＰＧＷ４０は、通信路３を用いてＡＰＮ１に対応付けられた通信を行う。より詳細には、ＵＥ１０は、ＡＰＮ１に対応づけられた通信路３の通信を行う。
【０５８７】
なお、ＵＥ１０、ｅＰＤＧ６５、ＰＧＷ４０は、本手続きにおいＡＰＮ１に対応付けられた通信を、通信路３を用いて実行するために、経路設定を行う。言い換えると、ＵＥ１０、ｅＰＤＧ６５、ＰＧＷ４０は、本手続きにより、経路設定に必要となる通信を識別する情報を取得し、ＡＰＮ１に対応付けられた通信を、通信路３を用いて実行する。なお、ＡＰＮ１に対応付けられた通信とはフロー１およびフロー２であってもよい。
【０５８８】
以上の手続きにより、ＵＥ１０は、ＡＰＮ１に対応づけられた通信を、通信路３を用いて継続することができる（Ｓ１６１０）。なお、ＵＥ１０は、ＡＰＮ２に対応付けられた通信は、通信路２を用いて継続する（Ｓ１６１２）。
【０５８９】
さらに、ＵＥ１０およびＰＧＷ１０はリソース解放手続きを行ってもよい（Ｓ１６１４）。ＵＥ１０およびＰＧＷ１０は、リソース解放手続きにより、通信路１のリソースの解放や経路情報の削除などの、通信路の削除処理を実行してもよい。
【０５９０】
［１．３．３  タイプ１のポリシーを用いた制御手続き］
本例では、ＵＥ１０が  図５（ａ）ポリシーの例１で示したタイプ１のＡＮＤＳＦポリシーとＲＡＮポリシーを用いて通信路を切り替える例を説明する。
【０５９１】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【０５９２】
［１．３．３．１  ＬＴＥアタッチ手続き］
ＵＥ１０がＬＴＥのアクセスシステム（ＬＴＥ＿ＡＮ８０）を経由した通信路を確立する。ＬＴＥアタッチ手続きは、図１１を用いて１．３．１．１で説明したＬＴＥアタッチ手続きと同様であってよい。なお、アタッチ手続きに関連する各装置の処理も同様であってよい。そのため、詳細説明を省略する。
【０５９３】
［１．３．３．２  ＷＬＡＮ＿ＡＮａアタッチ手続き］
ＵＥ１０がＷＬＡＮ＿ＡＮａ７０を介した通信路を確立する。ＷＬＡＮ＿ＡＮａ７０アタッチ手続きは、図１２を用いて１．３．１．２で説明したＷＬＡＮ＿ＡＮａ７０アタッチ手続きと同様であってよい。なお、アタッチ手続きに関連する各装置の処理も同様であってよい。そのため、詳細説明を省略する。
【０５９４】
［１．３．３．３  ＷＬＡＮ＿ＡＮｂアタッチ手続き］
ＵＥ１０がＷＬＡＮ＿ＡＮｂ７０を介した通信路を確立する。ＷＬＡＮ＿ＡＮｂ７０アタッチ手続きは、図１３を用いて１．３．１．３で説明したＷＬＡＮ＿ＡＮａ７０アタッチ手続きと同様であってよい。なお、アタッチ手続きに関連する各装置の処理も同様であってよい。そのため、詳細説明を省略する。
【０５９５】
［１．３．３．４  ＤＳＭＩＰを用いたアタッチ手続き］
ＵＥ１０がＤＳＭＩＰを用いて通信路を確立する。ＤＳＭＩＰを用いたアタッチ手続きは、図１３を用いて１．３．１．４で説明したＤＳＭＩＰを用いたアタッチ手続きと同様であってよい。なお、アタッチ手続きに関連する各装置の処理も同様であってよい。そのため、詳細説明を省略する。
【０５９６】
このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【０５９７】
［１．３．３．５  タイプ１のポリシーを用いた切り替え手続き例１］
次に、ＵＥ１０がタイプ１のポリシーを用いた切り替え手続きを、図１７を用いて説明する。
【０５９８】
図１７に示すように、初期状態においてＵＥ１０は、通信路１を確立しており、ＡＰＮに対応づけられた通信を実行している（Ｓ１７０２）。例えば、ＵＥ１０は、ＡＰＮ１に対応付けて通信路１を管理し、ＡＰＮ２に対応付けられて通信路２を管理し、通信路１、通信路２を用いてそれらの通信を実行してよい。さらに、ＵＥ１０は通信路１に加え、通信路２を確立しており、ＡＰＮに対応づけられた通信を実行している（Ｓ１７０４）。
【０５９９】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０６００】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられている。
【０６０１】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０６０２】
また、通信路２は、ＬＴＥ＿ＡＮ８０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられている。
【０６０３】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【０６０４】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【０６０５】
次にＵＥ１０は、ポリシー受信処理を行う（Ｓ１７０６）。以下、ポリシー受信処理の例を、図９を用いて説明する。
【０６０６】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【０６０７】
以下、オペレータポリシーを受信するための具体例を説明する。ＵＥ１０は、ＡＮＤＳＦ２０を探索し、探索したＡＮＤＳＦ２０とセキュアな通信を確保する（Ｓ９０４）。ＵＥ１０がＡＮＤＳＦ２０を探索する方法は種々考えられるが、例えば、ＰＤＮに配置されたＤＮＳサーバへＵＥ１０が問い合わせることにより、ＡＮＤＳＦ２０を探索することができる。ＵＥ１０とＡＮＤＳＦ２０がセキュアな通信を確保する方法は、種々考えられるが、例えば、ＩＰＳｅｃを利用しても良い。
【０６０８】
なお、ＵＥ１０は、許可情報１に基づいて、ＡＮＤＳＦ２０の探索、もしくはＡＮＤＳＦ２０とのセキュアな通信路を確立するための制御メッセージの送信をしてもよい。
【０６０９】
ＵＥ１０は、ＡＮＤＳＦ２０との間にセキュアな通信路を確立したあと、ＡＮＤＳＦ２０へアクセスネットワーク情報の要求を送信する（Ｓ９０６）。
【０６１０】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【０６１１】
なお、ＵＥ１０は、許可情報１に基づいて、要求メッセージの送信をしてもよい。ＡＮＤＳＦ２０は、ＵＥ１０へオペレータポリシー通知を送信する（Ｓ９０８）。ＡＮＤＳＦ２０は、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【０６１２】
ＡＮＤＳＦ２０は、ＡＮＤＳＦポリシーと許可情報とを含めてオペレータポリシー通知を送信してもよい。
【０６１３】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
【０６１４】
また、許可情報は、許可情報２４４の許可情報２であってよい。ＵＥ１０は、オペレータポリシー通知を受信し、ＡＮＤＳＦポリシーと許可情報を取得する。
【０６１５】
これにより、ＵＥ１０は許可情報１に基づいてオペレータポリシーを受信することができる。
【０６１６】
また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、ＡＮＤＳＦ２０から受信した許可情報２を、許可情報１４４の許可情報として記憶、または更新するなどしてＵＥの許可情報として管理してもよい。
【０６１７】
次に、ＵＥ１０はＬＴＥ＿ＡＮ８０からＲＡＮポリシーを受信か否かを決定する。ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【０６１８】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【０６１９】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ＵＥ１０が契約する移動通信事業者によって運用される基地局であってよい。
【０６２０】
なお、ｅＮＢ４５は、ＲＡＮポリシーを基地局エリアにブロードキャストして複数の端末へ送信してもよいし、ＵＥ１０のみに送信してもよい。
これにより、ＵＥ１０は、許可情報２に基づいてＲＡＮポリシーを受信することができる。
【０６２１】
なお、許可情報２はかならずしもＡＮＤＳＦ２０から送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【０６２２】
次に、ＵＥ１０は、オペレータポリシーもしくはＲＡＮポリシーもしくはその両方を用いて、アクセスシステムの選択と、通信路切り替え手続きの決定を行う（Ｓ９１２）。
【０６２３】
本例では、ＵＥ１０がＵＥポリシー１４２に記憶するＵＥ１０のすべての通信を対象としたタイプ１のポリシーと、ｅＮＢ４５が送信するＲＡＮポリシーに基づいて、ＡＰＮ１に対応付けられた通信の通信路を切り替える例を説明する。
【０６２４】
なお、ＵＥポリシー１４２に記憶するＡＮＤＳＦポリシーはタイプ１ポリシーである。これは、許可情報１に基づいて、ＡＮＤＳＦ２０から受信したものをＵＥポリシー１４２に更新しても記憶したものであってもよい。
【０６２５】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はすべての通信を示す情報であり、アクセスネットワーク情報にはＬＴＥとＷＬＡＮを示す情報であり、アクセスネットワークの優先度はＬＴＥを優先する情報である。なお、具体的には、通信を識別する情報はすべての通信を示す情報であるため、明示的にポリシーに識別情報を含まず、識別情報を含まないことによって暗示的にすべての通信を識別してもよい。
【０６２６】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【０６２７】
また、切り替え先の通信路と、切り替えを実行する通信データは、ＡＮＤＳＦポリシーを基に決定してもよい。具体的には、ＡＮＤＳＦポリシーの通信を識別する情報がすべての通信を識別する情報であり、利用可能なアクセスネットワークとしてＷＬＡＮが記憶されていることから、ＵＥ１０のすべての通信を、ＷＬＡＮを用いた通信路に切り替えると決定してもよい。
【０６２８】
また、切り替え手段は、ＡＮＤＳＦポリシーがタイプ１のポリシーであることから、すべての通信の切り替えを行うことを決定してもよい。
【０６２９】
以上の手続きにより、ポリシー受信処理（Ｓ１７０６）を完了する。
【０６３０】
例えば、図５（ａ）ポリシーの例１で示すタイプ１のポリシーの場合、ＡＮＤＳＦ２０がＵＥ１０に通知するポリシーの例として、優先されるアクセスを含めても良い。ＡＮＤＳＦ２０は、優先されるアクセスを含めることにより、ＵＥ１０に、アクセスシステムを切り替えさせることができる。つまり、ＵＥ１０は、ＡＮＤＳＦ２０からＡＮＤＳＦポリシーに含まれる優先されるアクセスにより、アクセスシステムを切り替えることができる。
【０６３１】
また、タイプ１のポリシーの場合、ＡＮＤＳＦ２０は、優先されるアクセスの他、ルールプライオリティ、有効なエリア、ローミングの有無、ＰＬＭＮ  ＩＤ、時刻、スレッショールド１、ＯＰＩ１、ポリシーの更新の有無を含めても良い。
【０６３２】
なお、ルールプライオリティは１．３．１．５で説明したタイプ２のポリシーと同様であるため、その詳細な説明は省略する。また、有効なエリアは１．３．１．５で説明したタイプ２のポリシーにおけるルーティング基準の有効なエリアと同様であるため、その詳細な説明は省略する。
【０６３３】
また、ＡＮＤＳＦ２０は、ローミングの有無を含めることにより、ＵＥ１０にローミングの有無で、ポリシーを実行させ、アクセスシステムを切り替えさせることができる。つまり、ＵＥ１０は、ＡＮＤＳＦ２０からＡＮＤＳＦポリシーに含まれるローミングの有無に、アクセスシステムを切り替えることができる。
【０６３４】
また、ＡＮＤＳＦ２０は、ＰＬＭＮ  ＩＤを含めることにより、ＵＥ１０にＰＬＭＮ  ＩＤが示すエリアに在圏する場合、ポリシーを実行させ、アクセスシステムを切り替えさせることができる。つまり、ＵＥ１０は、ＡＮＤＳＦ２０からＡＮＤＳＦポリシーに含まれるＰＬＭＮ  ＩＤが示すエリアに在圏する場合、ポリシーを実行させ、アクセスシステムを切り替えることができる。
【０６３５】
また、時刻は１．３．１．５で説明したタイプ２のポリシーにおけるルーティング基準の時刻と同様であるため、その詳細な説明は省略する。また、スレッショールド１は１．３．１．５で説明したタイプ２のポリシーと同様であるため、その詳細な説明は省略する。また、ＯＰＩ１は１．３．１．５で説明したタイプ２のポリシーと同様であるため、その詳細な説明は省略する。
【０６３６】
また、ＡＮＤＳＦ２０は、ポリシー更新の有無を含めることにより、ＵＥ１０にポリシーを更新させ、アクセスシステムを切り替えさせることができる。つまり、ＵＥ１０は、ＡＮＤＳＦ２０からＡＮＤＳＦポリシーに含まれるポリシー更新の有無により、ポリシーを更新させ、アクセスシステムを切り替えることができる。
【０６３７】
また、ＵＥ１０はｅＮＢ４５からＲＡＮポリシーに含まれるスレッショールドにより、アクセスシステムを切り替えても良い。なお、ＲＡＮポリシーによるアクセスシステムの切り替えの決定には、１．３．１．５で説明した方法を利用できるため、詳細な説明は省略する。
【０６３８】
つまり、ＲＡＮポリシーのスレッショールドはタイプ２のポリシーと同様である。また、ＲＡＮポリシーのＯＰＩは１．３．１．５で説明したタイプ２のポリシーと同様である。
【０６３９】
なお、ＵＥ１０は、ＡＮＤＳＦポリシーにスレッショールドが含まれ、ＲＡＮポリシーにスレッショールドが含まれる場合、ＡＮＤＳＦポリシーのスレッショールドを優先しても良いし、ＲＡＮポリシーを優先しても良い。なお、ＡＮＤＳＦポリシーとＲＡＮポリシーの優先順位の決定には、ＡＮＤＳＦポリシーに含まれるＯＰＩとＲＡＮポリシーに含まれるＯＰＩを利用して、決定してもよい。また、ＡＮＤＳＦポリシーにＯＰＩが含まれず、ＲＡＮポリシーにＯＰＩが含まれない場合、ＵＥ１０が任意にＡＮＤＳＦポリシーとＲＡＮポリシーの優先を決定して良い。
【０６４０】
以下、通信路の切り替え処理を通信路切り替え手続き３として説明する（Ｓ１７０８）。
【０６４１】
ＵＥ１０は、すくなくともＵＥのポリシーと、オペレータポリシーと、ＲＡＮポリシーの一部に基づいて、すべての通信の通信路を、ＷＬＡＮを経由した通信路に切り替える。ＵＥは、通信路の切り替えをＡＰＮに対応付けられた通信ごとに実行する。
【０６４２】
ここで、ＵＥ１０はＡＰＮ１とＡＰＮ２を用いて通信路を確立している。したがって、ＵＥ１０はＡＰＮ１に対応づけられた通信の通信路を、通信路１から通信路３へ切り替える。さらに、ＵＥ１０はＡＰＮ２に対応づけられた通信の通信路を、通信路２から通信路４へ切り替える。なお、切り替えにあたり、ＵＥ１０は新たに通信路３と通信路４を確立する。なお、ＵＥ１０はＡＰＮ１を基に通信路３を確立する。さらに、ＵＥ１０はＡＰＮ２を基に通信路４を確立する。
【０６４３】
また、ＵＥ１０は、ＡＰＮ１、ＡＰＮ２だけでなく、その他の複数のＡＰＮに対して通信路を確立した場合には、各ＡＰＮに対応するＷＬＡＮ経由の通信路を確立し、すべての通信を、ＷＬＡＮ経由の通信路に切り替える。
【０６４４】
具体的な通信路３を確立する手続きと、手続きに伴う各装置の処理は、１．３．１．２で説明したＷＬＡＮ＿ＡＮａアタッチ手続きとほぼ同様であってよい。そのため、ＷＬＡＮ＿ＡＮａアタッチ手続きを説明した図１２を用いて、アタッチ手続きとの違いを中心に説明する。
【０６４５】
ＵＥ１０が送信するトリガーメッセージを送信するタイミングは、ポリシー受信処理（Ｓ１７０６）により切り替えを決定したことに基づいて送信されてよい。ＵＥ１０は、トリガーメッセージに、通信を識別する情報をさらに含めて送信してもよい。また、切り替え手段を示す識別情報をさらに含めて送信してもよい。ＷＬＡＮ＿ＡＮａ７０は、セッション生成要求またはプロキシーバインディング更新に、通信を識別する情報をさらに含めて送信してもよい。また、切り替え手段を示す識別情報をさらに含めて送信してもよい。
【０６４６】
ＰＧＷ４０は、セッション応答またはプロキシーバインディング応答に、通信を識別する情報をさらに含めて送信してもよい。また、切り替え手段を示す識別情報をさらに含めて送信してもよい。
【０６４７】
ＷＬＡＮ＿ＡＮａ７０は、トリガー応答に、通信を識別する情報をさらに含めて送信してもよい。また、切り替え手段を示す識別情報をさらに含めて送信してもよい。
【０６４８】
なお、通信を識別する情報は、ＡＰＮ１を識別する情報であってよい。また、切り替え手段を示す識別情報は、特定のＡＰＮに対応付けられた通信の通信路を切り替えることを示す識別情報であってよい。もしくは、すべての通信を切り替えるなどの切り替え手段を示す識別情報であってよい。
【０６４９】
なお、通信を識別する情報には、ＡＰＮだけではなく、フローを識別する情報など、具体的に通信を識別する情報を含めて送信してもよい。
【０６５０】
さらに、ＵＥ１０はＡＰＮ２を基に通信路４を確立する。
【０６５１】
具体的な通信路４を確立する手続きと、手続きに伴う各装置の処理は、１．３．１．２で説明したＷＬＡＮ＿ＡＮａアタッチ手続きとほぼ同様であってよい。そのため、ＷＬＡＮ＿ＡＮａアタッチ手続きを説明した図１２を用いて、アタッチ手続きとの違いを中心に説明する。
【０６５２】
ＵＥ１０が送信するトリガーメッセージを送信するタイミングは、ポリシー受信処理（Ｓ１７０６）により切り替えを決定したことに基づいて送信されてよい。
【０６５３】
ＵＥ１０は、トリガーメッセージに、通信を識別する情報をさらに含めて送信してもよい。また、切り替え手段を示す識別情報をさらに含めて送信してもよい。
【０６５４】
ＷＬＡＮ＿ＡＮａ７０は、セッション生成要求またはプロキシーバインディング更新に、通信を識別する情報をさらに含めて送信してもよい。また、切り替え手段を示す識別情報をさらに含めて送信してもよい。
【０６５５】
ＰＧＷ４０は、セッション応答またはプロキシーバインディング応答に、通信を識別する情報をさらに含めて送信してもよい。また、切り替え手段を示す識別情報をさらに含めて送信してもよい。
【０６５６】
ＷＬＡＮ＿ＡＮａ７０は、トリガー応答に、通信を識別する情報をさらに含めて送信してもよい。また、切り替え手段を示す識別情報をさらに含めて送信してもよい。
【０６５７】
なお、通信を識別する情報は、ＡＰＮ２を識別する情報であってよい。また、切り替え手段を示す識別情報は、特定のＡＰＮに対応付けられた通信の通信路を切り替えることを示す識別情報であってよい。もしくは、すべての通信を切り替えるなどの切り替え手段を示す識別情報であってよい。
【０６５８】
なお、通信を識別する情報には、ＡＰＮだけではなく、フローを識別する情報など、具体的に通信を識別する情報を含めて送信してもよい。
【０６５９】
ここで、ＵＥ１０は、ＡＰＮ１、ＡＰＮ２だけでなく、その他の複数のＡＰＮに対して通信路を確立した場合には、各ＡＰＮに対応するＷＬＡＮ経由の通信路を確立し、すべての通信を、ＷＬＡＮ経由の通信路に切り替える。
【０６６０】
本手続きにより、ＵＥ１０、ＷＬＡＮ＿ＡＮａ、ＰＧＷ４０は、通信路３を用いてＡＰＮ１に対応付けられた通信を行う。
【０６６１】
さらに、ＵＥ１０、ＷＬＡＮ＿ＡＮａ、ＰＧＷ４０は、通信路４を用いてＡＰＮ２に対応付けられた通信を行う。
【０６６２】
なお、ＵＥ１０、ＷＬＡＮ＿ＡＮａ、ＰＧＷ４０は、本手続きにおいＡＰＮ１に対応付けられた通信を、通信路３を用いて実行するために、経路設定を行う。言い換えると、ＵＥ１０、ＷＬＡＮ＿ＡＮａ、ＰＧＷ４０は、通信路３を確立する手続きにより、経路設定に必要となる通信を識別する情報を取得し、ＡＰＮ１に対応付けられた通信を、通信路３を用いて実行する。
【０６６３】
また、ＵＥ１０、ＷＬＡＮ＿ＡＮａ、ＰＧＷ４０は、本手続きにおいＡＰＮ２に対応付けられた通信を、通信路４を用いて実行するために、経路設定を行う。言い換えると、ＵＥ１０、ＷＬＡＮ＿ＡＮａ、ＰＧＷ４０は、通信路３を確立する手続きにより、経路設定に必要となる通信を識別する情報を取得し、ＡＰＮ２に対応付けられた通信を、通信路４を用いて実行する。
【０６６４】
以上の手続きにより、ＵＥ１０は、ＡＰＮ１に対応づけられた通信を、通信路３を用いて継続することができる（Ｓ１７１０）。さらに、ＵＥ１０は、ＡＰＮ２に対応付けられた通信を、通信路４を用いて継続することができる（Ｓ１７１２）。
【０６６５】
さらに、ＵＥ１０およびＰＧＷ１０はリソース解放手続きを行ってもよい（Ｓ１７１４）。ＵＥ１０およびＰＧＷ１０は、リソース解放手続きにより、通信路１および通信路２のリソースの解放や経路情報の削除などの、通信路の削除処理を実行してもよい。
【０６６６】
上記では、ＡＰＮ１においてＬＴＥ経由の通信路１を確立し（Ｓ１７０２）、ＡＰＮ２においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３とＡＰＮ２においてＷＬＡＮ経由の通信路４へ切り替えた。
【０６６７】
ここで、ＡＰＮ１においてＬＴＥ経由の通信路１を確立し（Ｓ１７０２）、ＡＰＮ１においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３とＡＰＮ１においてＷＬＡＮ経由の通信路４へ切り替えても良い。
【０６６８】
また、ＡＰＮ１においてＬＴＥ経由の通信路１を確立し（Ｓ１７０２）、ＡＰＮ１においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３へ切り替えても良い。
【０６６９】
［１．３．３．６  タイプ１のポリシーを用いた切り替え手続き例２］
１．３．３．５で説明したタイプ１のポリシーを用いた切り替え手続き例１では、通信路３および通信路４は、ＷＬＡＮ＿ＡＮａ７０を介してＰＧＷ４０へ接続する通信路である例を説明した。
【０６７０】
また、通信路３および通信路４は、ＷＬＡＮ＿ＡＮｂ７５を介してＰＧＷ４０へ接続する通信路であってよい。
【０６７１】
以下、ＵＥ１０がタイプ１のポリシーを用いた切り替え手続きを、図１７を用いて説明する。
【０６７２】
ＵＥ１０を含む各装置のポシリー受信処理（Ｓ１７０６）に至るまでの手続きおよび処理は、１．３．３．６で行う手続きおよび処理と同様であってよい。具体的には、通信路１および通信路２の確立にかかる手続き、および各装置の処理は、１．３．３．６で説明した手続きおよび処理と同様でよい。そのため、詳細説明は省略する。
【０６７３】
さらに、ＵＥ１０は、ポリシー受信処理を行う（Ｓ１７０６）。このポリシー受信処理は、１．３．２．５で説明したポリシー受信処理と同様の処理および手続きであってよい。そのため、詳細説明を省略する。
【０６７４】
以下、通信路の切り替え処理を通信路切り替え手続き３として説明する（Ｓ１７０８）。
【０６７５】
ＵＥ１０は、すくなくともＵＥのポリシーと、オペレータポリシーと、ＲＡＮポリシーの一部に基づいて、すべての通信の通信路を、ＷＬＡＮを経由した通信路に切り替える。ＵＥは、通信路の切り替えをＡＰＮに対応付けられた通信ごとに実行する。
【０６７６】
ここで、ＵＥ１０はＡＰＮ１とＡＰＮ２を用いて通信路を確立している。したがって、ＵＥ１０はＡＰＮ１に対応づけられた通信の通信路を、通信路１から通信路３へ切り替える。さらに、ＵＥ１０はＡＰＮ２に対応づけられた通信の通信路を、通信路２から通信路４へ切り替える。また、なお、切り替えにあたり、ＵＥ１０は新たに通信路３と通信路４を確立する。なお、ＵＥ１０はＡＰＮ１を基に通信路３を確立する。さらに、ＵＥ１０はＡＰＮ２を基に通信路４を確立する。
【０６７７】
また、ＵＥ１０は、ＡＰＮ１、ＡＰＮ２だけでなく、その他の複数のＡＰＮに対して通信路を確立した場合には、各ＡＰＮに対応するＷＬＡＮ経由の通信路を確立し、すべての通信を、ＷＬＡＮ経由の通信路に切り替える。
【０６７８】
具体的な通信路３を確立する手続きと、手続きに伴う各装置の処理は、は、１．３．１．３で説明したＷＬＡＮ＿ＡＮｂアタッチ手続きとほぼ同様であってよい。そのため、ＷＬＡＮ＿ＡＮｂアタッチ手続きを説明した図１３を用いて、アタッチ手続きとの違いを中心に説明する。
【０６７９】
セキュリティアソシエーションを確立するための手続きを開始ための、ＵＥ１０が送信するトリガーとなる制御メッセージを送信するタイミングは、ポリシー受信処理（Ｓ１７０６）により切り替えを決定したことに基づいて送信されてよい。
【０６８０】
また、ＵＥ１０は、トリガーとなるメッセージに、通信を識別する情報をさらに含めて送信してもよい。また、切り替え手段を示す識別情報をさらに含めて送信してもよい。
【０６８１】
ここで、トリガーとなるメッセージは、１．３．１．３で説明したとおり、ＩＫＥｖ２認証手続きでＵＥ１０がｅＰＤＧ６５に送信する制御メッセージであってよい。
【０６８２】
ｅＰＤＧ６５は、は、セッション生成要求またはプロキシーバインディング更新に、通信を識別する情報をさらに含めて送信してもよい。また、切り替え手段を示す識別情報をさらに含めて送信してもよい。
【０６８３】
ＰＧＷ４０は、セッション応答またはプロキシーバインディング応答に、通信を識別する情報をさらに含めて送信してもよい。また、切り替え手段を示す識別情報をさらに含めて送信してもよい。
【０６８４】
ＷＬＡＮ＿ＡＮａ７０は、トリガーの応答メッセージに、通信を識別する情報をさらに含めて送信してもよい。また、切り替え手段を示す識別情報をさらに含めて送信してもよい。
【０６８５】
なお、トリガーの応答メッセージは、１．３．１．３で説明したとおり、ＩＫＥｖ２応答メッセージであってよい。
【０６８６】
なお、通信を識別する情報は、ＡＰＮ１を識別する情報であってよい。また、切り替え手段を示す識別情報は、特定のＡＰＮに対応付けられた通信の通信路を切り替えることを示す識別情報であってよい。もしくは、すべての通信を切り替えるなどの切り替え手段を示す識別情報であってよい。
【０６８７】
なお、通信を識別する情報には、ＡＰＮだけではなく、フローを識別する情報など、具体的に通信を識別する情報を含めて送信してもよい。
【０６８８】
さらに、ＵＥ１０はＡＰＮ２を基に通信路４を確立する。
【０６８９】
具体的な通信路４を確立する手続きと、手続きに伴う各装置の処理は、は、１．３．１．３で説明したＷＬＡＮ＿ＡＮｂアタッチ手続きとほぼ同様であってよい。そのため、ＷＬＡＮ＿ＡＮｂアタッチ手続きを説明した図１３を用いて、アタッチ手続きとの違いを中心に説明する。
【０６９０】
セキュリティアソシエーションを確立するための手続きを開始ための、ＵＥ１０が送信するトリガーとなる制御メッセージを送信するタイミングは、ポリシー受信処理（Ｓ１７０６）により切り替えを決定したことに基づいて送信されてよい。
【０６９１】
また、ＵＥ１０は、トリガーとなるメッセージに、通信を識別する情報をさらに含めて送信してもよい。また、切り替え手段を示す識別情報をさらに含めて送信してもよい。
【０６９２】
ここで、トリガーとなるメッセージは、１．３．１．３で説明したとおり、ＩＫＥｖ２認証手続きでＵＥ１０がｅＰＤＧ６５に送信する制御メッセージであってよい。
【０６９３】
ｅＰＤＧ６５は、は、セッション生成要求またはプロキシーバインディング更新に、通信を識別する情報をさらに含めて送信してもよい。また、切り替え手段を示す識別情報をさらに含めて送信してもよい。
【０６９４】
ＰＧＷ４０は、セッション応答またはプロキシーバインディング応答に、通信を識別する情報をさらに含めて送信してもよい。また、切り替え手段を示す識別情報をさらに含めて送信してもよい。
【０６９５】
ＷＬＡＮ＿ＡＮａ７０は、トリガーの応答メッセージに、通信を識別する情報をさらに含めて送信してもよい。また、切り替え手段を示す識別情報をさらに含めて送信してもよい。
【０６９６】
なお、トリガーの応答メッセージは、１．３．１．３で説明したとおり、ＩＫＥｖ２応答メッセージであってよい。
【０６９７】
なお、通信を識別する情報は、ＡＰＮ２を識別する情報であってよい。また、切り替え手段を示す識別情報は、特定のＡＰＮに対応付けられた通信の通信路を切り替えることを示す識別情報であってよい。もしくは、すべての通信を切り替えるなどの切り替え手段を示す識別情報であってよい。
【０６９８】
なお、通信を識別する情報には、ＡＰＮだけではなく、フローを識別する情報など、具体的に通信を識別する情報を含めて送信してもよい。
【０６９９】
ここで、ＵＥ１０は、ＡＰＮ１、ＡＰＮ２だけでなく、その他の複数のＡＰＮに対して通信路を確立した場合には、各ＡＰＮに対応するＷＬＡＮ経由の通信路を確立し、すべての通信を、ＷＬＡＮ経由の通信路に切り替える。
【０７００】
本手続きにより、ＵＥ１０、ｅＰＤＧ６５、ＰＧＷ４０は、通信路３を用いてＡＰＮ１に対応付けられた通信を行う。
【０７０１】
さらに、ＵＥ１０、ｅＰＤＧ６５、ＰＧＷ４０は、通信路４を用いてＡＰＮ２に対応付けられた通信を行う。
【０７０２】
なお、ＵＥ１０、ｅＰＤＧ６５、ＰＧＷ４０は、本手続きにおいＡＰＮ１に対応付けられた通信を、通信路３を用いて実行するために、経路設定を行う。言い換えると、ＵＥ１０、ｅＰＤＧ６５、ＰＧＷ４０は、通信路３を確立する手続きにより、経路設定に必要となる通信を識別する情報を取得し、ＡＰＮ１に対応付けられた通信を、通信路３を用いて実行する。
【０７０３】
また、ＵＥ１０、ｅＰＤＧ６５、ＰＧＷ４０は、本手続きにおいＡＰＮ２に対応付けられた通信を、通信路４を用いて実行するために、経路設定を行う。言い換えると、ＵＥ１０、ｅＰＤＧ６５、ＰＧＷ４０は、通信路３を確立する手続きにより、経路設定に必要となる通信を識別する情報を取得し、ＡＰＮ２に対応付けられた通信を、通信路４を用いて実行する。
【０７０４】
以上の手続きにより、ＵＥ１０は、ＡＰＮ１に対応づけられた通信を、通信路３を用いて継続することができる（Ｓ１７１０）。さらに、ＵＥ１０は、ＡＰＮ２に対応付けられた通信を、通信路４を用いて継続することができる（Ｓ１７１２）。
【０７０５】
さらに、ＵＥ１０およびＰＧＷ１０はリソース解放手続きを行ってもよい（Ｓ１７１４）。ＵＥ１０およびＰＧＷ１０は、リソース解放手続きにより、通信路１および通信路２のリソースの解放や経路情報の削除などの、通信路の削除処理を実行してもよい。
【０７０６】
上記では、ＡＰＮ１においてＬＴＥ経由の通信路１を確立し（Ｓ１７０２）、ＡＰＮ２においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３とＡＰＮ２においてＷＬＡＮ経由の通信路４へ切り替えた。
【０７０７】
ここで、ＡＰＮ１においてＬＴＥ経由の通信路１を確立し（Ｓ１７０２）、ＡＰＮ１においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３とＡＰＮ１においてＷＬＡＮ経由の通信路４へ切り替えても良い。
【０７０８】
また、ＡＰＮ１においてＬＴＥ経由の通信路１を確立し（Ｓ１７０２）、ＡＰＮ１においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３へ切り替えても良い。
【０７０９】
［１．３．３．７  タイプ１のポリシーを用いた切り替え手続き例３］
１．３．３．５で説明したタイプ１のポリシーを用いた切り替え手続き例１では、通信路３および通信路４は、ＷＬＡＮ＿ＡＮａ７０を介してＰＧＷ４０へ接続する通信路である例を説明した。
【０７１０】
また、通信路３および通信路４は、通信路３は、ＤＳＭＩＰを用いて確立した通信路であってよい。
【０７１１】
以下、ＵＥ１０がタイプ３のポリシーを用いた切り替え手続きを、図１７を用いて説明する。
【０７１２】
ＵＥ１０を含む各装置のポシリー受信処理（Ｓ１７０６）に至るまでの手続きおよび処理は、１．３．３．６で行う手続きおよび処理と同様であってよい。具体的には、通信路１および通信路２の確立にかかる手続き、および各装置の処理は、１．３．３．６で説明した手続きおよび処理と同様でよい。そのため、詳細説明は省略する。
【０７１３】
さらに、ＵＥ１０は、ポリシー受信処理を行う（Ｓ１７０６）。このポリシー受信処理は、１．３．２．５で説明したポリシー受信処理と同様の処理および手続きであってよい。そのため、詳細説明を省略する。
【０７１４】
以下、通信路の切り替え処理を通信路切り替え手続き３として説明する（Ｓ１７０８）。ＵＥ１０は、すくなくともＵＥのポリシーと、オペレータポリシーと、ＲＡＮポリシーの一部に基づいて、すべての通信の通信路を、ＷＬＡＮを経由した通信路に切り替える。ＵＥは、通信路の切り替えをＡＰＮに対応付けられた通信ごとに実行する。
【０７１５】
ここで、ＵＥ１０はＡＰＮ１とＡＰＮ２を用いて通信路を確立している。したがって、ＵＥ１０はＡＰＮ１に対応づけられた通信の通信路を、通信路１から通信路３へ切り替える。さらに、ＵＥ１０はＡＰＮ２に対応づけられた通信の通信路を、通信路２から通信路４へ切り替える。また、なお、切り替えにあたり、ＵＥ１０は新たに通信路３と通信路４を確立する。なお、ＵＥ１０はＡＰＮ１を基に通信路３を確立する。さらに、ＵＥ１０はＡＰＮ２を基に通信路４を確立する。
【０７１６】
また、ＵＥ１０は、ＡＰＮ１、ＡＰＮ２だけでなく、その他の複数のＡＰＮに対して通信路を確立した場合には、各ＡＰＮに対応するＷＬＡＮ経由の通信路を確立し、すべての通信を、ＷＬＡＮ経由の通信路に切り替える。
【０７１７】
具体的な通信路３を確立する手続きと、手続きに伴う各装置の処理は、は、１．３．１．４で説明したＤＩＭＩＰを用いたアタッチ手続きとほぼ同様であってよい。そのため、ＤＳＭＩＰのアタッチ手続きを説明した図１４を用いて、アタッチ手続きとの違いを中心に説明する。
【０７１８】
ＵＥ１０がセキュリティアソシエーションを開始するトリガー、ポリシー受信処理（Ｓ１７０６）により切り替えを決定したことに基づいて送信されてよい。より具体的には、ＵＥ１０がセキュリティアソシエーションを開始するトリガーとなる制御メッセージを送信するタイミングは、ポリシー受信処理（Ｓ１７０６）により切り替えを決定したことに基づいて送信されてよい。
【０７１９】
また、ＵＥ１０は、バインディング更新メッセージに、通信を識別する情報をさらに含めて送信してもよい。また、切り替え手段を示す識別情報をさらに含めて送信してもよい。
【０７２０】
なお、ＵＥ１０が送信するバインディング更新メッセージを送信するタイミングは、ポリシー受信処理（Ｓ１７０６）により切り替えを決定したことに基づいて送信してもよいし、セキュリティアソシエーションが確立されたことに基づいて送信してもよい。
ＵＥ１０は、バインディング更新に、通信を識別する情報をさらに含めて送信してもよい。また、切り替え手段を示す識別情報をさらに含めて送信してもよい。
【０７２１】
ＰＧＷ４０は、バインディング応答に、通信を識別する情報をさらに含めて送信してもよい。また、切り替え手段を示す識別情報をさらに含めて送信してもよい。
【０７２２】
なお、通信を識別する情報は、ＡＰＮ１を識別する情報であってよい。また、切り替え手段を示す識別情報は、特定のＡＰＮに対応付けられた通信の通信路を切り替えることを示す識別情報であってよい。もしくは、すべての通信を切り替えるなどの切り替え手段を示す識別情報であってよい。
【０７２３】
なお、通信を識別する情報には、ＡＰＮだけではなく、フローを識別する情報など、具体的に通信を識別する情報を含めて送信してもよい。さらに、ＵＥ１０はＡＰＮ２を基に通信路４を確立する。
【０７２４】
具体的な通信路４を確立する手続きと、手続きに伴う各装置の処理は、は、１．３．１．４で説明したＤＩＭＩＰを用いたアタッチ手続きとほぼ同様であってよい。そのため、ＤＳＭＩＰのアタッチ手続きを説明した図１４を用いて、アタッチ手続きとの違いを中心に説明する。
【０７２５】
ＵＥ１０がセキュリティアソシエーションを開始するトリガー、ポリシー受信処理（Ｓ１７０６）により切り替えを決定したことに基づいて送信されてよい。より具体的には、ＵＥ１０がセキュリティアソシエーションを開始するトリガーとなる制御メッセージを送信するタイミングは、ポリシー受信処理（Ｓ１７０６）により切り替えを決定したことに基づいて送信されてよい。
【０７２６】
また、ＵＥ１０は、バインディング更新メッセージに、通信を識別する情報をさらに含めて送信してもよい。また、切り替え手段を示す識別情報をさらに含めて送信してもよい。
【０７２７】
なお、ＵＥ１０が送信するバインディング更新メッセージを送信するタイミングは、ポリシー受信処理（Ｓ１７０６）により切り替えを決定したことに基づいて送信してもよいし、セキュリティアソシエーションが確立されたことに基づいて送信してもよい。
【０７２８】
ＵＥ１０は、バインディング更新に、通信を識別する情報をさらに含めて送信してもよい。また、切り替え手段を示す識別情報をさらに含めて送信してもよい。
【０７２９】
ＰＧＷ４０は、バインディング応答に、通信を識別する情報をさらに含めて送信してもよい。また、切り替え手段を示す識別情報をさらに含めて送信してもよい。
【０７３０】
なお、通信を識別する情報は、ＡＰＮ２を識別する情報であってよい。また、切り替え手段を示す識別情報は、特定のＡＰＮに対応付けられた通信の通信路を切り替えることを示す識別情報であってよい。もしくは、すべての通信を切り替えるなどの切り替え手段を示す識別情報であってよい。
【０７３１】
なお、通信を識別する情報には、ＡＰＮだけではなく、フローを識別する情報など、具体的に通信を識別する情報を含めて送信してもよい。
【０７３２】
ここで、ＵＥ１０は、ＡＰＮ１、ＡＰＮ２だけでなく、その他の複数のＡＰＮに対して通信路を確立した場合には、各ＡＰＮに対応するＷＬＡＮ経由の通信路を確立し、すべての通信を、ＷＬＡＮ経由の通信路に切り替える。
【０７３３】
本手続きにより、ＵＥ１０、ｅＰＤＧ６５、ＰＧＷ４０は、通信路３を用いてＡＰＮ１に対応付けられた通信を行う。
【０７３４】
さらに、ＵＥ１０、ｅＰＤＧ６５、ＰＧＷ４０は、通信路４を用いてＡＰＮ２に対応付けられた通信を行う。
【０７３５】
なお、ＵＥ１０、ｅＰＤＧ６５、ＰＧＷ４０は、本手続きにおいＡＰＮ１に対応付けられた通信を、通信路３を用いて実行するために、経路設定を行う。言い換えると、ＵＥ１０、ｅＰＤＧ６５、ＰＧＷ４０は、通信路３を確立する手続きにより、経路設定に必要となる通信を識別する情報を取得し、ＡＰＮ１に対応付けられた通信を、通信路３を用いて実行する。
【０７３６】
また、ＵＥ１０、ｅＰＤＧ６５、ＰＧＷ４０は、本手続きにおいＡＰＮ２に対応付けられた通信を、通信路４を用いて実行するために、経路設定を行う。言い換えると、ＵＥ１０、ｅＰＤＧ６５、ＰＧＷ４０は、通信路３を確立する手続きにより、経路設定に必要となる通信を識別する情報を取得し、ＡＰＮ２に対応付けられた通信を、通信路４を用いて実行する。
【０７３７】
以上の手続きにより、ＵＥ１０は、ＡＰＮ１に対応づけられた通信を、通信路３を用いて継続することができる（Ｓ１７１０）。さらに、ＵＥ１０は、ＡＰＮ２に対応付けられた通信を、通信路４を用いて継続することができる（Ｓ１７１２）。
【０７３８】
さらに、ＵＥ１０およびＰＧＷ１０はリソース解放手続きを行ってもよい（Ｓ１７１４）。ＵＥ１０およびＰＧＷ１０は、リソース解放手続きにより、通信路１および通信路２のリソースの解放や経路情報の削除などの、通信路の削除処理を実行してもよい。
【０７３９】
上記では、ＡＰＮ１においてＬＴＥ経由の通信路１を確立し（Ｓ１７０２）、ＡＰＮ２においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３とＡＰＮ２においてＷＬＡＮ経由の通信路４へ切り替えた。
【０７４０】
ここで、ＡＰＮ１においてＬＴＥ経由の通信路１を確立し（Ｓ１７０２）、ＡＰＮ１においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３とＡＰＮ１においてＷＬＡＮ経由の通信路４へ切り替えても良い。
【０７４１】
また、ＡＰＮ１においてＬＴＥ経由の通信路１を確立し（Ｓ１７０２）、ＡＰＮ１においてＬＴＥ経由の通信路２を確立し（Ｓ１７０４）、ポリシー受信処理（Ｓ１７０６）の後、通信路切り替え手続き３（Ｓ１７０８）の結果、ＡＰＮ１においてＷＬＡＮ経由の通信路３へ切り替えても良い。
【０７４２】
［１．３．４  タイプ４のポリシーを用いた制御手続き］
本例では、ＵＥ１０が  図５（ｄ）ポリシーの例４で示したタイプ４のＡＮＤＳＦポリシーとＲＡＮポリシーを用いて通信路を切り替える例を説明する。
【０７４３】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【０７４４】
［１．３．４．１  ＬＴＥアタッチ手続き］
ＵＥ１０がＬＴＥのアクセスシステム（ＬＴＥ＿ＡＮ８０）を経由した通信路を確立する。ＬＴＥアタッチ手続きは、図１１を用いて１．３．１．１で説明したＬＴＥアタッチ手続きと同様であってよい。なお、アタッチ手続きに関連する各装置の処理も同様であってよい。そのため、詳細説明を省略する。
【０７４５】
［１．３．４．２  ＷＬＡＮ＿ＡＮａアタッチ手続き］
ＵＥ１０がＷＬＡＮ＿ＡＮａ７０を介した通信路を確立する。ＷＬＡＮ＿ＡＮａ７０アタッチ手続きは、図１２を用いて１．３．１．２で説明したＷＬＡＮ＿ＡＮａ７０アタッチ手続きと同様であってよい。なお、アタッチ手続きに関連する各装置の処理も同様であってよい。そのため、詳細説明を省略する。
【０７４６】
［１．３．４．３  ＷＬＡＮ＿ＡＮｂアタッチ手続き］
ＵＥ１０がＷＬＡＮ＿ＡＮｂ７０を介した通信路を確立する。ＷＬＡＮ＿ＡＮｂ７０アタッチ手続きは、図１３を用いて１．３．１．３で説明したＷＬＡＮ＿ＡＮａ７０アタッチ手続きと同様であってよい。なお、アタッチ手続きに関連する各装置の処理も同様であってよい。そのため、詳細説明を省略する。
【０７４７】
［１．３．４．４  ＤＳＭＩＰを用いたアタッチ手続き］
ＵＥ１０がＤＳＭＩＰを用いて通信路を確立する。ＤＳＭＩＰを用いたアタッチ手続きは、図１３を用いて１．３．１．４で説明したＤＳＭＩＰを用いたアタッチ手続きと同様であってよい。なお、アタッチ手続きに関連する各装置の処理も同様であってよい。そのため、詳細説明を省略する。
【０７４８】
このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【０７４９】
［１．３．４．５  タイプ４のポリシーを用いた切り替え手続き例１］
次に、ＵＥ１０がタイプ４のポリシーを用いた切り替え手続きを、図１６を用いて説明する。
【０７５０】
図１８に示すように、初期状態においてＵＥ１０は、通信路１を確立しており、フロー１とフロー２の通信を実行している（Ｓ１８０２）。さらに、ＵＥ１０は通信路１に加え、通信路２を確立しており、フロー３の通信を実行している（Ｓ１８０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０７５１】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０７５２】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０７５３】
また、通信路２は、ＷＬＡＮ＿ＡＮａ７０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられており、さらに、フロー３の通信を識別する識別情報と通信路１が対応付けられている。
【０７５４】
なお、通信路２の具体的な確立方法や、ＡＰＮ１と通信路２の対応の管理方法、通信を識別する識別情報と通信路１の対応の管理方法は、１．３．１．２で説明したＷＬＡＮ＿ＡＮａアタッチ手続きで説明したため、詳細な説明は省略する。
【０７５５】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【０７５６】
次にＵＥ１０は、ポリシー受信処理を行う（Ｓ１８０６）。以下、ポリシー受信処理の例を、図９を用いて説明する。
【０７５７】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【０７５８】
以下、オペレータポリシーを受信するための具体例を説明する。
【０７５９】
ＵＥ１０は、ＡＮＤＳＦ２０を探索し、探索したＡＮＤＳＦ２０とセキュアな通信を確保する（Ｓ９０４）。ＵＥ１０がＡＮＤＳＦ２０を探索する方法は種々考えられるが、例えば、ＰＤＮに配置されたＤＮＳサーバへＵＥ１０が問い合わせることにより、ＡＮＤＳＦ２０を探索することができる。ＵＥ１０とＡＮＤＳＦ２０がセキュアな通信を確保する方法は、種々考えられるが、例えば、ＩＰＳｅｃを利用しても良い。
【０７６０】
なお、ＵＥ１０は、許可情報１に基づいて、ＡＮＤＳＦ２０の探索、もしくはＡＮＤＳＦ２０とのセキュアな通信路を確立するための制御メッセージの送信をしてもよい。
【０７６１】
ＵＥ１０は、ＡＮＤＳＦ２０との間にセキュアな通信路を確立したあと、ＡＮＤＳＦ２０へアクセスネットワーク情報の要求を送信する（Ｓ９０６）。
【０７６２】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【０７６３】
なお、ＵＥ１０は、許可情報１に基づいて、要求メッセージの送信をしてもよい。
【０７６４】
ＡＮＤＳＦ２０は、ＵＥ１０へオペレータポリシー通知を送信する（Ｓ９０８）。ＡＮＤＳＦ２０は、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【０７６５】
ＡＮＤＳＦ２０は、ＡＮＤＳＦポリシーと許可情報とを含めてオペレータポリシー通知を送信してもよい。
【０７６６】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
【０７６７】
また、許可情報は、許可情報２４４の許可情報２であってよい。
【０７６８】
ＵＥ１０は、オペレータポリシー通知を受信し、ＡＮＤＳＦポリシーと許可情報を取得する。
【０７６９】
これにより、ＵＥ１０は許可情報１に基づいてオペレータポリシーを受信することができる。
【０７７０】
また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、ＡＮＤＳＦ２０から受信した許可情報２を、許可情報１４４の許可情報として記憶、または更新するなどしてＵＥの許可情報として管理してもよい。
【０７７１】
次に、ＵＥ１０はＬＴＥ＿ＡＮ８０からＲＡＮポリシーを受信か否かを決定する。ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【０７７２】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【０７７３】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ＵＥ１０が契約する移動通信事業者によって運用される基地局であってよい。
【０７７４】
なお、ｅＮＢ４５は、ＲＡＮポリシーを基地局エリアにブロードキャストして複数の端末へ送信してもよいし、ＵＥ１０のみに送信してもよい。
【０７７５】
これにより、ＵＥ１０は、許可情報２に基づいてＲＡＮポリシーを受信することができる。
【０７７６】
なお、許可情報２はかならずしもＡＮＤＳＦ２０から送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【０７７７】
次に、ＵＥ１０は、オペレータポリシーもしくはＲＡＮポリシーもしくはその両方を用いて、アクセスシステムの選択と、通信路切り替え手続きの決定を行う（Ｓ９１２）。
【０７７８】
本例では、ＵＥ１０がＵＥポリシー１４２に記憶するフロー１を対象としたタイプ４のポリシーと、ｅＮＢ４５が送信するＲＡＮポリシーに基づいて、フロー１の通信路を切り替える例を説明する。
【０７７９】
なお、ＵＥポリシー１４２に記憶するＡＮＤＳＦポリシーはタイプ４ポリシーである。これは、許可情報１に基づいて、ＡＮＤＳＦ２０から受信したものをＵＥポリシー１４２に更新しても記憶したものであってもよい。
【０７８０】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はフロー１を識別する情報であり、アクセスネットワーク情報にはＬＴＥとＷＬＡＮを示す情報であり、アクセスネットワークの優先度はＬＴＥを優先する情報である。
【０７８１】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【０７８２】
また、切り替え先の通信路と、切り替えを実行する通信データは、ＡＮＤＳＦポリシーを基に決定してもよい。具体的には、ＡＮＤＳＦポリシーの通信を識別する情報がフロー１を識別する情報であり、利用可能なアクセスネットワークとしてＷＬＡＮが記憶されていることから、フロー１の通信を、ＷＬＡＮを用いた通信路に切り替えると決定してもよい。
【０７８３】
また、切り替え手段は、ＡＮＤＳＦポリシーがタイプ４のポリシーであることから、フローベースの切り替えを行うことを決定してもよい。
【０７８４】
以上の手続きにより、ポリシー受信処理（Ｓ１８０６）を完了する。
【０７８５】
図５（ｄ）ポリシーの例４で示すタイプ４のポリシーの場合、ＡＮＤＳＦ２０がＵＥ１０に通知するポリシーの例として、ＩＰフローとルーティングルールを含めても良い。ＡＮＤＳＦ２０は、ＩＰフローとルーティングルールを含めることにより、ＵＥ１０に、ＩＰフローで識別されるデータの送受信を、ルーティングルールに含まれるＡＰＮにおけるデータの送受信へ切り替えさせ、アクセスシステムを切り替えさせることができる。つまり、ＵＥ１０は、ＡＮＤＳＦ２０からＡＮＤＳＦポリシーに含まれるＩＰフローで識別されるデータの送受信を、ルーティングルールに含まれるＡＰＮにおけるデータの送受信へ切り替え、アクセスシステムを切り替えることができる。
【０７８６】
ＩＰフローは、図５（ｂ）ポリシーの例２で示すタイプ２のポリシーと同様であるため、詳細な説明は省略する。
【０７８７】
一方、ルーティングルールには、ポリシー内で、優先されるＡＰＮを示す情報が含まれる。ＡＮＤＳＦ２０は、ＩＰフローとルーティングルールを含めることにより、ＵＥ１０に、ＩＰフローで識別されるデータの送受信に対してルーティングルールに応じたＡＰＮへ切り替えさせることができる。つまり、ＡＮＤＳＦ２０は、ＩＰフローとルーティングルールを含めることにより、ＩＰフローで識別されるデータの送受信をルーティングルールに含むＡＰＮにおけるデータの送受信へ切り替えさせることができる。つまり、ＵＥ１０は、ＡＮＤＳＦ２０からＡＮＤＳＦポリシーに含まれるＩＰフローで識別されるデータの送受信をルーティングルールに含まれるＡＰＮにおけるデータの送受信へ切り替え、アクセスシステムを切り替えることができる。
【０７８８】
また、タイプ４のポリシーの場合、ＡＮＤＳＦ２０は、ＩＰフロー、ルーティングルールの他、ルーティング基準、ルールプライオリティ、スレッショールド１、ＯＰＩ１を含めても良い。
【０７８９】
なお、ルーティング基準は１．３．１．５で説明したタイプ２のポリシーと同様であるため、その詳細な説明は省略する。また、ルールプライオリティは１．３．１．５で説明したタイプ２のポリシーと同様であるため、その詳細な説明は省略する。また、スレッショールド１は１．３．１．５で説明したタイプ２のポリシーと同様であるため、その詳細な説明は省略する。また、ＯＰＩ１は１．３．１．５で説明したタイプ２のポリシーと同様であるため、その詳細な説明は省略する。
【０７９０】
上記、ＩＰフロー、ルーティングルールの他、ルーティング基準、ルールプライオリティ、スレッショールド１、ＯＰＩ１のうち、いずれか一つを含むのではなく、ＡＰＮ、ルーティングルールの他、ルーティング基準、ルールプライオリティ、スレッショールド１、ＯＰＩ１のうち、複数の情報を含むことにより、ＵＥ１０に、複数の情報により、ＡＮＤＳＦポリシーを実行させアクセスシステムを切り替えさせても良い。
【０７９１】
つまり、ＵＥ１０は、ＡＮＤＳＦ２０からＡＮＤＳＦポリシーに含まれるＩＰフロー、ルーティングルールの他、ルーティング基準、ルールプライオリティ、スレッショールド１、ＯＰＩ１のうち、複数の情報により、アクセスシステムを切り替えることができる。
【０７９２】
また、ＵＥ１０はｅＮＢ４５からＲＡＮポリシーに含まれるスレッショールドにより、アクセスシステムを切り替えても良い。なお、ＲＡＮポリシーによるアクセスシステムの切り替えの決定には、１．３．１．５で説明した方法を利用できるため、詳細な説明は省略する。
【０７９３】
つまり、ＲＡＮポリシーのスレッショールドはタイプ２のポリシーと同様である。また、ＲＡＮポリシーのＯＰＩは１．３．１．５で説明したタイプ２のポリシーと同様である。
【０７９４】
なお、ＵＥ１０は、ＡＮＤＳＦポリシーにスレッショールドが含まれ、ＲＡＮポリシーにスレッショールドが含まれる場合、ＡＮＤＳＦポリシーのスレッショールドを優先しても良いし、ＲＡＮポリシーを優先しても良い。なお、ＡＮＤＳＦポリシーとＲＡＮポリシーの優先順位の決定には、ＡＮＤＳＦポリシーに含まれるＯＰＩとＲＡＮポリシーに含まれるＯＰＩを利用して、決定してもよい。また、ＡＮＤＳＦポリシーにＯＰＩが含まれず、ＲＡＮポリシーにＯＰＩが含まれない場合、ＵＥ１０が任意にＡＮＤＳＦポリシーとＲＡＮポリシーの優先を決定して良い。
【０７９５】
以下、通信路の切り替え処理を通信路切り替え手続き４として説明する（Ｓ１８０８）。
【０７９６】
ＵＥ１０は、すくなくともＵＥのポリシーと、オペレータポリシーと、ＲＡＮポリシーの一部に基づいて、フロー１の通信に用いる通信路を、通信路１から通信路２へ切り替える。
【０７９７】
具体的な切り替え手続きと、手続きに伴う各装置の処理は、１．３．１．２で説明したＷＬＡＮ＿ＡＮａアタッチ手続きとほぼ同様であってよい。そのため、ＷＬＡＮ＿ＡＮａアタッチ手続きを説明した図１２を用いて、アタッチ手続きとの違いを中心に説明する。
【０７９８】
ＵＥ１０が送信するトリガーメッセージを送信するタイミングは、ポリシー受信処理（Ｓ１８０６）により切り替えを決定したことに基づいて送信されてよい。
【０７９９】
ＵＥ１０は、トリガーメッセージに、通信を識別する情報をさらに含めて送信してもよい。また、切り替え手段を示す識別情報をさらに含めて送信してもよい。
【０８００】
ＷＬＡＮ＿ＡＮａ７０は、セッション生成要求またはプロキシーバインディング更新に、通信を識別する情報をさらに含めて送信してもよい。また、切り替え手段を示す識別情報をさらに含めて送信してもよい。
【０８０１】
ＰＧＷ４０は、セッション応答またはプロキシーバインディング応答に、通信を識別する情報をさらに含めて送信してもよい。また、切り替え手段を示す識別情報をさらに含めて送信してもよい。
【０８０２】
ＷＬＡＮ＿ＡＮａ７０は、トリガー応答に、通信を識別する情報をさらに含めて送信してもよい。また、切り替え手段を示す識別情報をさらに含めて送信してもよい。
【０８０３】
なお、通信を識別する情報は、フロー１を識別する情報であってよい。また、切り替え手段を示す識別情報は、特定のフローを、ＩＰアドレスを変更せずに切り替えることを示す識別情報であってよい。もしくは、ＮＢ＿ＩＦＯＭ（Ｎｅｔｗｏｒｋ  ｂａｓｅｄ  ＩＰ  Ｆｌｏｗ  Ｍｏｂｉｌｉｔｙ）などの切り替え手段を示す識別情報であってよい。
【０８０４】
また、ＵＥ１０、ＷＬＡＮ＿ＡＮａ、ＰＧＷ４０は、すでに通信路２を確立しているため、この手続きにより新たに通信路を確立しなくてよい。より具体的には通信リソース等を新たに割り当てる必要はない。
【０８０５】
ＵＥ１０、ＷＬＡＮ＿ＡＮａ、ＰＧＷ４０は、通信路２を用いてフロー３の通信をすでにおこなっており、本手続きにより、通信路２を用いてフロー２とフロー３の通信を行う。
【０８０６】
より具体的には、ＵＥ１０、ＷＬＡＮ＿ＡＮａ、ＰＧＷ４０は、本手続きにおいて、フロー２の通信を、通信路２を用いて実行するために、経路設定を行う。言い換えると、ＵＥ１０、ＷＬＡＮ＿ＡＮａ、ＰＧＷ４０は、本手続きにより、経路設定に必要となる通信を識別する情報を取得し、フロー２の通信を、通信路２を用いて実行する。
【０８０７】
以上の手続きにより、ＵＥ１０は、フロー１の通信を、通信路２を用いて継続することができる（Ｓ１８１２）。なお、ＵＥ１０は、フロー３の通信は、通信路２を用いて継続する。なお、ＵＥ１０は、フロー１の通信は、通信路１を用いて継続する。
【０８０８】
［１．３．４．６  タイプ４のポリシーを用いた切り替え手続き例２］
１．３．４．５で説明したタイプ４のポリシーを用いた切り替え手続き例１では、通信路２はＷＬＡＮ＿ＡＮａ７０を介してＰＧＷ４０へ接続する通信路である例を説明した。
【０８０９】
また、通信路２は、ＷＬＡＮ＿ＡＮｂ７５を介してＰＧＷ４０へ接続する通信路であってよい。
【０８１０】
以下、ＵＥ１０がタイプ４のポリシーを用いた切り替え手続きを、図１８を用いて説明する。
【０８１１】
図１８に示すように、初期状態においてＵＥ１０は、通信路１を確立しており、フロー１とフロー２の通信を実行している（Ｓ１８０２）。さらに、ＵＥ１０は通信路１に加え、通信路２を確立しており、フロー３の通信を実行している（Ｓ１８０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０８１２】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０８１３】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０８１４】
また、通信路２は、ＷＬＡＮ＿ＡＮｂ７５を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられており、さらに、フロー３の通信を識別する識別情報と通信路１が対応付けられている。
【０８１５】
なお、通信路２の具体的な確立方法や、ＡＰＮ２と通信路２の対応の管理方法、通信を識別する識別情報と通信路１の対応の管理方法は、１．３．１．３で説明したＷＬＡＮ＿ＡＮｂアタッチ手続きで説明したため、詳細な説明は省略する。
【０８１６】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【０８１７】
次にＵＥ１０は、ポリシー受信処理を行う（Ｓ１８０６）。このポリシー受信処理は、１．３．１．５で説明したポリシー受信処理と同様の処理および手続きであってよい。そのため、詳細説明を省略する。
【０８１８】
以下、通信路の切り替え処理を通信路切り替え手続き１として説明する（Ｓ１８０８）。
【０８１９】
ＵＥ１０は、すくなくともＵＥのポリシーと、オペレータポリシーと、ＲＡＮポリシーの一部に基づいて、フロー１の通信に用いる通信路を、通信路１から通信路２へ切り替える。
【０８２０】
具体的な切り替え手続きと、手続きに伴う各装置の処理は、は、１．３．１．３で説明したＷＬＡＮ＿ＡＮｂアタッチ手続きとほぼ同様であってよい。そのため、ＷＬＡＮ＿ＡＮｂアタッチ手続きを説明した図１３を用いて、アタッチ手続きとの違いを中心に説明する。
【０８２１】
セキュリティアソシエーションを確立するための手続きを開始ための、ＵＥ１０が送信するトリガーとなる制御メッセージを送信するタイミングは、ポリシー受信処理（Ｓ１８０６）により切り替えを決定したことに基づいて送信されてよい。
【０８２２】
また、ＵＥ１０は、トリガーとなるメッセージに、通信を識別する情報をさらに含めて送信してもよい。また、切り替え手段を示す識別情報をさらに含めて送信してもよい。
【０８２３】
ここで、トリガーとなるメッセージは、１．３．１．３で説明したとおり、ＩＫＥｖ２認証手続きでＵＥ１０がｅＰＤＧ６５に送信する制御メッセージであってよい。
【０８２４】
ｅＰＤＧ６５は、は、セッション生成要求またはプロキシーバインディング更新に、通信を識別する情報をさらに含めて送信してもよい。また、切り替え手段を示す識別情報をさらに含めて送信してもよい。
【０８２５】
ＰＧＷ４０は、セッション応答またはプロキシーバインディング応答に、通信を識別する情報をさらに含めて送信してもよい。また、切り替え手段を示す識別情報をさらに含めて送信してもよい。
【０８２６】
ＷＬＡＮ＿ＡＮａ７０は、トリガーの応答メッセージに、通信を識別する情報をさらに含めて送信してもよい。また、切り替え手段を示す識別情報をさらに含めて送信してもよい。
【０８２７】
なお、トリガーの応答メッセージは、１．３．１．３で説明したとおり、ＩＫＥｖ２応答メッセージであってよい。
【０８２８】
なお、通信を識別する情報は、フロー１を識別する情報であってよい。また、切り替え手段を示す識別情報は、特定のフローを、ＩＰアドレスを変更せずに切り替えることを示す識別情報であってよい。もしくは、ＮＢ＿ＩＦＯＭ（Ｎｅｔｗｏｒｋ  ｂａｓｅｄ  ＩＰ  Ｆｌｏｗ  Ｍｏｂｉｌｉｔｙ）などの切り替え手段を示す識別情報であってよい。
【０８２９】
また、ＵＥ１０、ｅＰＤＧ６５、ＰＧＷ４０は、すでに通信路２を確立しているため、この手続きにより新たに通信路を確立しなくてよい。より具体的には通信リソース等を新たに割り当てる必要はない。
【０８３０】
ＵＥ１０、ｅＰＤＧ６５、ＰＧＷ４０は、通信路２を用いてフロー３の通信をすでにおこなっており、本手続きにより、通信路２を用いてフロー２とフロー３の通信を行う。
【０８３１】
より具体的には、ＵＥ１０、ｅＰＤＧ６５、ＰＧＷ４０は、本手続きにおいて、フロー２の通信を、通信路２を用いて実行するために、経路設定を行う。言い換えると、ＵＥ１０、ｅＰＤＧ６５、ＰＧＷ４０は、本手続きにより、経路設定に必要となる通信を識別する情報を取得し、フロー２の通信を、通信路２を用いて実行する。
【０８３２】
以上の手続きにより、ＵＥ１０は、フロー１の通信を、通信路２を用いて継続することができる（Ｓ１８１０）。なお、ＵＥ１０は、フロー３の通信は、通信路２を用いて継続する。なお、ＵＥ１０は、フロー２の通信は、通信路１を用いて継続する（Ｓ１８０８）。
【０８３３】
［１．３．４．７  タイプ４のポリシーを用いた切り替え手続き例３］
１．３．４．５で説明したタイプ４のポリシーを用いた切り替え手続き例１では、通信路２はＷＬＡＮ＿ＡＮａ７０を介してＰＧＷ４０へ接続する通信路である例を説明した。
【０８３４】
また、通信路２は、ＤＳＭＩＰを用いて確立した通信路であってよい。
【０８３５】
以下、ＵＥ１０がタイプ４のポリシーを用いた切り替え手続きを、図１８を用いて説明する。
【０８３６】
図１８に示すように、初期状態においてＵＥ１０は、通信路１を確立しており、フロー１とフロー２の通信を実行している（Ｓ１８０２）。さらに、ＵＥ１０は通信路１に加え、通信路２を確立しており、フロー３の通信を実行している（Ｓ１８０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０８３７】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０８３８】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０８３９】
また、通信路２は、ＤＳＭＩＰを用いてＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
【０８４０】
なお、通信路２の具体的な確立方法や、ＡＰＮ１と通信路２の対応の管理方法、通信を識別する識別情報と通信路１の対応の管理方法は、１．３．１．４で説明したＤＳＭＩＰを用いたアタッチ手続きで説明したため、詳細な説明は省略する。
【０８４１】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【０８４２】
次にＵＥ１０は、ポリシー受信処理を行う（Ｓ１８０６）。このポリシー受信処理は、１．３．１．５で説明したポリシー受信処理と同様の処理および手続きであってよい。そのため、詳細説明を省略する。
【０８４３】
以下、通信路の切り替え処理を通信路切り替え手続き１として説明する（Ｓ１８０８）。
【０８４４】
ＵＥ１０は、すくなくともＵＥのポリシーと、オペレータポリシーと、ＲＡＮポリシーの一部に基づいて、フロー１の通信に用いる通信路を、通信路１から通信路２へ切り替える。
【０８４５】
具体的な切り替え手続きと、手続きに伴う各装置の処理は、１．３．１．４で説明したＤＳＭＩＰを用いたアタッチ手続きとほぼ同様であってよい。そのため、ＷＬＡＮ＿ＡＮｂアタッチ手続きを説明した図１４を用いて、アタッチ手続きとの違いを中心に説明する。
【０８４６】
ＵＥ１０は、アタッチ手続きにおいて確立したセキュリティアソシエーションが確立された状態にある場合には、新たにセキュリティアソシエーションを確立する必要はない。しかしながら、セキュリティアソシエーションに対応付けたタイマーなどを管理し、かつタイマーが消費された場合など、セキュリティアソシエーションを改めて確立する必要がある場合には、ＵＥ１０はセキュリティアソシエーションを再度確立する。確立手続きは、１．３．１．４で説明したと手続きや処理と同様であってよい。
【０８４７】
なお、セキュリティアソシエーションを再確立する場合、ＵＥ１０が送信するセキュリティアソシエーションを開始するトリガーとなる制御メッセージを送信するタイミングは、ポリシー受信処理（Ｓ１８０６）により切り替えを決定したことに基づいて送信されてよい。
【０８４８】
ＵＥ１０は、バインディング更新メッセージに、通信を識別する情報をさらに含めて送信してもよい。また、切り替え手段を示す識別情報をさらに含めて送信してもよい。
【０８４９】
なお、ＵＥ１０が送信するバインディング更新メッセージを送信するタイミングは、ポリシー受信処理（Ｓ１８０６）により切り替えを決定したことに基づいて送信してもよいし、セキュリティアソシエーションが再確立されたことに基づいて送信してもよい。
【０８５０】
ｅＰＤＧ６５は、セッション生成要求またはプロキシーバインディング更新に、通信を識別する情報をさらに含めて送信してもよい。また、切り替え手段を示す識別情報をさらに含めて送信してもよい。
【０８５１】
ＰＧＷ４０は、セッション応答またはプロキシーバインディング応答に、通信を識別する情報をさらに含めて送信してもよい。また、切り替え手段を示す識別情報をさらに含めて送信してもよい。
【０８５２】
ＷＬＡＮ＿ＡＮａ７０は、トリガー応答に、通信を識別する情報をさらに含めて送信してもよい。また、切り替え手段を示す識別情報をさらに含めて送信してもよい。
【０８５３】
なお、通信を識別する情報は、フロー１を識別する情報であってよい。また、切り替え手段を示す識別情報は、特定のフローを、ＩＰアドレスを変更せずに切り替えることを示す識別情報であってよい。もしくは、ＩＦＯＭ（ＩＰ  Ｆｌｏｗ  Ｍｏｂｉｌｉｔｙ）などの切り替え手段を示す識別情報であってよい。
【０８５４】
また、ＵＥ１０、ｅＰＤＧ６５、ＰＧＷ４０は、すでに通信路２を確立しているため、この手続きにより新たに通信路を確立しなくてよい。より具体的には通信リソース等を新たに割り当てる必要はない。
【０８５５】
ＵＥ１０、ｅＰＤＧ６５、ＰＧＷ４０は、通信路２を用いてフロー３の通信をすでにおこなっており、本手続きにより、通信路２を用いてフロー２とフロー３の通信を行う。
【０８５６】
より具体的には、ＵＥ１０、ｅＰＤＧ６５、ＰＧＷ４０は、本手続きにおいて、フロー２の通信を、通信路２を用いて実行するために、経路設定を行う。言い換えると、ＵＥ１０、ｅＰＤＧ６５、ＰＧＷ４０は、本手続きにより、経路設定に必要となる通信を識別する情報を取得し、フロー２の通信を、通信路２を用いて実行する。以上の手続きにより、ＵＥ１０は、フロー１の通信を、通信路２を用いて継続することができる（Ｓ１８１０）。なお、ＵＥ１０は、フロー３の通信は、通信路２を用いて継続する。なお、ＵＥ１０は、フロー１の通信は、通信路１を用いて継続する（Ｓ１８０８）。
【０８５７】
［２．第２実施形態］
第２実施形態について説明する。第１実施形態では、ＵＥ１０はＵＥ１０のユーザが契約する移動通信ネットワーク（Ｈ−ＰＬＭＮ）に存在したが、第２実施形態では、ＵＥ１０はＨ−ＰＬＭＮではなく、ローミング先の移動通信ネットワーク（Ｖ−ＰＬＭＮ）に存在する。
【０８５８】
図２０（ａ）に第２実施形態における通信システムの構成を示す。図２０（ａ）では、ＵＥ１０は、Ｖ−ＰＬＭＮにおけるＩＰ移動通信ネットワーク５Ｂに接続する。
【０８５９】
また、Ｖ−ＰＬＭＮは、ＵＥ１０が契約する移動通信事業者と、ローミング契約を結んでいる移動通信事業者であってよい。Ｖ−ＰＬＭＮは、ローミング移動通信事業者もしくはローミング移動通信事業者網を識別する識別情報であってよい。したがって、ＩＰ移動通信ネットワーク５Ｂは、ローミング移動通信事業者が運用、管理を行うネットワークであってよい。
【０８６０】
また、Ｖ−ＰＬＭＮにおけるＩＰ移動通信ネットワーク５Ｂには、Ｈ−ＡＮＤＳＦ２０とＶ−ＡＮＤＳＦ２０Ｂが接続されている。なお、Ｈ−ＡＮＤＳＦ２０はＨ−ＰＬＭＮが管理するＡＮＤＳＦである。なお、Ｈ−ＰＬＭＮは、ＵＥ１０が契約する移動通信事業者もしく移動通信事業者網を識別する識別情報であってよい。また、Ｖ−ＡＮＤＳＦ２０ＢはＶ−ＰＬＭＮが管理するＡＮＤＳＦである。
【０８６１】
なお、Ｈ−ＡＮＤＳＦ２０とＶ−ＡＮＤＳＦ２０Ｂは、運用、管理を行う移動通信事業者が異なるのみであり、第１実施形態で説明したＡＮＤＳＦ２０の構成と同様の構成であってよい。そのため、詳細な構成の説明を省略する。
【０８６２】
また、Ｖ−ＰＬＭＮにおけるＩＰ移動通信ネットワーク５Ｂは、第１実施形態で説明したＩＰ移動通信ネットワーク５Ａと同様の構成に利用可能である。さらに、ＩＰ移動通信ネットワーク５Ｂに含まれる各構成要素（装置）も同様に利用可能であるため、説明を省略する。
【０８６３】
なお、第１実施形態では、ＵＥ１０はＨ−ＰＬＭＮのＩＰ移動通信ネットワーク５Ａに接続していたのに対し、第１実施形態では、ＵＥ１０はＶ−ＰＬＭＮのＩＰ移動通信ネットワーク５Ａに接続する。
【０８６４】
ＩＰ移動通信ネットワーク５ＡとＩＰ移動通信ネットワーク５Ｂは運用事業者が異なるのみで、構成は同様の構成であってよいため、以下では第1実施形態で説明に用いた図面を用いて説明を行う。そのため、以下の説明に用いるコアネットワーク、アクセスネットワーク、さらには各図面に記載される各装置は、ＶＰＬＭＮのＩＰ移動通信ネットワーク５Ｂに構成される装置である。
【０８６５】
また、ＵＥ１０の構成は、第１実施形態で説明したＵＥの構成と同様であってよいため、詳細な構成の説明を省略する。
【０８６６】
［２．１  処理の説明］
本実施形態では、ＵＥ１０がＵＥポリシー１４２を用いて通信路を切り替える手続きを説明する。
【０８６７】
［２．１．１  タイプ２のポリシーを用いた制御手続き］
本例では、ＵＥ１０が  図５（ｂ）ポリシーの例２で示したタイプ２のＡＮＤＳＦポリシーとＲＡＮポリシーを用いて通信路を切り替える例を説明する。
【０８６８】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【０８６９】
［２．１．１．１  ＬＴＥアタッチ手続き］
ＵＥ１０がＬＴＥのアクセスシステム（ＬＴＥ＿ＡＮ８０）を経由した通信路を確立する。ＬＴＥアタッチ手続きは、図１１を用いて１．３．１．１で説明したＬＴＥアタッチ手続きと同様であってよい。なお、アタッチ手続きに関連する各装置の処理も同様であってよい。そのため、詳細説明を省略する。
【０８７０】
［２．１．１．２  ＷＬＡＮ＿ＡＮａアタッチ手続き］
ＵＥ１０がＷＬＡＮ＿ＡＮａ７０を介した通信路を確立する。ＷＬＡＮ＿ＡＮａ７０アタッチ手続きは、図１２を用いて１．３．１．２で説明したＷＬＡＮ＿ＡＮａ７０アタッチ手続きと同様であってよい。なお、アタッチ手続きに関連する各装置の処理も同様であってよい。そのため、詳細説明を省略する。
【０８７１】
［２．１．１．３  ＷＬＡＮ＿ＡＮｂアタッチ手続き］
ＵＥ１０がＷＬＡＮ＿ＡＮｂ７０を介した通信路を確立する。ＷＬＡＮ＿ＡＮｂ７０アタッチ手続きは、図１３を用いて１．３．１．３で説明したＷＬＡＮ＿ＡＮａ７０アタッチ手続きと同様であってよい。なお、アタッチ手続きに関連する各装置の処理も同様であってよい。そのため、詳細説明を省略する。
【０８７２】
［２．３．１．４  ＤＳＭＩＰを用いたアタッチ手続き］
ＵＥ１０がＤＳＭＩＰを用いて通信路を確立する。ＤＳＭＩＰを用いたアタッチ手続きは、図１３を用いて１．３．１．４で説明したＤＳＭＩＰを用いたアタッチ手続きと同様であってよい。なお、アタッチ手続きに関連する各装置の処理も同様であってよい。そのため、詳細説明を省略する。
【０８７３】
このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【０８７４】
［２．１．１．５  タイプ２のポリシーを用いた切り替え手続き例１］
次に、ＵＥ１０がタイプ２のポリシーを用いた切り替え手続きを、図１５を用いて説明する。
【０８７５】
図１５に示すように、初期状態においてＵＥ１０は、通信路１を確立しており、フロー１とフロー２の通信を実行している（Ｓ１５０２）。さらに、ＵＥ１０は通信路１に加え、通信路２を確立しており、フロー３の通信を実行している（Ｓ１５０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０８７６】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０８７７】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０８７８】
また、通信路２は、ＷＬＡＮ＿ＡＮａ７０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
【０８７９】
なお、通信路２の具体的な確立方法や、ＡＰＮ１と通信路２の対応の管理方法、通信を識別する識別情報と通信路１の対応の管理方法は、１．３．１．２で説明したＷＬＡＮ＿ＡＮａアタッチ手続きで説明したため、詳細な説明は省略する。
【０８８０】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【０８８１】
次にＵＥ１０は、ポリシー受信処理を行う（Ｓ１５０６）。以下、ポリシー受信処理の例を、図２１を用いて説明する。
【０８８２】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【０８８３】
以下、オペレータポリシーを受信するための具体例を説明する。
【０８８４】
ＵＥ１０は、Ｈ−ＡＮＤＳＦ２０Ａを探索し、探索したＨ−ＡＮＤＳＦ２０Ａとセキュアな通信を確保する（Ｓ２１０４）。ＵＥ１０がＨ−ＡＮＤＳＦ２０Ａを探索する方法は種々考えられるが、例えば、ＰＤＮに配置されたＤＮＳサーバへＵＥ１０が問い合わせることにより、Ｈ−ＡＮＤＳＦ２０Ａを探索することができる。ＵＥ１０とＨ−ＡＮＤＳＦ２０Ａがセキュアな通信を確保する方法は、種々考えられるが、例えば、ＩＰＳｅｃを利用しても良い。
【０８８５】
なお、ＵＥ１０は、許可情報１に基づいて、Ｈ−ＡＮＤＳＦ２０Ａの探索、もしくはＨ−ＡＮＤＳＦ２０Ａとのセキュアな通信路を確立するための制御メッセージの送信をしてもよい。
【０８８６】
ＵＥ１０は、Ｈ−ＡＮＤＳＦ２０Ａとの間にセキュアな通信路を確立したあと、ＡＮＤＳＦ２０へアクセスネットワーク情報の要求を送信する（Ｓ２１０６）。
【０８８７】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【０８８８】
なお、ＵＥ１０は、許可情報１に基づいて、要求メッセージの送信をしてもよい。
【０８８９】
Ｈ−ＡＮＤＳＦ２０Ａは、ＵＥ１０へオペレータポリシー通知を送信する（Ｓ２１０８）。Ｈ−ＡＮＤＳＦ２０Ａは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【０８９０】
Ｈ−ＡＮＤＳＦ２０Ａは、ＡＮＤＳＦポリシーと許可情報とを含めてオペレータポリシー通知を送信してもよい。
【０８９１】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
【０８９２】
また、許可情報には、許可情報２４４の、少なくとも許可情報２、許可情報３、許可情報５の一部を含めてもよい。
【０８９３】
ＵＥ１０は、オペレータポリシー通知を受信し、ＡＮＤＳＦポリシーと許可情報を取得する。
【０８９４】
これにより、ＵＥ１０は許可情報１に基づいてオペレータポリシーを受信することができる。
【０８９５】
また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、Ｈ−ＡＮＤＳＦ２０Ａから受信した許可情報２を、許可情報１４４の許可情報として記憶、または更新するなどしてＵＥの許可情報として管理してもよい。
【０８９６】
次に、ＵＥ１０はＬＴＥ＿ＡＮ８０からＲＡＮポリシーを受信か否かを決定する。
【０８９７】
ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【０８９８】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【０８９９】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ローミング移動通信事業者によって運用される基地局であってよい。
【０９００】
なお、ｅＮＢ４５は、ＲＡＮポリシーを基地局エリアにブロードキャストして複数の端末へ送信してもよいし、ＵＥ１０のみに送信してもよい。
【０９０１】
これにより、ＵＥ１０は、許可情報２に基づいてＲＡＮポリシーを受信することができる。
【０９０２】
なお、許可情報２はかならずしもＨ−ＡＮＤＳＦ２０Ａから送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【０９０３】
また、ＵＥ１０はＬＴＥ＿ＡＮ８０からＲＡＮポリシーを受信か否かは、別の手段によって決定しても良い。
【０９０４】
例えば、Ｖ−ＡＮＤＳＦからローミングオペレータのポリシーを受信し、受信したオペレータポリシーに基づいて決定してもよい。
【０９０５】
具体的には、ＵＥ１０は、Ｖ−ＡＮＤＳＦ２０Ｂを探索し、探索したＶ−ＡＮＤＳＦ２０Ｂとセキュアな通信を確保する（Ｓ２１１０）。ＵＥ１０がＶ−ＡＮＤＳＦ２０Ｂを探索する方法は種々考えられるが、例えば、ＰＤＮに配置されたＤＮＳサーバへＵＥ１０が問い合わせることにより、Ｖ−ＡＮＤＳＦ２０Ｂを探索することができる。ＵＥ１０とＶ−ＡＮＤＳＦ２０Ｂがセキュアな通信を確保する方法は、種々考えられるが、例えば、ＩＰＳｅｃを利用しても良い。
【０９０６】
なお、ＵＥ１０は、許可情報１か、許可情報３か、もしくはその双方の組み合わせに基づいて、Ｖ−ＡＮＤＳＦ２０Ｂの探索、もしくはＨ−ＡＮＤＳＦ２０Ａとのセキュアな通信路を確立するための制御メッセージの送信をしてもよい。
【０９０７】
ＵＥ１０は、ＡＮＤＳＦ２０との間にセキュアな通信路を確立したあと、ＡＮＤＳＦ２０へアクセスネットワーク情報の要求を送信する（Ｓ２１１２）。
【０９０８】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【０９０９】
なお、ＵＥ１０は、許可情報１か、許可情報３か、もしくはその双方の組み合わせに基づいて、要求メッセージの送信をしてもよい。
【０９１０】
Ｖ−ＡＮＤＳＦ２０Ｂは、ＵＥ１０へオペレータポリシー通知を送信する（Ｓ２１１４）。Ｖ−ＡＮＤＳＦ２０Ｂは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【０９１１】
Ｖ−ＡＮＤＳＦ２０Ｂは、ＡＮＤＳＦポリシーと許可情報とを含めてオペレータポリシー通知を送信してもよい。
【０９１２】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
【０９１３】
また、許可情報には、許可情報２４４の、少なくとも許可情報４を含めてもよい。
【０９１４】
ＵＥ１０は、オペレータポリシー通知を受信し、ＡＮＤＳＦポリシーと許可情報を取得する（Ｓ２１１４）。
【０９１５】
これにより、ＵＥ１０は、許可情報１か、許可情報３か、もしくはその双方の組み合わせに基づいてオペレータポリシーを受信することができる。
【０９１６】
また、ＵＥ１０は、許可情報１か、許可情報３か、もしくはその双方の組み合わせに基づいて、受信したＡＮＤＳＦポリシーをＵＥポリシー１４２に記憶、または更新するなどしてＵＥポリシーとして管理してもよい。さらに、ＵＥ１０は、許可情報１か、許可情報３か、もしくはその双方の組み合わせに基づいて、Ｈ−ＡＮＤＳＦ２０Ｂから受信した許可情報２を、許可情報１４４の許可情報として記憶、または更新するなどしてＵＥの許可情報として管理してもよい。
【０９１７】
ＵＥ１０は、許可情報２又は許可情報４又は許可情報５の少なくともいずれかに基づいて、ＲＡＮポリシーを受信すると決定してよい。もしくは、ＵＥ１０は、許可情報２、許可情報４、許可情報５の組み合わせに基づいて、ＲＡＮポリシーを受信すると決定してよい。
【０９１８】
例えば、ＵＥ１０は、許可情報２が「許可」であることにより、ＲＡＮポリシーを受信してよい。もしくは、ＵＥ１０は、許可情報４が「許可」であることにより、ＲＡＮポリシーを受信してよい。もしくは、ＵＥ１０は、許可情報５が「許可」であり、且つ許可情報４が「許可」であることにより、ＲＡＮポリシーを受信してよい。
【０９１９】
また、ＵＥ１０は、許可情報４が「許可」であった場合や、許可情報４を記憶していない場合でも、許可情報５が「不許可」である場合には、ＲＡＮポリシーの受信を行わないと決定してもよい。このように、Ｈ−ＰＬＭＮの運用事業者は、ＵＥ１０のローミング先でのＲＡＮポリシーの受信処理を制限することができる。
【０９２０】
ＵＥ１０は、これら決定に基づいて、ＬＴＥ（ｅＮＢ４５）からＲＡＮポリシー４５４２を受信してもよい（Ｓ２１１６）。
【０９２１】
次に、ＵＥ１０は、オペレータポリシーもしくはＲＡＮポリシーもしくはその両方を用いて、アクセスシステムの選択と、通信路切り替え手続きの決定を行う（Ｓ２１１８）。
【０９２２】
本例では、ＵＥ１０がＵＥポリシー１４２に記憶するフロー１を対象としたタイプ２のポリシーと、ｅＮＢ４５が送信するＲＡＮポリシーに基づいて、フロー１の通信路を切り替える例を説明する。
【０９２３】
なお、ＵＥポリシー１４２に記憶するＡＮＤＳＦポリシーはタイプ２ポリシーである。これは、許可情報１に基づいて、ＡＮＤＳＦ２０から受信したものをＵＥポリシー１４２に更新しても記憶したものであってもよい。
【０９２４】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はフロー１を識別する情報であり、アクセスネットワーク情報にはＬＴＥとＷＬＡＮを示す情報であり、アクセスネットワークの優先度はＬＴＥを優先する情報である。
【０９２５】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【０９２６】
また、切り替え先の通信路と、切り替えを実行する通信データは、ＡＮＤＳＦポリシーを基に決定してもよい。具体的には、ＡＮＤＳＦポリシーの通信を識別する情報がフロー１を識別する情報であり、利用可能なアクセスネットワークとしてＷＬＡＮが記憶されていることから、フロー１の通信を、ＷＬＡＮを用いた通信路に切り替えると決定してもよい。
【０９２７】
また、切り替え手段は、ＡＮＤＳＦポリシーがタイプ２のポリシーであることから、フローベースの切り替えを行うことを決定してもよい。
【０９２８】
以上の手続きにより、ポリシー受信処理（Ｓ１５０６）を完了する。なお、具体的なタイプ２におけるポリシー受信処理は、第１実施形態における１．３．１．５で説明したため、詳細な説明は省略する。
【０９２９】
以下、通信路の切り替え処理（通信路切り替え手続き１）を実行する（Ｓ１５０８）。
【０９３０】
ここで、通信路切り替え手続き１は、１．３．１．５において説明した通信路切り替え手続き１と同様であってよい。詳細手続きおよび各装置の処理は、１．３．１．５の通信路切り替え手続き１と同様であってよいため詳細説明を省略する。
【０９３１】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【０９３２】
以上の手続きにより、ＵＥ１０は、フロー１の通信を、通信路２を用いて継続することができる（Ｓ１５１２）。なお、ＵＥ１０は、フロー３の通信は、通信路２を用いて継続する。なお、ＵＥ１０は、フロー２の通信は、通信路１を用いて継続する（Ｓ１５１０）。
【０９３３】
［２．１．１．６  タイプ２のポリシーを用いた切り替え手続き例２］
２．１．１．５で説明したタイプ２のポリシーを用いた切り替え手続き例１では、通信路２はＷＬＡＮ＿ＡＮａ７０を介してＰＧＷ４０へ接続する通信路である例を説明した。
【０９３４】
また、通信路２は、ＷＬＡＮ＿ＡＮｂ７５を介してＰＧＷ４０へ接続する通信路であってよい。
【０９３５】
以下、ＵＥ１０がタイプ２のポリシーを用いた切り替え手続きを、図１５を用いて説明する。
【０９３６】
図１５に示すように、初期状態においてＵＥ１０は、通信路１を確立しており、フロー１とフロー２の通信を実行している（Ｓ１５０２）。さらに、ＵＥ１０は通信路１に加え、通信路２を確立しており、フロー３の通信を実行している（Ｓ１５０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０９３７】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０９３８】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０９３９】
また、通信路２は、ＷＬＡＮ＿ＡＮｂ７５を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
【０９４０】
なお、通信路２の具体的な確立方法や、ＡＰＮ１と通信路２の対応の管理方法、通信を識別する識別情報と通信路１の対応の管理方法は、１．３．１．３で説明したＷＬＡＮ＿ＡＮｂアタッチ手続きで説明したため、詳細な説明は省略する。
【０９４１】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【０９４２】
次にＵＥ１０は、ポリシー受信処理を行う（Ｓ１５０６）。このポリシー受信処理は、２．１．１．５で説明したポリシー受信処理と同様の処理および手続きであってよい。そのため、詳細説明を省略する。
【０９４３】
以下、通信路の切り替え処理（通信路切り替え手続き１）を実行する（Ｓ１５０８）。
【０９４４】
ここで、通信路切り替え手続き１は、１．３．１．６において説明した通信路切り替え手続き１と同様であってよい。詳細手続きおよび各装置の処理は、１．３．１．６の通信路切り替え手続き１と同様であってよいため詳細説明を省略する。
【０９４５】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【０９４６】
以上の手続きにより、ＵＥ１０は、フロー１の通信を、通信路２を用いて継続することができる（Ｓ１５１２）。なお、ＵＥ１０は、フロー３の通信は、通信路２を用いて継続する。なお、ＵＥ１０は、フロー２の通信は、通信路１を用いて継続する（Ｓ１５１０）。
【０９４７】
［２．１．１．７  タイプ２のポリシーを用いた切り替え手続き例３］
２．１．１．５で説明したタイプ２のポリシーを用いた切り替え手続き例１では、通信路２はＷＬＡＮ＿ＡＮａ７０を介してＰＧＷ４０へ接続する通信路である例を説明した。
【０９４８】
また、通信路２は、ＤＳＭＩＰを用いて確立した通信路であってよい。
【０９４９】
以下、ＵＥ１０がタイプ２のポリシーを用いた切り替え手続きを、図１５を用いて説明する。
【０９５０】
図１５に示すように、初期状態においてＵＥ１０は、通信路１を確立しており、フロー１とフロー２の通信を実行している（Ｓ１５０２）。さらに、ＵＥ１０は通信路１に加え、通信路２を確立しており、フロー３の通信を実行している（Ｓ１５０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０９５１】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０９５２】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０９５３】
また、通信路２は、ＤＳＭＩＰを用いてＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
【０９５４】
なお、通信路２の具体的な確立方法や、ＡＰＮ１と通信路２の対応の管理方法、通信を識別する識別情報と通信路１の対応の管理方法は、１．３．１．４で説明したＤＳＭＩＰを用いたアタッチ手続きで説明したため、詳細な説明は省略する。
【０９５５】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【０９５６】
次にＵＥ１０は、ポリシー受信処理を行う（Ｓ１５０６）。このポリシー受信処理は、２．１．１．５で説明したポリシー受信処理と同様の処理および手続きであってよい。そのため、詳細説明を省略する。
【０９５７】
以下、通信路の切り替え処理（通信路切り替え手続き１）を実行する（Ｓ１５０８）。
【０９５８】
ここで、通信路切り替え手続き１は、１．３．１．７において説明した通信路切り替え手続き１と同様であってよい。詳細手続きおよび各装置の処理は、１．３．１．７の通信路切り替え手続き１と同様であってよいため詳細説明を省略する。
【０９５９】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【０９６０】
以上の手続きにより、ＵＥ１０は、フロー１の通信を、通信路２を用いて継続することができる（Ｓ１５１２）。なお、ＵＥ１０は、フロー３の通信は、通信路２を用いて継続する。なお、ＵＥ１０は、フロー２の通信は、通信路１を用いて継続する（Ｓ１５１０）。
【０９６１】
［２．１．２  タイプ３のポリシーを用いた制御手続き］
本例では、ＵＥ１０が  図５（ｃ）ポリシーの例３で示したタイプ３のＡＮＤＳＦポリシーとＲＡＮポリシーを用いて通信路を切り替える例を説明する。
【０９６２】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【０９６３】
［２．１．２．１  ＬＴＥアタッチ手続き］
ＵＥ１０がＬＴＥのアクセスシステム（ＬＴＥ＿ＡＮ８０）を経由した通信路を確立する。ＬＴＥアタッチ手続きは、図１１を用いて１．３．１．１で説明したＬＴＥアタッチ手続きと同様であってよい。なお、アタッチ手続きに関連する各装置の処理も同様であってよい。そのため、詳細説明を省略する。
【０９６４】
［２．１．２．２  ＷＬＡＮ＿ＡＮａアタッチ手続き］
ＵＥ１０がＷＬＡＮ＿ＡＮａ７０を介した通信路を確立する。ＷＬＡＮ＿ＡＮａ７０アタッチ手続きは、図１２を用いて１．３．１．２で説明したＷＬＡＮ＿ＡＮａ７０アタッチ手続きと同様であってよい。なお、アタッチ手続きに関連する各装置の処理も同様であってよい。そのため、詳細説明を省略する。
【０９６５】
［２．１．２．３  ＷＬＡＮ＿ＡＮｂアタッチ手続き］
ＵＥ１０がＷＬＡＮ＿ＡＮｂ７０を介した通信路を確立する。ＷＬＡＮ＿ＡＮｂ７０アタッチ手続きは、図１３を用いて１．３．１．３で説明したＷＬＡＮ＿ＡＮａ７０アタッチ手続きと同様であってよい。なお、アタッチ手続きに関連する各装置の処理も同様であってよい。そのため、詳細説明を省略する。
【０９６６】
［２．１．２．４  ＤＳＭＩＰを用いたアタッチ手続き］
ＵＥ１０がＤＳＭＩＰを用いて通信路を確立する。ＤＳＭＩＰを用いたアタッチ手続きは、図１３を用いて１．３．１．４で説明したＤＳＭＩＰを用いたアタッチ手続きと同様であってよい。なお、アタッチ手続きに関連する各装置の処理も同様であってよい。そのため、詳細説明を省略する。
【０９６７】
このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【０９６８】
［２．１．２．５  タイプ３のポリシーを用いた切り替え手続き例１］
次に、ＵＥ１０がタイプ３のポリシーを用いた切り替え手続きを、図１６を用いて説明する。
【０９６９】
図１６に示すように、初期状態においてＵＥ１０は、通信路１を確立しており、ＡＰＮに対応づけられた通信を実行している（Ｓ１６０２）。例えば、ＵＥ１０は、ＡＰＮ１に対応付けてフロー１、フロー２を管理し、通信路１を用いてそれらの通信を実行してよい。さらに、ＵＥ１０は通信路１に加え、通信路２を確立しており、ＡＰＮに対応づけられた通信を実行している（Ｓ１６０４）。例えば、ＵＥ１０は、ＡＰＮ２に対応付けてフロー３を管理し、通信路１を用いてそれらの通信を実行してよい。
【０９７０】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【０９７１】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【０９７２】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【０９７３】
また、通信路２は、ＬＴＥ＿ＡＮ８０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられており、さらに、フロー３の通信を識別する識別情報と通信路２が対応付けられている。
【０９７４】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【０９７５】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【０９７６】
次にＵＥ１０は、ポリシー受信処理を行う（Ｓ１６０６）。以下、ポリシー受信処理の例を、図２１を用いて説明する。
【０９７７】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【０９７８】
以下、オペレータポリシーを受信するための具体例を説明する。ＵＥ１０は、Ｈ−ＡＮＤＳＦ２０Ａを探索し、探索したＨ−ＡＮＤＳＦ２０Ａとセキュアな通信を確保する（Ｓ２１０４）。ＵＥ１０がＨ−ＡＮＤＳＦ２０Ａを探索する方法は種々考えられるが、例えば、ＰＤＮに配置されたＤＮＳサーバへＵＥ１０が問い合わせることにより、Ｈ−ＡＮＤＳＦ２０Ａを探索することができる。ＵＥ１０とＨ−ＡＮＤＳＦ２０Ａがセキュアな通信を確保する方法は、種々考えられるが、例えば、ＩＰＳｅｃを利用しても良い。
【０９７９】
なお、ＵＥ１０は、許可情報１に基づいて、Ｈ−ＡＮＤＳＦ２０Ａの探索、もしくはＨ−ＡＮＤＳＦ２０Ａとのセキュアな通信路を確立するための制御メッセージの送信をしてもよい。
【０９８０】
ＵＥ１０は、ＡＮＤＳＦ２０との間にセキュアな通信路を確立したあと、ＡＮＤＳＦ２０へアクセスネットワーク情報の要求を送信する（Ｓ２１０６）。
【０９８１】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【０９８２】
なお、ＵＥ１０は、許可情報１に基づいて、要求メッセージの送信をしてもよい。
【０９８３】
Ｈ−ＡＮＤＳＦ２０Ａは、ＵＥ１０へオペレータポリシー通知を送信する（Ｓ２１０８）。Ｈ−ＡＮＤＳＦ２０Ａは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【０９８４】
Ｈ−ＡＮＤＳＦ２０Ａは、ＡＮＤＳＦポリシーと許可情報とを含めてオペレータポリシー通知を送信してもよい。
【０９８５】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
【０９８６】
また、許可情報には、許可情報２４４の、少なくとも許可情報２、許可情報３、許可情報５の一部を含めてもよい。
【０９８７】
ＵＥ１０は、オペレータポリシー通知を受信し、ＡＮＤＳＦポリシーと許可情報を取得する。
【０９８８】
これにより、ＵＥ１０は許可情報１に基づいてオペレータポリシーを受信することができる。
【０９８９】
また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、Ｈ−ＡＮＤＳＦ２０Ａから受信した許可情報２を、許可情報１４４の許可情報として記憶、または更新するなどしてＵＥの許可情報として管理してもよい。
【０９９０】
次に、ＵＥ１０はＬＴＥ＿ＡＮ８０からＲＡＮポリシーを受信か否かを決定する。
【０９９１】
ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【０９９２】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【０９９３】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ローミング移動通信事業者によって運用される基地局であってよい。
【０９９４】
なお、ｅＮＢ４５は、ＲＡＮポリシーを基地局エリアにブロードキャストして複数の端末へ送信してもよいし、ＵＥ１０のみに送信してもよい。
【０９９５】
これにより、ＵＥ１０は、許可情報２に基づいてＲＡＮポリシーを受信することができる。
【０９９６】
なお、許可情報２はかならずしもＨ−ＡＮＤＳＦ２０Ａから送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【０９９７】
また、ＵＥ１０はＬＴＥ＿ＡＮ８０からＲＡＮポリシーを受信か否かは、別の手段によって決定しても良い。
【０９９８】
例えば、Ｖ−ＡＮＤＳＦからローミングオペレータのポリシーを受信し、受信したオペレータポリシーに基づいて決定してもよい。
【０９９９】
具体的には、ＵＥ１０は、Ｖ−ＡＮＤＳＦ２０Ｂを探索し、探索したＶ−ＡＮＤＳＦ２０Ｂとセキュアな通信を確保する（Ｓ２１１０）。ＵＥ１０がＶ−ＡＮＤＳＦ２０Ｂを探索する方法は種々考えられるが、例えば、ＰＤＮに配置されたＤＮＳサーバへＵＥ１０が問い合わせることにより、Ｖ−ＡＮＤＳＦ２０Ｂを探索することができる。ＵＥ１０とＶ−ＡＮＤＳＦ２０Ｂがセキュアな通信を確保する方法は、種々考えられるが、例えば、ＩＰＳｅｃを利用しても良い。
【１０００】
なお、ＵＥ１０は、許可情報１か、許可情報３か、もしくはその双方の組み合わせに基づいて、Ｖ−ＡＮＤＳＦ２０Ｂの探索、もしくはＨ−ＡＮＤＳＦ２０Ａとのセキュアな通信路を確立するための制御メッセージの送信をしてもよい。
【１００１】
ＵＥ１０は、ＡＮＤＳＦ２０との間にセキュアな通信路を確立したあと、ＡＮＤＳＦ２０へアクセスネットワーク情報の要求を送信する（Ｓ２１１２）。
【１００２】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【１００３】
なお、ＵＥ１０は、許可情報１か、許可情報３か、もしくはその双方の組み合わせに基づいて、要求メッセージの送信をしてもよい。
【１００４】
Ｖ−ＡＮＤＳＦ２０Ｂは、ＵＥ１０へオペレータポリシー通知を送信する（Ｓ２１１４）。Ｖ−ＡＮＤＳＦ２０Ｂは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【１００５】
Ｖ−ＡＮＤＳＦ２０Ｂは、ＡＮＤＳＦポリシーと許可情報とを含めてオペレータポリシー通知を送信してもよい。
【１００６】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。また、許可情報には、許可情報２４４の、少なくとも許可情報４を含めてもよい。
【１００７】
ＵＥ１０は、オペレータポリシー通知を受信し、ＡＮＤＳＦポリシーと許可情報を取得する（Ｓ２１１４）。
【１００８】
これにより、ＵＥ１０は、許可情報１か、許可情報３か、もしくはその双方の組み合わせに基づいてオペレータポリシーを受信することができる。
また、ＵＥ１０は、許可情報１か、許可情報３か、もしくはその双方の組み合わせに基づいて、受信したＡＮＤＳＦポリシーをＵＥポリシー１４２に記憶、または更新するなどしてＵＥポリシーとして管理してもよい。さらに、ＵＥ１０は、許可情報１か、許可情報３か、もしくはその双方の組み合わせに基づいて、Ｈ−ＡＮＤＳＦ２０Ｂから受信した許可情報２を、許可情報１４４の許可情報として記憶、または更新するなどしてＵＥの許可情報として管理してもよい。
【１００９】
ＵＥ１０は、許可情報２又は許可情報４又は許可情報５の少なくともいずれかに基づいて、ＲＡＮポリシーを受信すると決定してよい。もしくは、ＵＥ１０は、許可情報２、許可情報４、許可情報５の組み合わせに基づいて、ＲＡＮポリシーを受信すると決定してよい。
【１０１０】
例えば、ＵＥ１０は、許可情報２が「許可」であることにより、ＲＡＮポリシーを受信してよい。もしくは、ＵＥ１０は、許可情報４が「許可」であることにより、ＲＡＮポリシーを受信してよい。もしくは、ＵＥ１０は、許可情報５が「許可」であり、且つ許可情報４が「許可」であることにより、ＲＡＮポリシーを受信してよい。
【１０１１】
また、ＵＥ１０は、許可情報４が「許可」であった場合や、許可情報４を記憶していない場合でも、許可情報５が「不許可」である場合には、ＲＡＮポリシーの受信を行わないと決定してもよい。このように、Ｈ−ＰＬＭＮの運用事業者は、ＵＥ１０のローミング先でのＲＡＮポリシーの受信処理を制限することができる。
ＵＥ１０は、これら決定に基づいて、ＬＴＥ（ｅＮＢ４５）からＲＡＮポリシー４５４２を受信してもよい（Ｓ２１１６）。
【１０１２】
次に、ＵＥ１０は、オペレータポリシーもしくはＲＡＮポリシーもしくはその両方を用いて、アクセスシステムの選択と、通信路切り替え手続きの決定を行う（Ｓ２１１８）。
【１０１３】
本例では、ＵＥ１０がＵＥポリシー１４２に記憶するＡＰＮ１に対応付けられた通信を対象としたタイプ３のポリシーと、ｅＮＢ４５が送信するＲＡＮポリシーに基づいて、ＡＰＮ１に対応付けられた通信の通信路を切り替える例を説明する。
【１０１４】
なお、ＵＥポリシー１４２に記憶するＡＮＤＳＦポリシーはタイプ３ポリシーである。これは、許可情報１に基づいて、ＡＮＤＳＦ２０から受信したものをＵＥポリシー１４２に更新しても記憶したものであってもよい。
【１０１５】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はＡＰＮ１を識別する情報であり、アクセスネットワーク情報にはＬＴＥとＷＬＡＮを示す情報であり、アクセスネットワークの優先度はＬＴＥを優先する情報である。なお、具体的には、通信を識別する情報はＡＰＮ１を識別するＡＰＮであってもよい。
【１０１６】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【１０１７】
また、切り替え先の通信路と、切り替えを実行する通信データは、ＡＮＤＳＦポリシーを基に決定してもよい。具体的には、ＡＮＤＳＦポリシーの通信を識別する情報がフロー１を識別する情報であり、利用可能なアクセスネットワークとしてＷＬＡＮが記憶されていることから、ＡＰＮ１に対応づけられた通信を、ＷＬＡＮを用いた通信路に切り替えると決定してもよい。
【１０１８】
また、切り替え手段は、ＡＮＤＳＦポリシーがタイプ３のポリシーであることから、ＡＰＮベースの切り替えを行うことを決定してもよい。
【１０１９】
以上の手続きにより、ポリシー受信処理（Ｓ１６０６）を完了する。なお、具体的なタイプ３におけるポリシー受信処理は、第１実施形態における１．３．２．５で説明したため、詳細な説明は省略する。
【１０２０】
以下、通信路の切り替え処理（通信路切り替え手続き２）を実行する（Ｓ１６０８）。ここで、通信路切り替え手続き２は、１．３．２．５において説明した通信路切り替え手続き２と同様であってよい。詳細手続きおよび各装置の処理は、１．３．２．５の通信路切り替え手続き２と同様であってよいため詳細説明を省略する。
【１０２１】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１０２２】
以上の手続きにより、ＵＥ１０は、ＡＰＮ１に対応づけられた通信を、通信路３を用いて継続することができる（Ｓ１６１０）。なお、ＵＥ１０は、ＡＰＮ２に対応付けられた通信は、通信路２を用いて継続する（Ｓ１６１２）。
【１０２３】
さらに、ＵＥ１０およびＰＧＷ１０はリソース解放手続きを行ってもよい（Ｓ１６１４）。ＵＥ１０およびＰＧＷ１０は、リソース解放手続きにより、通信路１のリソースの解放や経路情報の削除などの、通信路の削除処理を実行してもよい。
【１０２４】
［２．１．２．６  タイプ３のポリシーを用いた切り替え手続き例２］
２．１．２．５で説明したタイプ２のポリシーを用いた切り替え手続き例１では、通信路３はＷＬＡＮ＿ＡＮａ７０を介してＰＧＷ４０へ接続する通信路である例を説明した。
また、通信路３は、ＷＬＡＮ＿ＡＮｂ７５を介してＰＧＷ４０へ接続する通信路であってよい。
【１０２５】
以下、ＵＥ１０がタイプ３のポリシーを用いた切り替え手続きを、図１６を用いて説明する。
【１０２６】
図１６に示すように、初期状態においてＵＥ１０は、通信路１を確立しており、ＡＰＮに対応づけられた通信を実行している（Ｓ１６０２）。例えば、ＵＥ１０は、ＡＰＮ１に対応付けてフロー１、フロー２を管理し、通信路１を用いてそれらの通信を実行してよい。さらに、ＵＥ１０は通信路１に加え、通信路２を確立しており、ＡＰＮに対応づけられた通信を実行している（Ｓ１６０４）。例えば、ＵＥ１０は、ＡＰＮ２に対応付けてフロー３を管理し、通信路１を用いてそれらの通信を実行してよい。
【１０２７】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【１０２８】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【１０２９】
また、通信路２は、ＬＴＥ＿ＡＮ８０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられており、さらに、フロー３の通信を識別する識別情報と通信路２が対応付けられている。
【１０３０】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【１０３１】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【１０３２】
次にＵＥ１０は、ポリシー受信処理を行う（Ｓ１６０６）。このポリシー受信処理は、２．１．２．５で説明したポリシー受信処理と同様の処理および手続きであってよい。そのため、詳細説明を省略する。
【１０３３】
以下、通信路の切り替え処理（通信路切り替え手続き２）を実行する（Ｓ１６０８）。ここで、通信路切り替え手続き２は、１．３．２．６において説明した通信路切り替え手続き２と同様であってよい。詳細手続きおよび各装置の処理は、１．３．２．６の通信路切り替え手続き２と同様であってよいため詳細説明を省略する。
【１０３４】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１０３５】
以上の手続きにより、ＵＥ１０は、ＡＰＮ１に対応づけられた通信を、通信路３を用いて継続することができる（Ｓ１６１０）。なお、ＵＥ１０は、ＡＰＮ２に対応付けられた通信は、通信路２を用いて継続する（Ｓ１６１２）。
【１０３６】
さらに、ＵＥ１０およびＰＧＷ１０はリソース解放手続きを行ってもよい（Ｓ１６１４）。ＵＥ１０およびＰＧＷ１０は、リソース解放手続きにより、通信路１のリソースの解放や経路情報の削除などの、通信路の削除処理を実行してもよい。
【１０３７】
［２．１．２．７  タイプ３のポリシーを用いた切り替え手続き例３］
２．１．２．５で説明したタイプ２のポリシーを用いた切り替え手続き例１では、通信路３はＷＬＡＮ＿ＡＮａ７０を介してＰＧＷ４０へ接続する通信路である例を説明した。
また、通信路３は、ＤＳＭＩＰを用いて確立した通信路であってよい。
【１０３８】
以下、ＵＥ１０がタイプ３のポリシーを用いた切り替え手続きを、図１６を用いて説明する。
【１０３９】
図１６に示すように、初期状態においてＵＥ１０は、通信路１を確立しており、ＡＰＮに対応づけられた通信を実行している（Ｓ１６０２）。例えば、ＵＥ１０は、ＡＰＮ１に対応付けてフロー１、フロー２を管理し、通信路１を用いてそれらの通信を実行してよい。さらに、ＵＥ１０は通信路１に加え、通信路２を確立しており、ＡＰＮに対応づけられた通信を実行している（Ｓ１６０４）。例えば、ＵＥ１０は、ＡＰＮ２に対応付けてフロー３を管理し、通信路１を用いてそれらの通信を実行してよい。
【１０４０】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【１０４１】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【１０４２】
また、通信路２は、ＬＴＥ＿ＡＮ８０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられており、さらに、フロー３の通信を識別する識別情報と通信路２が対応付けられている。
【１０４３】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【１０４４】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【１０４５】
次にＵＥ１０は、ポリシー受信処理を行う（Ｓ１６０６）。このポリシー受信処理は、２．１．２．５で説明したポリシー受信処理と同様の処理および手続きであってよい。そのため、詳細説明を省略する。
【１０４６】
以下、通信路の切り替え処理（通信路切り替え手続き２）を実行する（Ｓ１６０８）。ここで、通信路切り替え手続き２は、１．３．２．７において説明した通信路切り替え手続き２と同様であってよい。詳細手続きおよび各装置の処理は、１．３．２．７の通信路切り替え手続き２と同様であってよいため詳細説明を省略する。
【１０４７】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１０４８】
以上の手続きにより、ＵＥ１０は、ＡＰＮ１に対応づけられた通信を、通信路３を用いて継続することができる（Ｓ１６１０）。なお、ＵＥ１０は、ＡＰＮ２に対応付けられた通信は、通信路２を用いて継続する（Ｓ１６１２）。
【１０４９】
さらに、ＵＥ１０およびＰＧＷ１０はリソース解放手続きを行ってもよい（Ｓ１６１４）。ＵＥ１０およびＰＧＷ１０は、リソース解放手続きにより、通信路１のリソースの解放や経路情報の削除などの、通信路の削除処理を実行してもよい。
【１０５０】
［２．１．３  タイプ１のポリシーを用いた制御手続き］
本例では、ＵＥ１０が  図５（ａ）ポリシーの例１で示したタイプ１のＡＮＤＳＦポリシーとＲＡＮポリシーを用いて通信路を切り替える例を説明する。
【１０５１】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【１０５２】
［２．１．３．１  ＬＴＥアタッチ手続き］
ＵＥ１０がＬＴＥのアクセスシステム（ＬＴＥ＿ＡＮ８０）を経由した通信路を確立する。ＬＴＥアタッチ手続きは、図１１を用いて１．３．１．１で説明したＬＴＥアタッチ手続きと同様であってよい。なお、アタッチ手続きに関連する各装置の処理も同様であってよい。そのため、詳細説明を省略する。
【１０５３】
［２．１．３．２  ＷＬＡＮ＿ＡＮａアタッチ手続き］
ＵＥ１０がＷＬＡＮ＿ＡＮａ７０を介した通信路を確立する。ＷＬＡＮ＿ＡＮａ７０アタッチ手続きは、図１２を用いて１．３．１．２で説明したＷＬＡＮ＿ＡＮａ７０アタッチ手続きと同様であってよい。なお、アタッチ手続きに関連する各装置の処理も同様であってよい。そのため、詳細説明を省略する。
【１０５４】
［２．１．３．３  ＷＬＡＮ＿ＡＮｂアタッチ手続き］
ＵＥ１０がＷＬＡＮ＿ＡＮｂ７０を介した通信路を確立する。ＷＬＡＮ＿ＡＮｂ７０アタッチ手続きは、図１３を用いて１．３．１．３で説明したＷＬＡＮ＿ＡＮａ７０アタッチ手続きと同様であってよい。なお、アタッチ手続きに関連する各装置の処理も同様であってよい。そのため、詳細説明を省略する。
【１０５５】
［２．１．３．４  ＤＳＭＩＰを用いたアタッチ手続き］
ＵＥ１０がＤＳＭＩＰを用いて通信路を確立する。ＤＳＭＩＰを用いたアタッチ手続きは、図１３を用いて１．３．１．４で説明したＤＳＭＩＰを用いたアタッチ手続きと同様であってよい。なお、アタッチ手続きに関連する各装置の処理も同様であってよい。そのため、詳細説明を省略する。
【１０５６】
このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【１０５７】
［２．１．３．５  タイプ１のポリシーを用いた切り替え手続き例１］
次に、ＵＥ１０がタイプ１のポリシーを用いた切り替え手続きを、図１７を用いて説明する。
【１０５８】
図１７に示すように、初期状態においてＵＥ１０は、通信路１を確立しており、ＡＰＮに対応づけられた通信を実行している（Ｓ１７０２）。例えば、ＵＥ１０は、ＡＰＮ１に対応付けて通信路１を管理し、通信路１を用いてそれらの通信を実行してよい。さらに、ＵＥ１０は通信路１に加え、通信路２を確立しており、ＡＰＮに対応づけられた通信を実行している（Ｓ１７０４）。例えば、ＵＥ１０は、ＡＰＮ２に対応付けて通信路２を管理し、通信路１を用いてそれらの通信を実行してよい。
【１０５９】
なお、ＡＰＮに対応付けられた通信は、特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【１０６０】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられている。
【１０６１】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【１０６２】
また、通信路２は、ＬＴＥ＿ＡＮ８０を介してＰＧＷ４０へ接続する通信路であってよい。さらに、ＵＥ１０はＡＰＮ２に対応付けて通信路２を確立してもよい。このように、ＵＥ１０とＰＧＷ４０では、ＡＰＮ２と通信路２は対応付けられている。
【１０６３】
なお、通信路２の具体的な確立方法や、ＡＰＮ２と通信路２の対応の管理方法、通信を識別する識別情報と通信路２の対応の管理方法は、１．３．１．１で説明したＬＴＥアタッチ手続きもしくはＰＤＮコネクション確立手続きで説明したため、詳細な説明は省略する。
【１０６４】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【１０６５】
次にＵＥ１０は、ポリシー受信処理を行う（Ｓ１７０６）。以下、ポリシー受信処理の例を、図２１を用いて説明する。
【１０６６】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【１０６７】
以下、オペレータポリシーを受信するための具体例を説明する。
ＵＥ１０は、Ｈ−ＡＮＤＳＦ２０Ａを探索し、探索したＨ−ＡＮＤＳＦ２０Ａとセキュアな通信を確保する（Ｓ２１０４）。ＵＥ１０がＨ−ＡＮＤＳＦ２０Ａを探索する方法は種々考えられるが、例えば、ＰＤＮに配置されたＤＮＳサーバへＵＥ１０が問い合わせることにより、Ｈ−ＡＮＤＳＦ２０Ａを探索することができる。ＵＥ１０とＨ−ＡＮＤＳＦ２０Ａがセキュアな通信を確保する方法は、種々考えられるが、例えば、ＩＰＳｅｃを利用しても良い。
【１０６８】
なお、ＵＥ１０は、許可情報１に基づいて、Ｈ−ＡＮＤＳＦ２０Ａの探索、もしくはＨ−ＡＮＤＳＦ２０Ａとのセキュアな通信路を確立するための制御メッセージの送信をしてもよい。
【１０６９】
ＵＥ１０は、ＡＮＤＳＦ２０との間にセキュアな通信路を確立したあと、ＡＮＤＳＦ２０へアクセスネットワーク情報の要求を送信する（Ｓ２１０６）。
【１０７０】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【１０７１】
なお、ＵＥ１０は、許可情報１に基づいて、要求メッセージの送信をしてもよい。
【１０７２】
Ｈ−ＡＮＤＳＦ２０Ａは、ＵＥ１０へオペレータポリシー通知を送信する（Ｓ２１０８）。Ｈ−ＡＮＤＳＦ２０Ａは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【１０７３】
Ｈ−ＡＮＤＳＦ２０Ａは、ＡＮＤＳＦポリシーと許可情報とを含めてオペレータポリシー通知を送信してもよい。
【１０７４】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
【１０７５】
また、許可情報には、許可情報２４４の、少なくとも許可情報２、許可情報３、許可情報５の一部を含めてもよい。
【１０７６】
ＵＥ１０は、オペレータポリシー通知を受信し、ＡＮＤＳＦポリシーと許可情報を取得する。
【１０７７】
これにより、ＵＥ１０は許可情報１に基づいてオペレータポリシーを受信することができる。
【１０７８】
また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、Ｈ−ＡＮＤＳＦ２０Ａから受信した許可情報２を、許可情報１４４の許可情報として記憶、または更新するなどしてＵＥの許可情報として管理してもよい。
【１０７９】
次に、ＵＥ１０はＬＴＥ＿ＡＮ８０からＲＡＮポリシーを受信か否かを決定する。
ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【１０８０】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【１０８１】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ローミング移動通信事業者によって運用される基地局であってよい。
【１０８２】
なお、ｅＮＢ４５は、ＲＡＮポリシーを基地局エリアにブロードキャストして複数の端末へ送信してもよいし、ＵＥ１０のみに送信してもよい。
【１０８３】
これにより、ＵＥ１０は、許可情報２に基づいてＲＡＮポリシーを受信することができる。
【１０８４】
なお、許可情報２はかならずしもＨ−ＡＮＤＳＦ２０Ａから送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【１０８５】
また、ＵＥ１０はＬＴＥ＿ＡＮ８０からＲＡＮポリシーを受信か否かは、別の手段によって決定しても良い。
【１０８６】
例えば、Ｖ−ＡＮＤＳＦからローミングオペレータのポリシーを受信し、受信したオペレータポリシーに基づいて決定してもよい。
具体的には、ＵＥ１０は、Ｖ−ＡＮＤＳＦ２０Ｂを探索し、探索したＶ−ＡＮＤＳＦ２０Ｂとセキュアな通信を確保する（Ｓ２１１０）。ＵＥ１０がＶ−ＡＮＤＳＦ２０Ｂを探索する方法は種々考えられるが、例えば、ＰＤＮに配置されたＤＮＳサーバへＵＥ１０が問い合わせることにより、Ｖ−ＡＮＤＳＦ２０Ｂを探索することができる。ＵＥ１０とＶ−ＡＮＤＳＦ２０Ｂがセキュアな通信を確保する方法は、種々考えられるが、例えば、ＩＰＳｅｃを利用しても良い。
【１０８７】
なお、ＵＥ１０は、許可情報１か、許可情報３か、もしくはその双方の組み合わせに基づいて、Ｖ−ＡＮＤＳＦ２０Ｂの探索、もしくはＨ−ＡＮＤＳＦ２０Ａとのセキュアな通信路を確立するための制御メッセージの送信をしてもよい。
【１０８８】
ＵＥ１０は、ＡＮＤＳＦ２０との間にセキュアな通信路を確立したあと、ＡＮＤＳＦ２０へアクセスネットワーク情報の要求を送信する（Ｓ２１１２）。
【１０８９】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【１０９０】
なお、ＵＥ１０は、許可情報１か、許可情報３か、もしくはその双方の組み合わせに基づいて、要求メッセージの送信をしてもよい。
【１０９１】
Ｖ−ＡＮＤＳＦ２０Ｂは、ＵＥ１０へオペレータポリシー通知を送信する（Ｓ２１１４）。Ｖ−ＡＮＤＳＦ２０Ｂは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【１０９２】
Ｖ−ＡＮＤＳＦ２０Ｂは、ＡＮＤＳＦポリシーと許可情報とを含めてオペレータポリシー通知を送信してもよい。
【１０９３】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
また、許可情報には、許可情報２４４の、少なくとも許可情報４を含めてもよい。
ＵＥ１０は、オペレータポリシー通知を受信し、ＡＮＤＳＦポリシーと許可情報を取得する（Ｓ２１１４）。
【１０９４】
これにより、ＵＥ１０は、許可情報１か、許可情報３か、もしくはその双方の組み合わせに基づいてオペレータポリシーを受信することができる。
【１０９５】
また、ＵＥ１０は、許可情報１か、許可情報３か、もしくはその双方の組み合わせに基づいて、受信したＡＮＤＳＦポリシーをＵＥポリシー１４２に記憶、または更新するなどしてＵＥポリシーとして管理してもよい。さらに、ＵＥ１０は、許可情報１か、許可情報３か、もしくはその双方の組み合わせに基づいて、Ｈ−ＡＮＤＳＦ２０Ｂから受信した許可情報２を、許可情報１４４の許可情報として記憶、または更新するなどしてＵＥの許可情報として管理してもよい。
【１０９６】
ＵＥ１０は、許可情報２又は許可情報４又は許可情報５の少なくともいずれかに基づいて、ＲＡＮポリシーを受信すると決定してよい。もしくは、ＵＥ１０は、許可情報２、許可情報４、許可情報５の組み合わせに基づいて、ＲＡＮポリシーを受信すると決定してよい。
【１０９７】
例えば、ＵＥ１０は、許可情報２が「許可」であることにより、ＲＡＮポリシーを受信してよい。もしくは、ＵＥ１０は、許可情報４が「許可」であることにより、ＲＡＮポリシーを受信してよい。もしくは、ＵＥ１０は、許可情報５が「許可」であり、且つ許可情報４が「許可」であることにより、ＲＡＮポリシーを受信してよい。
【１０９８】
また、ＵＥ１０は、許可情報４が「許可」であった場合や、許可情報４を記憶していない場合でも、許可情報５が「不許可」である場合には、ＲＡＮポリシーの受信を行わないと決定してもよい。このように、Ｈ−ＰＬＭＮの運用事業者は、ＵＥ１０のローミング先でのＲＡＮポリシーの受信処理を制限することができる。
【１０９９】
ＵＥ１０は、これら決定に基づいて、ＬＴＥ（ｅＮＢ４５）からＲＡＮポリシー４５４２を受信してもよい（Ｓ２１１６）。
【１１００】
次に、ＵＥ１０は、オペレータポリシーもしくはＲＡＮポリシーもしくはその両方を用いて、アクセスシステムの選択と、通信路切り替え手続きの決定を行う（Ｓ２１１８）。
【１１０１】
本例では、ＵＥ１０がＵＥポリシー１４２に記憶するＵＥ１０のすべての通信を対象としたタイプ１のポリシーと、ｅＮＢ４５が送信するＲＡＮポリシーに基づいて、ＡＰＮ１に対応付けられた通信の通信路を切り替える例を説明する。
【１１０２】
なお、ＵＥポリシー１４２に記憶するＡＮＤＳＦポリシーはタイプ１ポリシーである。これは、許可情報１に基づいて、ＡＮＤＳＦ２０から受信したものをＵＥポリシー１４２に更新しても記憶したものであってもよい。
【１１０３】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はすべての通信を示す情報であり、アクセスネットワーク情報にはＬＴＥとＷＬＡＮを示す情報であり、アクセスネットワークの優先度はＬＴＥを優先する情報である。なお、具体的には、通信を識別する情報はすべての通信を示す情報であるため、明示的にポリシーに識別情報を含まず、識別情報を含まないことによって暗示的にすべての通信を識別してもよい。
【１１０４】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【１１０５】
また、切り替え先の通信路と、切り替えを実行する通信データは、ＡＮＤＳＦポリシーを基に決定してもよい。具体的には、ＡＮＤＳＦポリシーの通信を識別する情報がすべての通信を識別する情報であり、利用可能なアクセスネットワークとしてＷＬＡＮが記憶されていることから、ＵＥ１０のすべての通信を、ＷＬＡＮを用いた通信路に切り替えると決定してもよい。
【１１０６】
また、切り替え手段は、ＡＮＤＳＦポリシーがタイプ１のポリシーであることから、すべての通信の切り替えを行うことを決定してもよい。
【１１０７】
以上の手続きにより、ポリシー受信処理（Ｓ１７０６）を完了する。なお、具体的なタイプ１におけるポリシー受信処理は、第１実施形態における１．３．３．５で説明したため、詳細な説明は省略する。以下、通信路の切り替え処理（通信路切り替え手続き３）を実行する（Ｓ１７０８）。
【１１０８】
ここで、通信路切り替え手続き３は、１．３．３．５において説明した通信路切り替え手続き３と同様であってよい。詳細手続きおよび各装置の処理は、１．３．３．５の通信路切り替え手続き３と同様であってよいため詳細説明を省略する。
【１１０９】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
以上の手続きにより、ＵＥ１０は、ＡＰＮ１に対応づけられた通信を、通信路３を用いて継続することができる（Ｓ１７１０）。さらに、ＵＥ１０は、ＡＰＮ２に対応付けられた通信を、通信路４を用いて継続することができる（Ｓ１７１２）。
さらに、ＵＥ１０およびＰＧＷ１０はリソース解放手続きを行ってもよい（Ｓ１７１４）。ＵＥ１０およびＰＧＷ１０は、リソース解放手続きにより、通信路１および通信路２のリソースの解放や経路情報の削除などの、通信路の削除処理を実行してもよい。
【１１１０】
［２．１．３．６  タイプ１のポリシーを用いた切り替え手続き例２］
２．１．３．５で説明したタイプ１のポリシーを用いた切り替え手続き例１では、通信路３および通信路４は、ＷＬＡＮ＿ＡＮａ７０を介してＰＧＷ４０へ接続する通信路である例を説明した。
【１１１１】
また、通信路３および通信路４は、ＷＬＡＮ＿ＡＮｂ７５を介してＰＧＷ４０へ接続する通信路であってよい。
【１１１２】
以下、ＵＥ１０がタイプ１のポリシーを用いた切り替え手続きを、図１７を用いて説明する。
【１１１３】
ＵＥ１０を含む各装置のポシリー受信処理（Ｓ１７０６）に至るまでの手続きおよび処理は、１．３．３．６で行う手続きおよび処理と同様であってよい。具体的には、通信路１および通信路２の確立にかかる手続き、および各装置の処理は、１．３．３．６で説明した手続きおよび処理と同様でよい。そのため、詳細説明は省略する。
【１１１４】
さらに、ＵＥ１０は、ポリシー受信処理を行う（Ｓ１７０６）。このポリシー受信処理は、２．１．３．５で説明したポリシー受信処理と同様の処理および手続きであってよい。そのため、詳細説明を省略する。
【１１１５】
以下、通信路の切り替え処理（通信路切り替え手続き３）を実行する（Ｓ１７０８）。
【１１１６】
ここで、通信路切り替え手続き３は、１．３．３．６において説明した通信路切り替え手続き３と同様であってよい。詳細手続きおよび各装置の処理は、１．３．３．６の通信路切り替え手続き３と同様であってよいため詳細説明を省略する。
【１１１７】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１１１８】
以上の手続きにより、ＵＥ１０は、ＡＰＮ１に対応づけられた通信を、通信路３を用いて継続することができる（Ｓ１７１０）。さらに、ＵＥ１０は、ＡＰＮ２に対応付けられた通信を、通信路４を用いて継続することができる（Ｓ１７１２）。
【１１１９】
さらに、ＵＥ１０およびＰＧＷ１０はリソース解放手続きを行ってもよい（Ｓ１７１４）。ＵＥ１０およびＰＧＷ１０は、リソース解放手続きにより、通信路１および通信路２のリソースの解放や経路情報の削除などの、通信路の削除処理を実行してもよい。
【１１２０】
［２．１．３．７  タイプ１のポリシーを用いた切り替え手続き例３］
２．１．３．５で説明したタイプ１のポリシーを用いた切り替え手続き例１では、通信路３および通信路４は、ＷＬＡＮ＿ＡＮａ７０を介してＰＧＷ４０へ接続する通信路である例を説明した。
【１１２１】
また、通信路３および通信路４は、通信路３は、ＤＳＭＩＰを用いて確立した通信路であってよい。
【１１２２】
以下、ＵＥ１０がタイプ３のポリシーを用いた切り替え手続きを、図１７を用いて説明する。
【１１２３】
ＵＥ１０を含む各装置のポシリー受信処理（Ｓ１７０６）に至るまでの手続きおよび処理は、１．３．３．６で行う手続きおよび処理と同様であってよい。具体的には、通信路１および通信路２の確立にかかる手続き、および各装置の処理は、１．３．３．６で説明した手続きおよび処理と同様でよい。そのため、詳細説明は省略する。
【１１２４】
さらに、ＵＥ１０は、ポリシー受信処理を行う（Ｓ１７０６）。このポリシー受信処理は、２．１．３．５で説明したポリシー受信処理と同様の処理および手続きであってよい。そのため、詳細説明を省略する。
【１１２５】
以下、通信路の切り替え処理（通信路切り替え手続き３）を実行する（Ｓ１７０８）。
ここで、通信路切り替え手続き３は、１．３．３．７において説明した通信路切り替え手続き３と同様であってよい。詳細手続きおよび各装置の処理は、１．３．３．７の通信路切り替え手続き３と同様であってよいため詳細説明を省略する。
【１１２６】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１１２７】
以上の手続きにより、ＵＥ１０は、ＡＰＮ１に対応づけられた通信を、通信路３を用いて継続することができる（Ｓ１７１０）。さらに、ＵＥ１０は、ＡＰＮ２に対応付けられた通信を、通信路４を用いて継続することができる（Ｓ１７１２）。
【１１２８】
さらに、ＵＥ１０およびＰＧＷ１０はリソース解放手続きを行ってもよい（Ｓ１７１４）。ＵＥ１０およびＰＧＷ１０は、リソース解放手続きにより、通信路１および通信路２のリソースの解放や経路情報の削除などの、通信路の削除処理を実行してもよい。
【１１２９】
［２．１．４  タイプ４のポリシーを用いた制御手続き］
本例では、ＵＥ１０が  図５（ｄ）ポリシーの例４で示したタイプ４のＡＮＤＳＦポリシーとＲＡＮポリシーを用いて通信路を切り替える例を説明する。
【１１３０】
まず、本実施形態のポリシーを用いた制御手続きを行うＵＥ１０の初期状態に至るＬＴＥアタッチ手続きと、ＷＬＡＮ＿ＡＮａアタッチ手続きと、ＷＬＡＮ＿ＡＮｂアタッチ手続きと、ＤＳＭＩＰを用いたアタッチ手続きとを説明する。
【１１３１】
［２．１．４．１  ＬＴＥアタッチ手続き］
ＵＥ１０がＬＴＥのアクセスシステム（ＬＴＥ＿ＡＮ８０）を経由した通信路を確立する。ＬＴＥアタッチ手続きは、図１１を用いて１．３．１．１で説明したＬＴＥアタッチ手続きと同様であってよい。なお、アタッチ手続きに関連する各装置の処理も同様であってよい。そのため、詳細説明を省略する。
【１１３２】
［２．１．４．２  ＷＬＡＮ＿ＡＮａアタッチ手続き］
ＵＥ１０がＷＬＡＮ＿ＡＮａ７０を介した通信路を確立する。ＷＬＡＮ＿ＡＮａ７０アタッチ手続きは、図１２を用いて１．３．１．２で説明したＷＬＡＮ＿ＡＮａ７０アタッチ手続きと同様であってよい。なお、アタッチ手続きに関連する各装置の処理も同様であってよい。そのため、詳細説明を省略する。
【１１３３】
［２．１．４．３  ＷＬＡＮ＿ＡＮｂアタッチ手続き］
ＵＥ１０がＷＬＡＮ＿ＡＮｂ７０を介した通信路を確立する。ＷＬＡＮ＿ＡＮｂ７０アタッチ手続きは、図１３を用いて１．３．１．３で説明したＷＬＡＮ＿ＡＮａ７０アタッチ手続きと同様であってよい。なお、アタッチ手続きに関連する各装置の処理も同様であってよい。そのため、詳細説明を省略する。
【１１３４】
［２．１．４．４  ＤＳＭＩＰを用いたアタッチ手続き］
ＵＥ１０がＤＳＭＩＰを用いて通信路を確立する。ＤＳＭＩＰを用いたアタッチ手続きは、図１３を用いて１．３．１．４で説明したＤＳＭＩＰを用いたアタッチ手続きと同様であってよい。なお、アタッチ手続きに関連する各装置の処理も同様であってよい。そのため、詳細説明を省略する。
【１１３５】
このＤＳＭＩＰを用いたアタッチ手続きにより、ＵＥ１０は、ＷＬＡＮ＿ＡＮａ７０を介した通信路、もしくはＷＬＡＮ＿ＡＮｂ７５を介した通信路を確立することができる。
【１１３６】
［２．１．４．５  タイプ４のポリシーを用いた切り替え手続き例１］
次に、ＵＥ１０がタイプ４のポリシーを用いた切り替え手続きを、図１６を用いて説明する。
【１１３７】
図１８に示すように、初期状態においてＵＥ１０は、通信路１を確立しており、フロー１とフロー２の通信を実行している（Ｓ１８０２）。さらに、ＵＥ１０は通信路１に加え、通信路２を確立しており、フロー３の通信を実行している（Ｓ１８０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【１１３８】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【１１３９】
また、通信路２は、ＷＬＡＮ＿ＡＮａ７０を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられており、さらに、フロー３の通信を識別する識別情報と通信路１が対応付けられている。
【１１４０】
なお、通信路２の具体的な確立方法や、ＡＰＮ１と通信路２の対応の管理方法、通信を識別する識別情報と通信路１の対応の管理方法は、１．３．１．２で説明したＷＬＡＮ＿ＡＮａアタッチ手続きで説明したため、詳細な説明は省略する。
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【１１４１】
次にＵＥ１０は、ポリシー受信処理を行う（Ｓ１８０６）。以下、ポリシー受信処理の例を、図２１を用いて説明する。
【１１４２】
まず、ＵＥ１０は、オペレータポリシーを受信するための手続きを行う。なお、オペレータポリシーを受信するか否かは、許可情報１４４の許可情報１を基に決定してもよい。つまり、許可情報１が「許可」とされている場合には、オペレータポリシーを受信してよい。また、許可情報１が「不許可」とされている場合には、オペレータポリシーを受信せずに、本手続を終了してもよい。
【１１４３】
以下、オペレータポリシーを受信するための具体例を説明する。
ＵＥ１０は、Ｈ−ＡＮＤＳＦ２０Ａを探索し、探索したＨ−ＡＮＤＳＦ２０Ａとセキュアな通信を確保する（Ｓ２１０４）。ＵＥ１０がＨ−ＡＮＤＳＦ２０Ａを探索する方法は種々考えられるが、例えば、ＰＤＮに配置されたＤＮＳサーバへＵＥ１０が問い合わせることにより、Ｈ−ＡＮＤＳＦ２０Ａを探索することができる。ＵＥ１０とＨ−ＡＮＤＳＦ２０Ａがセキュアな通信を確保する方法は、種々考えられるが、例えば、ＩＰＳｅｃを利用しても良い。
【１１４４】
なお、ＵＥ１０は、許可情報１に基づいて、Ｈ−ＡＮＤＳＦ２０Ａの探索、もしくはＨ−ＡＮＤＳＦ２０Ａとのセキュアな通信路を確立するための制御メッセージの送信をしてもよい。
【１１４５】
ＵＥ１０は、ＡＮＤＳＦ２０との間にセキュアな通信路を確立したあと、ＡＮＤＳＦ２０へアクセスネットワーク情報の要求を送信する（Ｓ２１０６）。
【１１４６】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【１１４７】
なお、ＵＥ１０は、許可情報１に基づいて、要求メッセージの送信をしてもよい。
Ｈ−ＡＮＤＳＦ２０Ａは、ＵＥ１０へオペレータポリシー通知を送信する（Ｓ２１０８）。Ｈ−ＡＮＤＳＦ２０Ａは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【１１４８】
Ｈ−ＡＮＤＳＦ２０Ａは、ＡＮＤＳＦポリシーと許可情報とを含めてオペレータポリシー通知を送信してもよい。
【１１４９】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
また、許可情報には、許可情報２４４の、少なくとも許可情報２、許可情報３、許可情報５の一部を含めてもよい。
【１１５０】
ＵＥ１０は、オペレータポリシー通知を受信し、ＡＮＤＳＦポリシーと許可情報を取得する。
【１１５１】
これにより、ＵＥ１０は許可情報１に基づいてオペレータポリシーを受信することができる。
【１１５２】
また、ＵＥ１０は、許可情報１に基づいて、受信したＡＮＤＳＦポリシーをＵＥポリシー１４２に記憶、または更新するなどしてＵＥポリシーとして管理してもよい。さらに、ＵＥ１０は、許可情報１に基づいて、Ｈ−ＡＮＤＳＦ２０Ａから受信した許可情報２を、許可情報１４４の許可情報として記憶、または更新するなどしてＵＥの許可情報として管理してもよい。
【１１５３】
次に、ＵＥ１０はＬＴＥ＿ＡＮ８０からＲＡＮポリシーを受信か否かを決定する。
ここで、ＵＥ１０は、許可情報１４４の許可情報２に基づいてＲＡＮポリシーを受信してもよい。例えば、許可情報２が「許可」の場合には、ＲＡＮポリシーを受信してもよい。また、許可情報２が「不許可」の場合には、ＲＡＮポリシーの受信は実行しないなどの設定を行ってもよい。
【１１５４】
また、ＵＥ１０は、ＡＮＤＳＦ２０から受信した許可情報２に基づいてＲＡＮポリシーを受信してもよいし、許可情報１４４の許可情報２を「不許可」から「許可」へ更新したことに基づいて、ＲＡＮポリシーを受信してもよい。
【１１５５】
以下、ＵＥ１０のＲＡＮポリシーの具体的な取得方法の例を説明する。ＬＴＥ＿ＡＮ８０に構成されるｅＮＢ４５は、ＲＡＮポリシー４５４２を送信する。ここで、ＬＴＥ＿ＡＮは、ＵＥ１０が契約する移動通信事業者によって運用されるＬＴＥを用いたアクセスネットワークであってよい。また、ｅＮＢ４５は、ローミング移動通信事業者によって運用される基地局であってよい。
【１１５６】
なお、ｅＮＢ４５は、ＲＡＮポリシーを基地局エリアにブロードキャストして複数の端末へ送信してもよいし、ＵＥ１０のみに送信してもよい。
【１１５７】
これにより、ＵＥ１０は、許可情報２に基づいてＲＡＮポリシーを受信することができる。
【１１５８】
なお、許可情報２はかならずしもＨ−ＡＮＤＳＦ２０Ａから送信される必要がないため、オペレータポリシーではなく、ＵＥのポリシーに基づいてＲＡＮポリシーを受信することができる。例えば、図１９に示すように、ＡＮＤＳＦが構成されていない通信システムにおいても、ＵＥ１０は、許可情報２に基づいてＲＡＮポリシーを使用するかしないかを制御することができる。
【１１５９】
また、ＵＥ１０はＬＴＥ＿ＡＮ８０からＲＡＮポリシーを受信か否かは、別の手段によって決定しても良い。
【１１６０】
例えば、Ｖ−ＡＮＤＳＦからローミングオペレータのポリシーを受信し、受信したオペレータポリシーに基づいて決定してもよい。
【１１６１】
具体的には、ＵＥ１０は、Ｖ−ＡＮＤＳＦ２０Ｂを探索し、探索したＶ−ＡＮＤＳＦ２０Ｂとセキュアな通信を確保する（Ｓ２１１０）。ＵＥ１０がＶ−ＡＮＤＳＦ２０Ｂを探索する方法は種々考えられるが、例えば、ＰＤＮに配置されたＤＮＳサーバへＵＥ１０が問い合わせることにより、Ｖ−ＡＮＤＳＦ２０Ｂを探索することができる。ＵＥ１０とＶ−ＡＮＤＳＦ２０Ｂがセキュアな通信を確保する方法は、種々考えられるが、例えば、ＩＰＳｅｃを利用しても良い。
【１１６２】
なお、ＵＥ１０は、許可情報１か、許可情報３か、もしくはその双方の組み合わせに基づいて、Ｖ−ＡＮＤＳＦ２０Ｂの探索、もしくはＨ−ＡＮＤＳＦ２０Ａとのセキュアな通信路を確立するための制御メッセージの送信をしてもよい。
【１１６３】
ＵＥ１０は、ＡＮＤＳＦ２０との間にセキュアな通信路を確立したあと、ＡＮＤＳＦ２０へアクセスネットワーク情報の要求を送信する（Ｓ２１１２）。
【１１６４】
このとき、図１０（ａ）に示すように、アクセスネットワーク情報の要求には、ＵＥ１０の利用可能なアクセスシステムや、ＵＥ１０の位置情報を含めてもよい。ここでは、ＵＥ１０の能力情報（ケイパビリティ）として、利用可能なアクセスシステムであるＬＴＥを示す情報とＷＬＡＮを示す情報を含めてもよい。位置情報には、位置情報１を含めるが、これに限らず、ＬＴＥ基地局装置のＣｅｌl ＩＤやＴＡＩ（Ｔｒａｃｋｉｎｇ  Ａｒｅａ  ＩＤ）、ＧＰＳ（Ｇｌｏｂａｌ  Ｐｏｓｉｔｉｏｎｉｎｇ  Ｓｙｓｔｅｍ、全地球測位システム）の情報を含めても良い。
【１１６５】
なお、ＵＥ１０は、許可情報１か、許可情報３か、もしくはその双方の組み合わせに基づいて、要求メッセージの送信をしてもよい。
【１１６６】
Ｖ−ＡＮＤＳＦ２０Ｂは、ＵＥ１０へオペレータポリシー通知を送信する（Ｓ２１１４）。Ｖ−ＡＮＤＳＦ２０Ｂは、ＵＥ１０から送信される要求メッセージの受信に基づいて、ＵＥ１０へオペレータポリシー通知してもよいし、オペレータポリシーが更新されたタイミングや、任意のタイミングで送信されてもよい。
【１１６７】
Ｖ−ＡＮＤＳＦ２０Ｂは、ＡＮＤＳＦポリシーと許可情報とを含めてオペレータポリシー通知を送信してもよい。
【１１６８】
ここで、ＡＮＤＳＦポリシーは、ＡＮＤＳＦポリシー２４２に記憶されるＵＥ１０へのポリシーであってよく、フローなどの通信を識別する情報ごとに複数のポリシーが含まれてよい。さらに、タイプ１〜タイプ４などの複数のタイプのポリシーが含まれてよい。
また、許可情報には、許可情報２４４の、少なくとも許可情報４を含めてもよい。
ＵＥ１０は、オペレータポリシー通知を受信し、ＡＮＤＳＦポリシーと許可情報を取得する（Ｓ２１１４）。
【１１６９】
これにより、ＵＥ１０は、許可情報１か、許可情報３か、もしくはその双方の組み合わせに基づいてオペレータポリシーを受信することができる。
【１１７０】
また、ＵＥ１０は、許可情報１か、許可情報３か、もしくはその双方の組み合わせに基づいて、受信したＡＮＤＳＦポリシーをＵＥポリシー１４２に記憶、または更新するなどしてＵＥポリシーとして管理してもよい。さらに、ＵＥ１０は、許可情報１か、許可情報３か、もしくはその双方の組み合わせに基づいて、Ｈ−ＡＮＤＳＦ２０Ｂから受信した許可情報２を、許可情報１４４の許可情報として記憶、または更新するなどしてＵＥの許可情報として管理してもよい。
【１１７１】
ＵＥ１０は、許可情報２又は許可情報４又は許可情報５の少なくともいずれかに基づいて、ＲＡＮポリシーを受信すると決定してよい。もしくは、ＵＥ１０は、許可情報２、許可情報４、許可情報５の組み合わせに基づいて、ＲＡＮポリシーを受信すると決定してよい。
【１１７２】
例えば、ＵＥ１０は、許可情報２が「許可」であることにより、ＲＡＮポリシーを受信してよい。もしくは、ＵＥ１０は、許可情報４が「許可」であることにより、ＲＡＮポリシーを受信してよい。もしくは、ＵＥ１０は、許可情報５が「許可」であり、且つ許可情報４が「許可」であることにより、ＲＡＮポリシーを受信してよい。
【１１７３】
また、ＵＥ１０は、許可情報４が「許可」であった場合や、許可情報４を記憶していない場合でも、許可情報５が「不許可」である場合には、ＲＡＮポリシーの受信を行わないと決定してもよい。このように、Ｈ−ＰＬＭＮの運用事業者は、ＵＥ１０のローミング先でのＲＡＮポリシーの受信処理を制限することができる。
ＵＥ１０は、これら決定に基づいて、ＬＴＥ（ｅＮＢ４５）からＲＡＮポリシー４５４２を受信してもよい（Ｓ２１１６）。
【１１７４】
次に、ＵＥ１０は、オペレータポリシーもしくはＲＡＮポリシーもしくはその両方を用いて、アクセスシステムの選択と、通信路切り替え手続きの決定を行う（Ｓ２１１８）。
【１１７５】
本例では、ＵＥ１０がＵＥポリシー１４２に記憶するフロー１を対象としたタイプ４のポリシーと、ｅＮＢ４５が送信するＲＡＮポリシーに基づいて、フロー１の通信路を切り替える例を説明する。
【１１７６】
なお、ＵＥポリシー１４２に記憶するＡＮＤＳＦポリシーはタイプ４ポリシーである。これは、許可情報１に基づいて、ＡＮＤＳＦ２０から受信したものをＵＥポリシー１４２に更新しても記憶したものであってもよい。
【１１７７】
また、これまで説明したとおり、ＡＮＤＳＦポリシーには、通信を識別する情報と、アクセスネットワーク情報と、アクセスネットワークの優先度と、閾値が対応付けられて記憶されている。さらに、ＲＡＮポリシーには、アクセスネットワーク情報と、閾値が対応づけられて記憶されている。具体的には、通信を識別する情報はフロー１を識別する情報であり、アクセスネットワーク情報にはＬＴＥとＷＬＡＮを示す情報であり、アクセスネットワークの優先度はＬＴＥを優先する情報である。
【１１７８】
ＵＥ１０は、ＲＡＮポリシーに基づいて通信路の切り替えを決定してもよい。ＵＥ１０は、ＲＡＮポリシーに含まれる、すくなくともＲＳＲＰやＲＳＲＱやＯＰＩの一部に基づいて切り替えを決定してよい。
【１１７９】
また、切り替え先の通信路と、切り替えを実行する通信データは、ＡＮＤＳＦポリシーを基に決定してもよい。具体的には、ＡＮＤＳＦポリシーの通信を識別する情報がフロー１を識別する情報であり、利用可能なアクセスネットワークとしてＷＬＡＮが記憶されていることから、フロー１の通信を、ＷＬＡＮを用いた通信路に切り替えると決定してもよい。
【１１８０】
また、切り替え手段は、ＡＮＤＳＦポリシーがタイプ４のポリシーであることから、フローベースの切り替えを行うことを決定してもよい。
【１１８１】
以上の手続きにより、ポリシー受信処理（Ｓ１８０６）を完了する。なお、具体的なタイプ２におけるポリシー受信処理は、第１実施形態における１．３．４．５で説明したため、詳細な説明は省略する。以下、通信路の切り替え処理（通信路切り替え手続き４）を実行する（Ｓ１８０８）。
ここで、通信路切り替え手続き４は、１．３．４．５において説明した通信路切り替え手続き３と同様であってよい。詳細手続きおよび各装置の処理は、１．３．４．５の通信路切り替え手続き４と同様であってよいため詳細説明を省略する。
【１１８２】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１１８３】
以上の手続きにより、ＵＥ１０は、フロー１の通信を、通信路２を用いて継続することができる（Ｓ１８１０）。なお、ＵＥ１０は、フロー３の通信は、通信路２を用いて継続する。なお、ＵＥ１０は、フロー２の通信は、通信路１を用いて継続する（Ｓ１８０８）。
【１１８４】
［２．１．４．６  タイプ４のポリシーを用いた切り替え手続き例２］
２．１．４．５で説明したタイプ４のポリシーを用いた切り替え手続き例１では、通信路２はＷＬＡＮ＿ＡＮａ７０を介してＰＧＷ４０へ接続する通信路である例を説明した。
また、通信路２は、ＷＬＡＮ＿ＡＮｂ７５を介してＰＧＷ４０へ接続する通信路であってよい。
【１１８５】
以下、ＵＥ１０がタイプ４のポリシーを用いた切り替え手続きを、図１８を用いて説明する。
【１１８６】
図１８に示すように、初期状態においてＵＥ１０は、通信路１を確立しており、フロー１とフロー２の通信を実行している（Ｓ１８０２）。さらに、ＵＥ１０は通信路１に加え、通信路２を確立しており、フロー３の通信を実行している（Ｓ１８０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【１１８７】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【１１８８】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【１１８９】
また、通信路２は、ＷＬＡＮ＿ＡＮｂ７５を介してＰＧＷ４０へ接続する通信路であってよい。さらに、ＵＥ１０はＡＰＮ２に対応付けて通信路１を確立してもよい。このように、ＵＥ１０とＰＧＷ４０では、ＡＰＮ２と通信路２は対応付けられており、さらに、フロー３の通信を識別する識別情報と通信路１が対応付けられている。
【１１９０】
なお、通信路２の具体的な確立方法や、ＡＰＮ２と通信路２の対応の管理方法、通信を識別する識別情報と通信路１の対応の管理方法は、１．３．１．３で説明したＷＬＡＮ＿ＡＮｂアタッチ手続きで説明したため、詳細な説明は省略する。
【１１９１】
なお、ＵＥ１０は、異なるＡＰＮにより通信路１と通信路２とを確立している。例えば、ＵＥ１０は、ＡＰＮ１により通信路１を確立し、かつＡＰＮ２により通信路２を確立している。そのため、ＵＥ１０は、通信路１に用いるＩＰアドレスと通信路２に用いるＩＰアドレスは、異なるＩＰアドレスを取得し、それぞれＩＰアドレスを用いて各通信路を用いた通信を行うことができる。
【１１９２】
次にＵＥ１０は、ポリシー受信処理を行う（Ｓ１８０６）。このポリシー受信処理は、２．１．４．５で説明したポリシー受信処理と同様の処理および手続きであってよい。そのため、詳細説明を省略する。
【１１９３】
以下、通信路の切り替え処理（通信路切り替え手続き４）を実行する（Ｓ１８０８）。
ここで、通信路切り替え手続き４は、１．３．４．６において説明した通信路切り替え手続き３と同様であってよい。詳細手続きおよび各装置の処理は、１．３．４．６の通信路切り替え手続き４と同様であってよいため詳細説明を省略する。
【１１９４】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１１９５】
以上の手続きにより、ＵＥ１０は、フロー１の通信を、通信路２を用いて継続することができる（Ｓ１８１０）。なお、ＵＥ１０は、フロー３の通信は、通信路２を用いて継続する。なお、ＵＥ１０は、フロー２の通信は、通信路１を用いて継続する（Ｓ１８０８）。
【１１９６】
［２．１．４．７  タイプ４のポリシーを用いた切り替え手続き例３］
２．１．４．５で説明したタイプ４のポリシーを用いた切り替え手続き例１では、通信路２はＷＬＡＮ＿ＡＮａ７０を介してＰＧＷ４０へ接続する通信路である例を説明した。また、通信路２は、ＤＳＭＩＰを用いて確立した通信路であってよい。
【１１９７】
以下、ＵＥ１０がタイプ４のポリシーを用いた切り替え手続きを、図１８を用いて説明する。
【１１９８】
図１８に示すように、初期状態においてＵＥ１０は、通信路１を確立しており、フロー１とフロー２の通信を実行している（Ｓ１８０２）。さらに、ＵＥ１０は通信路１に加え、通信路２を確立しており、フロー３の通信を実行している（Ｓ１８０４）。なお、各フローは特定のアプリケーションで識別される通信や、すくなくともパケットの送信元ＩＰアドレス、送信先ＩＰアドレス、送信元ポート番号、送信先ポート番号、プロトコル番号、アプリケーション名の一部を用いて識別することのできる通信や、ＴＦＴなどにより識別される通信であってよい。
【１１９９】
ここで、通信路１は、ＬＴＥ＿ＡＮ８０を介してＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路１は対応付けられており、さらに、フロー１とフロー２の通信を識別する識別情報と通信路１が対応付けられている。
【１２００】
なお、通信路１の具体的な確立方法や、ＡＰＮ１と通信路１の対応の管理方法、通信を識別する識別情報と通信路１の対応の管理方法は、１．３．１．１で説明したＬＴＥアタッチ手続きもしくはＰＤＮコネクション確立手続きで説明したため、詳細な説明は省略する。
【１２０１】
また、通信路２は、ＤＳＭＩＰを用いてＰＧＷ４０へ接続する通信路であってよい。さらに、ＵＥ１０はＡＰＮ１に対応付けて通信路１を確立してもよい。このように、ＵＥ１０とＰＧＷ４０では、ＡＰＮ１と通信路２は対応付けられており、さらに、フロー３の通信を識別する識別情報と通信路１が対応付けられている。
なお、通信路２の具体的な確立方法や、ＡＰＮ１と通信路２の対応の管理方法、通信を識別する識別情報と通信路１の対応の管理方法は、１．３．１．４で説明したＤＳＭＩＰを用いたアタッチ手続きで説明したため、詳細な説明は省略する。
【１２０２】
なお、ＵＥ１０は、同じＡＰＮにより通信路１と通信路２とを確立している。そのため、ＵＥ１０は、通信路１に用いるＩＰアドレスと通信路２に用いるＩＰアドレスは、同じＩＰアドレスを取得し、同じＩＰアドレスを用いて各通信路を用いた通信を行うことができる。
【１２０３】
次にＵＥ１０は、ポリシー受信処理を行う（Ｓ１８０６）。このポリシー受信処理は、２．１．４．５で説明したポリシー受信処理と同様の処理および手続きであってよい。そのため、詳細説明を省略する。
【１２０４】
以下、通信路の切り替え処理（通信路切り替え手続き４）を実行する（Ｓ１８０８）。
ここで、通信路切り替え手続き４は、１．３．４．７において説明した通信路切り替え手続き３と同様であってよい。詳細手続きおよび各装置の処理は、１．３．４．７の通信路切り替え手続き４と同様であってよいため詳細説明を省略する。
【１２０５】
なお、通信路切り替え手続きに関わる、アクセスネットワーク、コアネットワーク、さらにアクセスネットワークまたはコアネットワークに含まれる各装置は、第１実施形態では、Ｈ−ＰＬＭＮのＩＰ移動通信ネットワーク５Ａに含まれて構成されていたのに対し、本例ではＶ−ＰＬＭＮのＩＰ移動通信ネットワーク５Ｂに含まれて構成される。
【１２０６】
以上の手続きにより、ＵＥ１０は、フロー１の通信を、通信路２を用いて継続することができる（Ｓ１８１０）。なお、ＵＥ１０は、フロー３の通信は、通信路２を用いて継続する。なお、ＵＥ１０は、フロー２の通信は、通信路１を用いて継続する（Ｓ１８０８）。
【１２０７】
［３．  変形例］
これまで説明した第１実施形態および第2実施形態では、ＵＥ１０は、Ｈ−ＡＮＤＳＦ２０またはＶ−ＡＮＤＳＦ２０Ｂから、許可情報を受信することとして説明してきた。なお、実施形態２において説明したとおり、ＵＥ１０がＨ−ＡＮＤＳＦ２０から受信する許可情報は、すくなくとも許可情報２、許可情報３、許可情報５のいずれかであってよい。さらに、ＵＥ１０は、許可情報２、許可情報３、許可情報５のうち、２つ以上の許可情報を受信してもよい。
【１２０８】
また、ＵＥ１０は、Ｖ−ＡＮＤＳＦ２０ｂから受信する許可情報は、許可情報４であって良い。
許可情報を受信する方法はこれにかぎらず、ＵＥ１０はアタッチ手続きにおいて許可情報を受け取っても良い。
【１２０９】
以下、本変形例における、許可情報の取得手続きを、図２２を用いて説明する
図２２を利用して許可情報を通知するためのアタッチ手続きについて説明する。まず、ＵＥ１０はｅＮＢ４５へアタッチ要求を送信する（Ｓ２２０２）。ここで、ＵＥ１０はｅＮＢ４５にＣａｐａｂｉｌｉｔｙ  ｆｌａｇを含める。なお、Ｃａｐａｂｉｌｉｔｙ  ｆｌａｇは、ＵＥ１０がＨ−ＡＮＤＳＦ２０またはＶ−ＡＮＤＳＦ２０ＢからのＡＮＤＳＦポリシー２４２と、Ｈ−ＰＬＭＮまたはＶ−ＰＬＭＮにおけるｅＮＢ４５から送信されるＲＡＮポリシー４５４２を利用して、アクセスネットワークの切り替えを決定できる能力を示す情報である。
【１２１０】
次に、ｅＮＢ４５はＭＭＥ３０へアタッチ要求を転送する（Ｓ２２０４）。このアタッチ要求はＵＥ１０から送信されたアタッチ要求である。つまり、ＵＥ１０が含めたＣａｐａｂｉｌｉｔｙ  ｆｌａｇも含む。
【１２１１】
ｅＮＢ４５からアタッチ要求を受信したＭＭＥ３０は、アタッチ要求に含まれるＣａｐａｂｉｌｉｔｙ  ｆｌａｇにおり、ＵＥ１０がＨ−ＡＮＤＳＦ２０またはＶ−ＡＮＤＳＦ２０ＢからのＡＮＤＳＦポリシー２４２と、Ｈ−ＰＬＭＮまたはＶ−ＰＬＭＮにおけるｅＮＢ４５から送信されるＲＡＮポリシー４５４２を利用して、アクセスネットワークの切り替えを決定できることを検出する。
【１２１２】
さらに、ＭＭＥ４０は、ＵＥ１０にＨ−ＡＮＤＳＦ２０またはＶ−ＡＮＤＳＦ２０ＢからのＡＮＤＳＦポリシー２４２と、Ｈ−ＰＬＭＮまたはＶ−ＰＬＭＮにおけるｅＮＢ４５から送信されるＲＡＮポリシー４５４２を利用して、アクセスネットワークの切り替えを決定することを認証する。
【１２１３】
次に、ＭＭＥ４０はセッション確立要求をＳＧＷ３５へ送信し（Ｓ２２０６）、ＳＧＷ３５は、ＰＧＷ４０へセッション確立要求を送信し（Ｓ２２０８）、ＰＧＷ４０はセッション確立応答をＳＧＷ３５へ送信し（Ｓ２２１０）、ＳＧＷ３５はセッション確立応答をＭＭＥ３０へ送信する（Ｓ２２１２）。Ｓ２２０６、Ｓ２２０８、Ｓ２２１０、Ｓ２２１２は従来のアタッチ手続きと同様であるため、詳細な説明は省略する。
【１２１４】
セッション確立応答を受信したＭＭＥ３０は、初期コンテキスト設定要求およびアタッチ受託をｅＮＢ４５へ送信する（Ｓ２２１４）。なお、ＭＭＥ３０は、初期コンテキスト設定要求またはアタッチ受託に許可情報を含めて良い。
【１２１５】
ＭＭＥ３０から初期コンテキスト設定要求およびアタッチ受託を受信したｅＮＢ４５は、ＲＲＣ再接続再設定をＵＥ１０へ送信する（Ｓ２２１６）。なお、ＲＲＣ再接続再設定には、許可情報を含める。
【１２１６】
ＲＲＣ接続再設定を受信したＵＥ１０は、ＲＲＣ再接続再設定に含まれる許可情報を検出する。
【１２１７】
以上により、ＵＥ１０はアタッチ手続きにより、許可情報を受信することができる。
なお、Ｈ−ＰＬＭＮのＭＭＥは、許可情報において、許可情報２、許可情報３、許可情報５のいずれかを含めて送信してもよいし、許可情報２、許可情報３、許可情報５のうちの２つ以上の許可情報を送信しても良い。
また、Ｖ−ＰＬＭＮのＭＭＥは、許可情報において、許可情報４を含めて送信してもよい。
【１２１８】
なお、ＵＥ１０による許可情報の管理方法や、各許可情報に基づく処理は、第1実施形態および第2実施形態で説明した方法、処理と同様であってよい。そのため、ここでの詳細説明は省略する。
【１２１９】
以上、この発明の実施形態および変形例について図面を参照して詳述してきたが、具体的な構成はこの実施形態に限られるものではなく、この発明の要旨を逸脱しない範囲の設計等も特許請求の範囲に含まれる。
【１２２０】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【１２２１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【１２２２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【１２２３】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【１２２４】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【図１】
0006505675.tif 000002
【図２】
0006505675.tif 000003
【図３】
0006505675.tif 000004
【図４】
0006505675.tif 000005
【図５】
0006505675.tif 000006
【図６】
0006505675.tif 000007
【図７】
0006505675.tif 000008
【図８】
0006505675.tif 000009
【図９】
0006505675.tif 000010
【図１０】
0006505675.tif 000011
【図１１】
0006505675.tif 000012
【図１２】
0006505675.tif 000013
【図１３】
0006505675.tif 000014
【図１４】
0006505675.tif 000015
【図１５】
0006505675.tif 000016
【図１６】
0006505675.tif 000017
【図１７】
0006505675.tif 000018
【図１８】
0006505675.tif 000019
【図１９】
0006505675.tif 000020
【図２０】
0006505675.tif 000021
【図２１】
0006505675.tif 000022
【図２２】
0006505675.tif 000023